(57)【要約】【課題】より一層戻り球が発生しにくい構成を提供することを課題とする。【解決手段】発射装置３００は、遊技領域の上下方向における上端側に配置されており、往復回転式投球機構により遊技球を発射する装置である。発射アーム３０６の往路終端（矢印Ａ）は、発射通路３１２の入口の手前に位置しており、発射通路３１２の全長にわたって下り傾斜の自由落下通路３２４が形成されている。このため、発射アーム３０６が往路終端まで移動すれば、遊技球の発射力が充分でなかった場合であっても、遊技球は自由落下により遊技領域に放出される。このような構成により、戻り球が発生しにくい発射装置３００を提供することができる。【選択図】図５
2014144095.tif 000002
【特許請求の範囲】
【請求項１】
遊技盤面に形成された遊技領域の上下方向における上端側に配置され、前記遊技領域に向けて遊技球を発射する発射装置と、
前記発射装置により発射される遊技球の発射の強度を決定する発射ハンドルと、
前記発射ハンドルの操作に基づいて駆動する駆動源と、
前記発射装置に設けられ、発射前の遊技球を待機させる発射球待機部と、
前記発射装置に設けられ、前記駆動源の駆動により往復駆動されるとともに、前記発射球待機部に待機している遊技球に前記駆動源の駆動力を伝達する被駆動部材と、
前記発射装置に設けられ、前記被駆動部材により発射される発射球が通過する発射通路と、
前記発射通路の終端に設けられ、前記遊技領域に対して前記発射球を送り出す発射口とを備え、
前記発射通路は、
前記被駆動部材の往路終端位置から前記発射球を受け入れて前記発射口に前記発射球を導く通路であり、かつ、前記発射球を受け入れた後に前記発射球に与えられた力が十分でない場合には自由落下により前記発射球を前記遊技領域に放出する自由落下通路により構成されていることを特徴とする遊技機。
【請求項２】
請求項１に記載の遊技機において、
前記被駆動部材は、
その一部に前記発射球を保持する発射球保持部を有し、その発射球保持部が前記発射球待機部を兼ねており、往路駆動待機時に位置する待機位置で前記発射球を受け入れて保持し、前記駆動源の駆動により往復駆動された往路終端位置にて前記発射球保持部で保持している前記発射球を前記発射通路の空間又は前記自由落下通路に放出して遊技球を発射することを特徴とする遊技機。
【請求項３】
請求項２に記載の遊技機において、
前記被駆動部材の往路終端は、
前記発射通路の入口の手前に位置しており、
前記自由落下通路は、
前記発射通路の全長にわたって設けられていることを特徴とする遊技機。
【請求項４】
請求項１に記載の遊技機において、
前記発射通路は、
前記発射球待機部に連なって形成されており、
前記被駆動部材は、
前記駆動源の駆動により、前記発射球待機部に待機している遊技球を打球して前記発射通路の空間に発射するとともに、前記発射球が前記自由落下通路に到達する位置まで繰り出されることを特徴とする遊技機。
【請求項５】
請求項１から４のいずれかに記載の遊技機において、
前記発射装置は、
土台となる基台と、
遊技球が発射されたことを検出する遊技球発射検出センサとをさらに備え、
前記駆動源、前記発射球待機部、前記被駆動部材、前記発射通路、前記発射口、前記自由落下通路、及び、前記遊技球発射検出センサは、
前記基台に取り付けられて一体化されていることを特徴とする遊技機。
【請求項６】
請求項５に記載の遊技機において、
前記発射装置に遊技球を供給する球送り装置と、
前記球送り装置から前記発射装置に遊技球が供給されたことを検出する遊技球供給検出センサとをさらに備え、
前記球送り装置及び前記遊技球供給検出センサは、
前記基台に取り付けられて一体化されていることを特徴とする遊技機。
【請求項７】
請求項１から６のいずれかに記載の遊技機において、
前記発射装置に遊技球を供給する球送り装置と、
前記球送り装置から前記発射装置に遊技球が供給されたことを検出する遊技球供給検出センサとをさらに備え、
前記発射装置は、
前記球送り装置による供給動作が実行されてから、所定時間以内に前記遊技球供給検出センサにより遊技球の供給が検出された場合には前記駆動源を駆動させて発射動作を実行する一方、前記球送り装置による供給動作が実行されてから、前記所定時間以内に前記遊技球供給検出センサにより遊技球の供給が検出されなかった場合には前記発射動作を実行せず、再び前記供給動作からやり直すことを特徴とする遊技機。
【請求項８】
請求項１から７のいずれかに記載の遊技機において、
前記発射装置により発射される遊技球を外部の遊技球供給装置から受給するタンクを備え、
前記発射装置は、
前記タンクから発射球となる遊技球を受給することを特徴とする遊技機。
【請求項９】
請求項１から７のいずれかに記載の遊技機において、
遊技球を貯留するタンクを介さずに、前記発射装置により発射される遊技球を外部の遊技球供給装置から直接受給する遊技球受け入れ口を備え、
前記発射装置は、
前記遊技球受け入れ口から発射球となる遊技球を受給することを特徴とする遊技機。
【請求項１０】
請求項１から９のいずれかに記載の遊技機において、
前記発射装置に遊技球が供給されたこと又は前記発射装置により遊技球が発射されたことを検出する発射検出手段と、
前記発射装置により発射される遊技球を外部の遊技球供給装置から受給するとともに、受給した遊技球を発射球として前記発射装置に供給する発射球受給装置と、
前記遊技領域に配置された入賞口に遊技球が入球したことを検出する入球検出手段と、
前記発射装置により発射される遊技球の発射可能数を示す持ち球データを管理する発射持ち球管理ユニットと、
前記入球検出手段により遊技球の入球が検出されたことを契機として入賞が発生した場合、入賞が発生したことを示す入賞データを前記発射持ち球管理ユニットに送信する遊技制御ユニットと、
遊技球の球貸しを制御する外部の球貸し管理装置に接続するためのインターフェースであり、少なくとも前記球貸し管理装置が遊技球の球貸しを実行した場合、前記球貸し管理装置から球貸しデータを受信する通信手段と、
前記発射装置により発射されて前記入賞口に入球した遊技球、及び、前記発射装置により発射されて前記入賞口に入球しなかった遊技球のいずれについても外部に排出する排出装置と、
前記発射持ち球管理ユニットに設けられ、前記通信手段を介して前記球貸し管理装置から前記球貸しデータを受信した場合、受信した球貸しデータに相応する数量を前記持ち球データに加算する処理を実行する球貸し時持ち球データ加算処理実行手段と、
前記発射持ち球管理ユニットに設けられ、前記発射検出手段により遊技球の供給又は遊技球の発射が検出された場合、供給又は発射された遊技球の数に相応する数量を前記持ち球データから減算する処理を実行する発射時持ち球データ減算処理実行手段と、
前記発射持ち球管理ユニットに設けられ、前記遊技制御ユニットから前記入賞データを受信した場合、受信した入賞データに相応する数量を前記持ち球データに加算する処理を実行する入賞時持ち球データ加算処理実行手段とをさらに備えることを特徴とする遊技機。
【発明の詳細な説明】
【技術分野】
【０００１】
本発明は、発射装置により遊技領域に向けて遊技球を発射して遊技を進行させる遊技機に関する。
【背景技術】
【０００２】
現在、電子データにより遊技結果を管理することができる次世代の遊技機（電子データ式遊技機）に注目が集まっており、市場導入に向けた動きが本格化しようとしている。
その中核技術は、以下の内容に集約される。
【０００３】
（１）封入式の遊技機であること。
（２）不正行為に強い遊技機として、第三者機関による不正監視が可能な遊技機であること。
（３）不正行為に強い遊技機として、ゴト対策を充実させた遊技機であること。
（４）遊技球の出入り（ＩＮ／ＯＵＴ）を電子化した遊技機であること。
（５）環境に配慮した遊技機であること。
【０００４】
そして、上記（１）〜上記（５）の要件を全て満たした遊技機は、次世代の遊技機として新たな一歩を踏み出すことができる。
【０００５】
ここで、上記（１）の封入式の遊技機に適した発射装置が開示されている（例えば、特許文献１）。
特許文献１の発射装置は、遊技球が待機する遊技球待機位置から発射口までの遊技球通路が、上り傾斜で始まり、下り傾斜で終わるように形成されている。
このため、特許文献１の発射装置によれば、戻り球（ファール球）が発生しにくい発射装置を提供することができると考えられる。
【先行技術文献】
【特許文献】
【０００６】
【特許文献１】特許第５００９６４４号公報
【発明の概要】
【発明が解決しようとする課題】
【０００７】
特許文献１の発射装置は、遊技球通路が上り傾斜で始まり、下り傾斜で終わっているため、戻り球が発生しにくい発射装置となっているが、遊技球通路の一部に上り傾斜が存在しているため、状況によっては戻り球が発生してしまう可能性がある。
【０００８】
すなわち、特許文献１の発射装置は、ハンマにより遊技球を打球して遊技球を発射するものであるが、ハンマにより打球された遊技球は、遊技球通路の上り傾斜を通過し、その後に下り傾斜に導かれて、又は下り傾斜の上空を通過して遊技領域に放出される。
【０００９】
このとき、何かしらの事情で遊技球に伝達される力が充分でなかった場合、下り傾斜まで遊技球が到達していれば遊技球は下り傾斜を転がって遊技領域に放出されることになるが、上り傾斜の途中で遊技球が止まってしまった場合、遊技球が上り傾斜を逆戻りして、戻り球が発生してしまう可能性がある。
【００１０】
そこで本発明は、より一層戻り球が発生しにくい構成を提供することを課題とするものである。
【課題を解決するための手段】
【００１１】
本発明は、上記の課題を解決するため以下の解決手段を採用する。なお、以下の括弧書中の文言はあくまで例示であり、本発明はこれに限定されるものではない。
解決手段１：本解決手段の遊技機は、遊技盤面に形成された遊技領域の上下方向における上端側に配置され、前記遊技領域に向けて遊技球を発射する発射装置と、前記発射装置により発射される遊技球の発射の強度を決定する発射ハンドルと、前記発射ハンドルの操作に基づいて駆動する駆動源と、前記発射装置に設けられ、発射前の遊技球を待機させる発射球待機部と、前記発射装置に設けられ、前記駆動源の駆動により往復駆動されるとともに、前記発射球待機部に待機している遊技球に前記駆動源の駆動力を伝達する被駆動部材と、前記発射装置に設けられ、前記被駆動部材により発射される発射球が通過する発射通路と、前記発射通路の終端に設けられ、前記遊技領域に対して前記発射球を送り出す発射口とを備え、前記発射通路は、前記被駆動部材の往路終端位置から前記発射球を受け入れて前記発射口に前記発射球を導く通路であり、かつ、前記発射球を受け入れた後に前記発射球に与えられた力が十分でない場合には自由落下により前記発射球を前記遊技領域に放出する自由落下通路により構成されていることを特徴とする遊技機である。
【００１２】
本解決手段の遊技機は、例えば以下に示す構成を備えている。
（１）遊技盤面に形成された遊技領域に向けて遊技球を発射する発射装置が設けられている。発射装置により遊技球が発射されると、遊技球は遊技領域に打ち込まれ、遊技領域に打ち込まれた遊技球は遊技領域を流下する。発射装置は、遊技領域の上下方向における上端側に配置されている。ここで、上端側とは、遊技領域を上下２分割した場合の上部側を意味する。遊技領域の上下方向における上端側に発射装置を配置することにより、発射装置を下端側に配置した場合と比較して、遊技球が遊技領域まで到達する経路を短くすることができ、その分戻り球（ファール球）が発生しにくい発射装置とすることができる。ここで戻り球とは、発射装置により発射されたものの、遊技領域に到達せずに、又は遊技領域に到達したとしても何らか障害物に弾かれて、再び発射装置に戻ってきてしまう遊技球のことである。
【００１３】
（２）上記（１）の発射装置により発射される遊技球の発射の強度を決定する発射ハンドルが設けられている。遊技者は、この発射ハンドルを操作することにより、遊技球の発射の強度を決定することができ、遊技領域の好みの位置に遊技球を発射することができる。
【００１４】
（３）上記（２）の発射ハンドルの操作に基づいて駆動する駆動源（モータ）が設けられている。駆動源は、遊技者が発射ハンドルに触れると動作し、かつ、発射ハンドルの操作量に応じて強弱をつけて動作する。
【００１５】
（４）上記（１）の発射装置は、発射前の遊技球（発射球）を待機させる発射球待機部を備えている。発射装置に供給された遊技球は、この発射球待機部に送られ、発射の動作が行われるまでそこで待機する。
【００１６】
（５）上記（１）の発射装置は、上記（３）の駆動源により駆動される被駆動部材を備えている。被駆動部材は、上記（３）の駆動源の駆動により往復駆動され、上記（４）の発射球待機部に待機している遊技球に上記（３）の駆動源の駆動力を伝達する部材である。
遊技球に対して駆動源の駆動力が伝達されることにより、その駆動力を利用して遊技球が発射される。すなわち、被駆動部材が少なくとも往路上の最終端近傍で停止又は減速されたときに被駆動部材と遊技球とが接触し、被駆動部材により与えらた慣性力により遊技球が遊技領域に向けて発射される。
【００１７】
（６）上記（１）の発射装置は、上記（５）の被駆動部材により発射される発射球が通過する発射通路を備えている。このため、遊技球は発射通路を通過して遊技領域に向かっていく。
【００１８】
（７）上記（６）の発射通路の終端には、遊技領域に対して遊技球を送り出す発射口が設けられている。このため、上記（５）の被駆動部材により上記（３）の駆動源の駆動力が伝達された遊技球は、上記（６）の発射通路を通過し、最終的にはこの発射口から遊技領域に送り出される。
【００１９】
（８）上記（６）の発射通路は、上記（５）の被駆動部材の往路終端位置（又はその近傍）から発射球を受け入れて上記（７）の発射口に発射球を導く通路である。また、上記（６）の発射通路は、発射球を受け入れた後に発射球に与えられた力（飛力）が十分でない場合には自由落下により発射球を遊技領域に放出する自由落下通路により構成されている。自由落下通路は、例えば下り傾斜の通路とすることができる。
【００２０】
本解決手段において、被駆動部材は、往路始端から往路終端までの間を移動することになるが、被駆動部材が往路終端に到達すると、被駆動部材に打球又は投球される遊技球は、最低でも被駆動部材の往路終端の先まで移動することになる。
【００２１】
そして、本解決手段において、発射通路は自由落下通路により構成されているため、被駆動部材が往路終端まで移動しさえすれば、遊技球の発射力が充分でなかった場合であっても、遊技球は自由落下により遊技領域に放出される。したがって、本解決手段によれば、遊技球が発射待機位置に戻ることはなく、戻り球が発生しにくい発射装置を提供することができる。
【００２２】
また、本解決手段では、発射通路は自由落下通路により構成されているため、発射通路には上り傾斜が含まれないことになる。発射通路は、長ければ長いほど、遊技球が通過する経路が安定しなくなるため、発射精度が低下する要因となるが、本解決手段では、発射通路に上り傾斜を含ませていないため、その分発射通路を短くすることができ、遊技球を精度良く発射することができる。
【００２３】
さらに、本解決手段では、戻り球が発生しにくい発射装置を提供することができるため、戻り球を検出するための複雑なセンシング機構が不要になるという効果がある。
【００２４】
解決手段２：本解決手段の遊技機は、解決手段１において、前記被駆動部材は、その一部に前記発射球を保持する発射球保持部を有し、その発射球保持部が前記発射球待機部を兼ねており、往路駆動待機時に位置する待機位置で前記発射球を受け入れて保持し、前記駆動源の駆動により往復駆動された往路終端位置にて前記発射球保持部で保持している前記発射球を前記発射通路の空間又は前記自由落下通路に放出して遊技球を発射することを特徴とする遊技機である。
【００２５】
本解決手段の遊技機には、以下の特徴が追加される。
（１）被駆動部材は、その一部に発射球を保持する発射球保持部を有し、その発射球保持部が発射球待機部を兼ねている。
（２）被駆動部材は、往路駆動待機時に位置する待機位置で発射球を受け入れて保持し、駆動源の駆動により往復駆動された往路終端位置（又はその近傍）にて上記（１）の発射球保持部で保持している発射球を発射通路の空間又は自由落下通路に放出して遊技球を発射する。
このような発射球保持部を備える被駆動部材は、回転往復駆動することにより遊技球を放出させてもよいし、直進往復駆動することにより遊技球を放出させてもよい。
【００２６】
ここで、遊技球の発射強度が強い場合、遊技球は発射通路の壁にあたらずに発射される。すなわち、遊技球の発射強度が通常強度（所定の強度以上）の場合、発射球は、被駆動部材（発射アーム）から発射通路の内壁にあたらず遊技領域に放出されるため、より正確な発射が可能となる。また、発射球保持部が半球形のくり抜き形状である場合、遊技球は、遠心力により、発射球保持部の上側壁に沿って遊技領域に放出されるため、この上側壁が事実上の従来遊技機における発射レールの役割を果たし、遊技球の発射ベクトル（角度）を決定することができる。一方、遊技球の発射強度が弱い場合（所定の強度未満である場合）、遊技球は発射通路（自由落下通路）の下側壁に沿って自由落下し、遊技領域に放出される。
【００２７】
このように、本解決手段によれば、発射球保持部が発射球待機部を兼用しているため、毎回の発射動作が安定し、発射の精度を向上させることができる。つまり、発射球保持部が発射球待機部を兼用していることにより、発射前から被駆動部材と遊技球とを接触させて保持することができ、それだけ発射動作を安定させることができる。
【００２８】
解決手段３：本解決手段の遊技機は、解決手段２において、前記被駆動部材の往路終端は、前記発射通路の入口の手前に位置しており、前記自由落下通路は、前記発射通路の全長にわたって設けられていることを特徴とする遊技機である。
【００２９】
本解決手段の遊技機には、以下の特徴が追加される。
（１）被駆動部材の往路終端は、発射通路の入口の手前に位置している。
（２）自由落下通路は、発射通路の全長にわたって設けられている。
【００３０】
このように、本解決手段では、被駆動部材の往路終端が、発射通路の入口の手前に位置しているため、被駆動部材が往路終端まで移動しても、被駆動部材が発射通路に進入することはない。したがって、発射通路の全長にわたって自由落下通路を形成することができる。そして、発射通路の全長にわたって自由落下通路を形成することにより、発射通路の全領域にて遊技球の自由落下を促すことができ、発射通路での戻り球を完全に回避することができる。
【００３１】
解決手段４：本解決手段の遊技機は、解決手段１において、前記発射通路は、前記発射球待機部に連なって形成されており、前記被駆動部材は、前記駆動源の駆動により、前記発射球待機部に待機している遊技球を打球して前記発射通路の空間に発射するとともに、前記発射球が前記自由落下通路に到達する位置まで繰り出されることを特徴とする遊技機である。
【００３２】
本解決手段の遊技機には、以下の特徴が追加される。
（１）発射通路は、発射球待機部（の下流側）に連なって形成されている。
（２）被駆動部材は、駆動源の駆動力により、発射球待機部に待機している遊技球を打球して発射通路の空間に発射する。
（３）被駆動部材は、発射球が自由落下通路に到達する位置まで繰り出される。
【００３３】
このように、本解決手段によれば、発射通路は、発射球待機部に連なって形成されているため、遊技球は発射動作によって発射球待機部から発射通路に移動する。
また、本解決手段では、被駆動部材は、打球により遊技球を発射するため、回転往復駆動を用いる投球と比較して被駆動部材の動作範囲を狭くすることができる。これにより、省スペースにて遊技球を発射することができ、より小型化された発射装置を提供することができる。
さらに、本解決手段では、被駆動部材は、発射球が自由落下通路に到達する位置まで繰り出されるので、被駆動部材の往路終端よりも手前側（往路始端側）に上り傾斜の発射球待機部が存在していたとしても、遊技球は上り傾斜の終端よりも先まで押し出されることになる。このため、遊技球が上り傾斜を逆戻りすることはなく、戻り球が発生しにくい発射装置を提供することができる。
【００３４】
解決手段５：本解決手段の遊技機は、解決手段１から４のいずれかにおいて、前記発射装置は、土台となる基台と、遊技球が発射されたことを検出する遊技球発射検出センサとをさらに備え、前記駆動源、前記発射球待機部、前記被駆動部材、前記発射通路、前記発射口、前記自由落下通路、及び、前記遊技球発射検出センサは、前記基台に取り付けられて一体化されていることを特徴とする遊技機である。
【００３５】
本解決手段の遊技機には、以下の特徴が追加される。
（１）発射装置は、土台となる基台を備えている。
（２）発射装置は、遊技球が発射されたことを検出する遊技球発射検出センサを備えている。
（３）駆動源、発射球待機部、被駆動部材、発射通路、発射口、自由落下通路、及び、上記（２）の遊技球発射検出センサは、上記（１）の基台に取り付けられて一体化されている。
【００３６】
このように、本解決手段によれば、発射装置における発射系に関する部品を一体化しているため、組み立ての簡略化や部品管理の簡素化を図ることができる。
【００３７】
解決手段６：本解決手段の遊技機は、解決手段５において、前記発射装置に遊技球を供給する球送り装置と、前記球送り装置から前記発射装置に遊技球が供給されたことを検出する遊技球供給検出センサとをさらに備え、前記球送り装置及び前記遊技球供給検出センサは、前記基台に取り付けられて一体化されていることを特徴とする遊技機である。
【００３８】
本解決手段の遊技機には、以下の特徴が追加される。
（１）本解決手段の遊技機は、発射装置に遊技球を供給する球送り装置を備えている。
（２）本解決手段の遊技機は、上記（１）の球送り装置から発射装置に遊技球が供給されたことを検出する遊技球供給検出センサを備えている。
（３）上記（１）の球送り装置及び上記（２）の遊技球供給検出センサは、基台に取り付けられて一体化されている。
【００３９】
このように、本解決手段によれば、発射装置における発射系に関する部品のみならず、発射装置における供給系に関する部品も一体化しているため、より一層、組み立ての簡略化や部品管理の簡素化を図ることができる。
【００４０】
解決手段７：本解決手段の遊技機は、解決手段１から６のいずれかにおいて、前記発射装置に遊技球を供給する球送り装置と、前記球送り装置から前記発射装置に遊技球が供給されたことを検出する遊技球供給検出センサとをさらに備え、前記発射装置は、前記球送り装置による供給動作が実行されてから、所定時間以内に前記遊技球供給検出センサにより遊技球の供給が検出された場合には前記駆動源を駆動させて発射動作を実行する一方、前記球送り装置による供給動作が実行されてから、前記所定時間以内に前記遊技球供給検出センサにより遊技球の供給が検出されなかった場合には前記発射動作を実行せず、再び前記供給動作からやり直すことを特徴とする遊技機である。
【００４１】
本解決手段の遊技機には、以下の特徴が追加される。
（１）本解決手段の遊技機は、発射装置に遊技球を供給する球送り装置を備えている。
（２）本解決手段の遊技機は、上記（１）の球送り装置から発射装置に遊技球が供給されたことを検出する遊技球供給検出センサを備えている。
【００４２】
（３）発射装置は、球送り装置による供給動作が実行されてから、所定時間以内（例えば、０．１〜０．３秒程度以内）に遊技球供給検出センサにより遊技球の供給が検出された場合には駆動源を駆動させて発射動作を実行する。
（４）一方、発射装置は、球送り装置による供給動作が実行されてから、所定時間以内に遊技球供給検出センサにより遊技球の供給が検出されなかった場合には発射動作を実行せず、再び供給動作からやり直す。
【００４３】
ここで、供給動作が実行されてから、所定時間以内に遊技球供給検出センサにより遊技球の供給が検出されなかったということは、供給動作が正常に実行されなかったか、あるいは供給動作が正常に実行されたものの遊技球が供給されなかったということを意味している。
【００４４】
そして、本解決手段では、このような場合には発射動作を実行せず、再び供給動作からやり直すことにしているため、遊技球が供給されていないのに発射動作を実行するという事態を回避することができる。
【００４５】
解決手段８：本解決手段の遊技機は、解決手段１から７のいずれかにおいて、前記発射装置により発射される遊技球を外部の遊技球供給装置から受給するタンクを備え、前記発射装置は、前記タンクから発射球となる遊技球を受給することを特徴とする遊技機である。
【００４６】
本解決手段の遊技機には、以下の特徴が追加される。
（１）発射装置により発射される遊技球を外部の遊技球供給装置（島設備、球送り装置）から受給するタンクが設けられている。
（２）そして、発射装置は、上記（１）のタンクから発射球となる遊技球を受給する。このため、発射装置に対しては、上記（１）のタンクから発射球となる遊技球が直接供給されることになる。
【００４７】
このため、本解決手段によれば、発射前の遊技球を一旦タンクで貯留することができるので、既存の島設備がタンクを利用しているものであれば、既存の島設備との親和性を向上させることができる。
【００４８】
ここで、特許文献１の発射装置は、封入式の遊技機に好適に構成されており、封入球を循環使用して発射する前提であるために、既存の島設備との親和性が低いという課題がある。
この点、本解決手段では、発射前の遊技球を一旦タンクで貯留することができるので、より一層戻り球が発生しにくい構成を提供できるのみならず、既存の島設備との親和性を高めた遊技機を提供することができる。
【００４９】
解決手段９：本解決手段の遊技機は、解決手段１から７のいずれかにおいて、遊技球を貯留するタンクを介さずに、前記発射装置により発射される遊技球を外部の遊技球供給装置から直接受給する遊技球受け入れ口を備え、前記発射装置は、前記遊技球受け入れ口から発射球となる遊技球を受給することを特徴とする遊技機である。
【００５０】
本解決手段の遊技機には、以下の特徴が追加される。
（１）遊技球を貯留するタンクを介さずに、発射装置により発射される遊技球を外部の遊技球供給装置（島設備、球送り装置）から直接受給する遊技球受け入れ口が設けられている。
（２）そして、発射装置は、上記（１）の遊技球受け入れ口から発射球となる遊技球を受給する。このため、発射装置に対しては、上記（１）の遊技球受け入れ口を介して発射球となる遊技球が直接供給されることになる。
【００５１】
上述した解決手段では、タンクを経由して発射装置に遊技球を供給する例を説明したが、タンクは遊技球を貯留させる性質を有するため、球詰まりが発生することが稀にある。
【００５２】
そこで、本解決手段では、タンクを経由せずに、遊技球受け入れ口を介して発射球となる遊技球が発射装置に直接供給されるため、遊技球受け入れ口に蛇腹ホース等を連結し、そこから発射球を直接受け入れることができる。
【００５３】
このように、本解決手段では、遊技球の受け入れの際にタンクを経由しない構成となるため、よりシンプルな構成を実現することができる。また、タンクを経由しない構成であるため、最初から遊技球が一列に整列された状態を作り出すことができ、球詰まりを軽減させることができる。さらに、遊技機にタンクを設置しなくても、フレキシブルな蛇腹ホース等を用いることにより、既存の島設備との親和性を維持することができる。
【００５４】
ここで、特許文献１の発射装置は、封入式の遊技機に好適に構成されており、封入球を循環使用して発射する前提であるために、既存の島設備との親和性が低いという課題がある。
この点、本解決手段では、遊技球受け入れ口を介して発射球となる遊技球を直接受給することができるので、より一層戻り球が発生しにくい構成を提供できるのみならず、既存の島設備との親和性を高めた遊技機を提供することができる。
【００５５】
解決手段１０：本解決手段の遊技機は、解決手段１から９のいずれかにおいて、前記発射装置に遊技球が供給されたこと又は前記発射装置により遊技球が発射されたことを検出する発射検出手段と、前記発射装置により発射される遊技球を外部の遊技球供給装置から受給するとともに、受給した遊技球を発射球として前記発射装置に供給する発射球受給装置と、前記遊技領域に配置された入賞口に遊技球が入球したことを検出する入球検出手段と、前記発射装置により発射される遊技球の発射可能数を示す持ち球データを管理する発射持ち球管理ユニットと、前記入球検出手段により遊技球の入球が検出されたことを契機として入賞が発生した場合、入賞が発生したことを示す入賞データを前記発射持ち球管理ユニットに送信する遊技制御ユニットと、遊技球の球貸しを制御する外部の球貸し管理装置に接続するためのインターフェースであり、少なくとも前記球貸し管理装置が遊技球の球貸しを実行した場合、前記球貸し管理装置から球貸しデータを受信する通信手段と、前記発射装置により発射されて前記入賞口に入球した遊技球、及び、前記発射装置により発射されて前記入賞口に入球しなかった遊技球のいずれについても外部に排出する排出装置と、前記発射持ち球管理ユニットに設けられ、前記通信手段を介して前記球貸し管理装置から前記球貸しデータを受信した場合、受信した球貸しデータに相応する数量を前記持ち球データに加算する処理を実行する球貸し時持ち球データ加算処理実行手段と、前記発射持ち球管理ユニットに設けられ、前記発射検出手段により遊技球の供給又は遊技球の発射が検出された場合、供給又は発射された遊技球の数に相応する数量を前記持ち球データから減算する処理を実行する発射時持ち球データ減算処理実行手段と、前記発射持ち球管理ユニットに設けられ、前記遊技制御ユニットから前記入賞データを受信した場合、受信した入賞データに相応する数量を前記持ち球データに加算する処理を実行する入賞時持ち球データ加算処理実行手段とをさらに備えることを特徴とする遊技機である。
【００５６】
本解決手段の遊技機は、以下に示す特徴を有する。
（１）発射装置に遊技球が供給されたこと又は発射装置により遊技球が発射されたことを検出する発射検出手段が設けられている。ここで、本解決手段にて、「供給されたこと」又は「発射されたこと」としている理由は以下の理由による。すなわち、発射検出手段は、遊技球の発射を検出することができればよいので、基本的には遊技球の発射を検出していればよいが、「供給かつ発射」を一連の動作と捉えると、供給を検出してもそれが発射を検出したことになるため、「供給されたこと」又は「発射されたこと」を検出することにしている。ここで、発射検出手段は、例えば遊技球の通過を検出するセンサとすることができる。
【００５７】
（２）発射装置により発射される遊技球を外部の遊技球供給装置（島設備、球送り装置）から受給するとともに、受給した遊技球を発射球として発射装置に供給する発射球受給装置（貯留タンク、発射球受け入れ口、発射球整列通路、発射球供給通路等）が設けられている。外部の遊技球供給装置から供給される遊技球は、この発射球受給装置で一旦受給され、その後に発射装置に直接供給される。
【００５８】
通常、外部の遊技球供給装置からの遊技球は、遊技機の内部にある発射球受給装置（貯留タンク）にて貯留され、そこから払出装置ユニットを経由して上皿等に放出され、その後に発射装置に供給されるものであるが、本解決手段では、払出装置ユニットや上皿等は経由せず、外部の遊技球供給装置からの遊技球は、発射装置に直接供給される。
【００５９】
（３）入賞口に遊技球が入球したことを検出する入球検出手段が設けられている。このような入賞口として、始動入賞口、大入賞口、普通入賞口等といった複数種類の入賞口が存在している場合、複数種類の入賞口毎に入球検出手段を設ける必要がある。また、普通入賞口が４つあるといったように、同一種類の入賞口が複数存在している場合、入球検出手段は１つだけ設けてもよく、個々の入賞口にそれぞれ設けてもよい。
【００６０】
（４）発射装置により発射される遊技球の発射可能数を示す持ち球データを管理する発射持ち球管理ユニットが設けられている。発射持ち球管理ユニットは、少なくとも持ち球データを管理するユニットであり、発射装置を制御することもできる。ここで、「持ち球データ」とは、遊技球の発射可能数（発射権利数）を保持する変数であり、遊技機内の記憶素子に記憶されている。例えば、持ち球データに「０」が格納されている状態では遊技球を１個も発射することができない状態であるが、持ち球データに「１０」が格納されている状態では遊技球を１０個発射することができる状態となる。
【００６１】
（５）上記（３）の入球検出手段により遊技球の入球が検出されたことを契機として入賞が発生した場合、入賞が発生したことを示す入賞データを発射持ち球管理ユニットに送信する遊技制御ユニットが設けられている。すなわち、遊技制御ユニットは、入賞が発生した際に、発射持ち球管理ユニットに対して入賞データを送信する。ここで、入賞データは、入賞口の種類に応じたデータとなっており、例えば始動入賞口に対応する入賞データ、大入賞口に対応する入賞データ、普通入賞口に対応する入賞データ等が存在している。
【００６２】
また、遊技球の入球が検出されたとしても、それが有効な入球でなれけば、入賞が発生していないと判断することができる。このような場合の例としては、大当り遊技中以外の大入賞口での入球の検出が挙げられる。そして、このような場合には、発射持ち球管理ユニットに対して入賞データは送信されない。
【００６３】
（６）遊技球の球貸しを制御する外部の球貸し管理装置（カードユニット）に接続するためのインターフェースである通信手段が設けられている。通信手段は、球貸し管理装置が遊技球の球貸しを実行した場合、球貸し管理装置から球貸しデータを受信する。球貸しデータには、球貸しに関する情報が含まれており、現金から球貸しを行った場合や、貯球から球貸しを行った場合に送信されるデータとなる。ここで、貯球とは、大当り等で獲得した出球を所定の景品等と交換せずにそのまま遊技場に預けてある球のことをいう。遊技場に預けてある貯球を引き出すことにより、遊技者は現金を使わずに遊技を行うことができる。
【００６４】
（７）発射装置により発射されて入賞口に入球した遊技球、及び、発射装置により発射されて入賞口に入球しなかった遊技球のいずれについても外部（機外）に排出する排出装置（アウト通路アセンブリ）が設けられている。このため、発射装置により発射された全ての遊技球は、入賞口に入球したか否かに関わらず、排出装置により回収されて機外に排出される。また、この排出装置に排出球を検出する排出センサを設け、発射数と比較すれば、実際に発射された遊技球数の結果を確認することができるため、発射されずに入賞口へ入球させた場合にこの値が所定時間経過後も一致しなければエラー検知（不正行為検知）をすることができる。
【００６５】
（８）上記（４）の発射持ち球管理ユニットは、上記（６）の通信手段を介して球貸し管理装置から球貸しデータを受信した場合、受信した球貸しデータに相応する数量を持ち球データに加算する処理を実行する。例えば、持ち球データの値が「０」であり、球貸しデータの値が「１２５」である場合、「０」に「１２５」を加算する処理を実行して、最終的に持ち球データの値を「１２５」に更新する処理を実行する。
【００６６】
（９）上記（４）の発射持ち球管理ユニットは、上記（１）の発射検出手段により遊技球の供給又は遊技球の発射が検出された場合、供給又は発射された遊技球の数に相応する数量を持ち球データから減算する処理を実行する。例えば、持ち球データの値が「１２５」であり、遊技球が「１個」発射されたことが検出された場合、「１２５」から「１」を減算する処理を実行して、最終的に持ち球データの値を「１２４」に更新する処理を実行する。
【００６７】
（１０）上記（４）の発射持ち球管理ユニットは、上記（５）の遊技制御ユニットから入賞データを受信した場合、受信した入賞データに相応する数量を持ち球データに加算する処理を実行する。例えば、持ち球データの値が「１２４」であり、入賞データの値が「３」である場合、「１２４」に「３」を加算する処理を実行して、最終的に持ち球データの値を「１２７」に更新する処理を実行する。
【００６８】
このように、本解決手段によれば、外部の遊技球供給装置（島設備、球送り装置）から遊技球を直接受給して発射し、発射された全ての遊技球を排出装置にて回収して機外に排出しているため、遊技球を封入しない遊技機（非封入式の遊技機）を提供することができる。これにより、封入式ゆえに抱える課題（弊害）を無くすことができるとともに、既存の島設備をそのまま流用することができる。また、このような構成を採用することにより、遊技者が遊技球に触れないで遊技を進行させることが可能となり、清潔かつ簡便な遊技形態を実現することができる。
【００６９】
ここで、封入式の遊技機の主な課題を列挙すると、以下の通りとなる。
（Ａ）封入式の遊技機では、それほど多くの遊技球を封入しない（実際には６０個程度の遊技球を遊技機の内部で循環させる）ため、遊技の中断が生じないように、封入経路にて球詰まりが発生しない機構を開発する必要がある。
しかし、現実問題として、まったく球詰まりが発生しない機構を開発するのは不可能ではないにしろ、技術的に困難である。このため、封入式の遊技機では、球詰まりが発生した場合を想定し、遊技者が不利にならないように遊技を停止させる等の対策が必要となるが、この対策が手間となる。また、封入球が正常に循環しているか否かの循環状況を常に把握する必要があるため、多数のセンサが必要となり、賞球装置がない分を差し引いてもコスト的に安くなるとは言い難い。
【００７０】
（Ｂ）封入式の遊技機では、遊技球を循環させる機構や、遊技球を研磨する機構が、遊技台毎に必要となり、その分の製造コストが上昇する。特に、遊技球を研磨する機構については、研磨布の交換等といったように定期的なメンテナンスを全台数分行わなければならないため、人的コストも上昇するという問題がある。
【００７１】
（Ｃ）封入式の遊技機では、遊技機の内部に遊技球を封入するため、封入球を小径球に入れ替えて入賞率を上昇させるといった球入れ替えゴトが想定され、それに対応するゴト対策が必要となる。
【００７２】
（Ｄ）一方、封入式の遊技機は、遊技球を内部で循環させる方式であるため、既存の島設備（島還元機等）は不要になるという利点がある。このため、理論上は、既存の島設備はすべて撤去してもよいとも思われるが、現実的にはそう簡単にはいかない。これは、今後、封入式の遊技機が市場に投入される段階になったとしても、従来の遊技機が一度にすべて撤去されるのではなく、ある程度の段階を経て徐々に封入式の遊技機に移行していくことが想定されるという理由による。
【００７３】
このように、段階的に封入式の遊技機に置き換わっていく場合、従来の遊技機と、封入式の遊技機とが混在するステージが必ず存在することになる。そして、この混在状態を許容するためには、既存の島設備を完全に撤去することはできない。そうかといって、封入式の遊技機は、遊技球を内部で循環させる方式となるため、既存の島設備を残しておいても、それを封入式の遊技機に流用することはできず、封入式の遊技機を導入した際には既存の島設備が遊休資産となってしまうという問題がある。
【００７４】
そして、本解決手段では、電子データ式の遊技機でありながら、非封入式の遊技機としているため、封入式ゆえに抱える課題を全て解消することができる。また、このような構成を採用することにより、遊技者が遊技球に触れないで遊技を進行させることが可能となり、清潔かつ簡便な遊技形態を実現することができる。さらに、封入式の遊技機に比べ機外から遊技球が常時補給されるため、遊技盤面等に球詰まりが生じても、発射球が不足することはない。
【００７５】
また、本解決手段では、「貸出数」、「発射数」、「賞球数」といった遊技機に必要な３つの要素を、「球貸しデータ」、「発射データ」、「入賞データ」にそれぞれ対応させており、これらのデータに基づいて持ち球データを管理しているため、電子データで遊技結果を管理することができる。これにより、遊技球の誤差球（ＩＮ／ＯＵＴの不一致）を無くすことができ、遊技結果を完全に電子化させた遊技機を提供することができる。
【００７６】
また、電子化させた遊技機を提供することにより、従業員の業務の大半を占めるドル箱の運搬、計数、確認の作業が不要となり、人件費を大幅に削減することができる。
さらに、電子データで遊技結果を管理しているため、賞球が不要となり、島設備全体で循環保持する遊技球の数を減少させることができ、しかも既存の島設備のメンテナンスも容易となる。
【００７７】
その上、仮に封入式の遊技機の市場導入が推進された場合、従来の遊技機と、封入式の遊技機とが混在するステージが必ず存在することになるが、本解決手段の遊技機は、電子データ式の遊技機でありながら、既存の島設備を流用することができるので、従来の遊技機と、封入式の次世代の遊技機との間を橋渡しする役目を果たすことができ、市場導入時におけるトラブルが発生しにくい遊技機を提供することができる。
【００７８】
しかも、本解決手段では、電子データで遊技結果を管理する遊技機となるため、戻り球が発生しにくい発射装置が必要となるが、上述した解決手段にて説明した発射装置を用いることにより、このような電子化された遊技機に最適な発射装置を提供することができる。
【発明の効果】
【００７９】
本発明の遊技機によれば、より一層戻り球が発生しにくい構成を提供することができる。
【図面の簡単な説明】
【００８０】
【図１】パチンコ機の正面図である。
【図２】パチンコ機の背面図である。
【図３】遊技盤ユニットを単独で示した正面図である。
【図４】遊技盤ユニットの一部を拡大して示す正面図である。
【図５】往復回転式投球機構を利用した発射装置の構成の詳細を示す図である。
【図６】往復回転式投球機構を利用した発射装置の動作の詳細を示す図である（その１）。
【図７】往復回転式投球機構を利用した発射装置の動作の詳細を示す図である（その２）。
【図８】往復直進式打球機構を利用した発射装置の構成の詳細を示す図である。
【図９】往復直進式打球機構を利用した発射装置の動作の詳細を示す図である（その１）。
【図１０】往復直進式打球機構を利用した発射装置の動作の詳細を示す図である（その２）。
【図１１】球送り装置ユニットから発射装置に遊技球を供給する際の第１の供給例を示す図である。
【図１２】球送り装置の構成及び動作の詳細を示す図である。
【図１３】球送り装置ユニットから発射装置に遊技球を供給する際の第２の供給例を示す図である。
【図１４】発射装置の取り付け例を示す図である。
【図１５】パチンコ機と周辺機器との接続関係を示す図である。
【図１６】パチンコ機と島設備との関係を示す図である。
【図１７】パチンコ機に装備された各種の電子機器類を示すブロック図である。
【図１８】リセットスタート処理の手順例を示すフローチャート（１／２）である。
【図１９】リセットスタート処理の手順例を示すフローチャート（２／２）である。
【図２０】電源断発生チェック処理の手順例を具体的に示すフローチャートである。
【図２１】割込管理処理の手順例を示すフローチャートである。
【図２２】スイッチ入力イベント処理の手順例を示すフローチャートである。
【図２３】第１特別図柄記憶更新処理の手順例を示すフローチャートである。
【図２４】第２特別図柄記憶更新処理の手順例を示すフローチャートである。
【図２５】取得時演出判定処理の手順例を示すフローチャートである。
【図２６】特別図柄遊技処理の構成例を示すフローチャートである。
【図２７】特別図柄変動前処理の手順例を示すフローチャートである。
【図２８】はずれ時変動パターン選択テーブルの一例を示す図である。
【図２９】第１特別図柄大当り時停止図柄選択テーブルの構成列を示す図である。
【図３０】第２特別図柄大当り時停止図柄選択テーブルの構成列を示す図である。
【図３１】大当り時変動パターン選択テーブルの一例を示す図である。
【図３２】特別図柄記憶エリアシフト処理の手順例を示すフローチャートである。
【図３３】特別図柄停止表示中処理の手順例を示すフローチャートである。
【図３４】表示出力管理処理の構成例を示すフローチャートである。
【図３５】可変入賞装置管理処理の構成例を示すフローチャートである。
【図３６】大入賞口開放パターン設定処理の手順例を示すフローチャートである。
【図３７】大入賞口開閉動作処理の手順例を示すフローチャートである。
【図３８】大入賞口閉鎖処理の手順例を示すフローチャートである。
【図３９】終了処理の手順例を示すフローチャートである。
【図４０】発射管理処理の手順例を示すフローチャートである。
【図４１】持ち球データ加算処理の手順例を示すフローチャートである。
【図４２】発射制御処理の手順例を示すフローチャートである。
【図４３】供給確認処理の手順例を示すフローチャートである。
【図４４】カードユニット処理の手順例を示すフローチャートである。
【図４５】カードユニットと発射持ち球管理装置と主制御装置との間で実行される制御処理の流れを示すシーケンス図である。
【図４６】特別図柄の変動表示及び停止表示に対応させた演出画像の例を示す連続図である。
【図４７】大当り（当選）時に実行されるリーチ演出の流れを示す連続図である。
【図４８】「６ラウンド確変図柄１」に該当した場合の大当り遊技中に実行される大役中演出の例を部分的に示す連続図である。
【図４９】「１５ラウンド確変図柄」に該当した場合の大当り遊技中に実行される大役中演出の例を部分的に示す連続図である。
【図５０】パチンコ機及びカードユニットによる遊技の流れを示す連続図である（１／８）。
【図５１】パチンコ機及びカードユニットによる遊技の流れを示す連続図である（２／８）。
【図５２】パチンコ機及びカードユニットによる遊技の流れを示す連続図である（３／８）。
【図５３】パチンコ機及びカードユニットによる遊技の流れを示す連続図である（４／８）。
【図５４】パチンコ機及びカードユニットによる遊技の流れを示す連続図である（５／８）。
【図５５】パチンコ機及びカードユニットによる遊技の流れを示す連続図である（６／８）。
【図５６】パチンコ機及びカードユニットによる遊技の流れを示す連続図である（７／８）。
【図５７】パチンコ機及びカードユニットによる遊技の流れを示す連続図である（８／８）。
【図５８】演出制御処理の手順例を示すフローチャートである。
【図５９】作動記憶演出管理処理の手順例を示すフローチャートである。
【図６０】演出図柄管理処理の手順例を示すフローチャートである。
【図６１】演出図柄変動前処理の手順例を示すフローチャートである。
【図６２】第２実施形態のパチンコ機の構成について示す図である。
【図６３】第２実施形態のパチンコ機における遊技球の流れについて説明するための図である。
【図６４】第２実施形態のパチンコ機に装備された各種の電子機器類を示すブロック図である。
【発明を実施するための形態】
【００８１】
以下、本発明の実施形態について、図面を参照しながら説明する。
図１は、パチンコ遊技機（以下、「パチンコ機」と略称する。）１の正面図である。また、図２は、パチンコ機１の背面図である。パチンコ機１は、遊技球を遊技媒体として用いるものであり、遊技者は、遊技場運営者から遊技球を借り受けてパチンコ機１による遊技を行う。ここで、本実施形態のパチンコ機１は、電子データ式の遊技機であるため、借り受けた遊技球が遊技者の手元に直接渡ることはなく、借り受けた遊技球の数を示す持ち球データが遊技機の内部や有価媒体（例えば磁気記録媒体、記憶ＩＣ内蔵媒体等の一般カードや会員カード）に蓄積される。そして、遊技者は、持ち球データの値が残存している場合（０よりも大きい場合）は、遊技球を発射して遊技を進行させることができる。ただし、持ち球データの値が残存しなくなった場合（０になった場合）には、遊技球の球貸し等を行い、持ち球データの値を増加させる必要がある。なお、パチンコ機１における遊技において、遊技球はその１個１個が遊技価値を有した媒体であり、遊技の成果として遊技者が享受する特典（利益）は、例えば、遊技者が獲得した遊技球の数に基づいて遊技価値に換算することができる。以下、図１及び図２を参照しつつ遊技機の全体構成について説明する。
【００８２】
〔遊技機の全体構成〕
パチンコ機１は、その本体として主に外枠ユニット２、一体扉ユニット４及び内枠アセンブリ７（プラ枠、遊技機枠）を備えている。遊技者に相対する正面からみて、その最も前面側には一体扉ユニット４が位置している。一体扉ユニット４の背面側（奥側）には内枠アセンブリ７が位置しており、内枠アセンブリ７の外側を囲むようにして外枠ユニット２が配置されている。
【００８３】
外枠ユニット２は、木材及び金属材を縦長の矩形状に組み合わせた構造体であり、この外枠ユニット２は、遊技場内の島設備（図示されていない）に対してねじ等の締結具を用いて固定されるものである。なお、縦長矩形状の外枠ユニット２において、上下の短辺に相当する部位には木材が用いられており、左右の長辺に相当する部位には金属材が用いられている。
【００８４】
一体扉ユニット４は、その下部位置に操作表示ユニット６が一体化された構造である。一体扉ユニット４及び内枠アセンブリ７は、外枠ユニット２を介して島設備に取り付けられ、これらはそれぞれ図示しないヒンジ機構を介して開閉式に動作する。図示しないヒンジ機構の開閉軸線は、パチンコ機１の正面からみて左側端部に沿って垂直方向に延びている。
【００８５】
図１中の正面からみて内枠アセンブリ７の右側縁部（図２では左側縁部）には、その内側に統一錠ユニット９が設けられている。また、これに対応して一体扉ユニット４及び外枠ユニット２の右側縁部（裏側）にも、それぞれ図示しない施錠具が設けられている。図１に示されるように、外枠ユニット２に対して一体扉ユニット４及び内枠アセンブリ７が閉じた状態で、その裏側にある統一錠ユニット９は施錠具とともに一体扉ユニット４及び内枠アセンブリ７の開放を不能にしている。
【００８６】
また、操作表示ユニット６の右側縁部には鍵穴付きのシリンダ錠６ａが設けられている。例えば、遊技場の管理者が専用キーを鍵穴に差し込んでシリンダ錠６ａを時計回りに捻ると、統一錠ユニット９が作動して内枠アセンブリ７とともに一体扉ユニット４の開放が可能な状態となる。これら全体を外枠ユニット２から前面側へ開放する（扉のように動かす）と、前面側にてパチンコ機１の裏側が露出することになる。
【００８７】
一方、シリンダ錠６ａを反時計回りに捻ると、内枠アセンブリ７は施錠されたままで一体扉ユニット４の施錠だけが解除され、一体扉ユニット４が開放可能となる。一体扉ユニット４を前面側へ開放すると遊技盤ユニット８が直に露出し、この状態で遊技場の管理者が盤面内での球詰まり等の障害を取り除くことができる。また、一体扉ユニット４を開放すると、操作表示ユニット６も一緒に前面側へ開放される。
【００８８】
また、パチンコ機１は、遊技用ユニットとして上記の遊技盤ユニット８を備えている。遊技盤ユニット８は、一体扉ユニット４の背後（内側）で上記の内枠アセンブリ７に支持されている。遊技盤ユニット８は、例えば一体扉ユニット４を前面側へ開放した状態で内枠アセンブリ７に対して着脱可能である。一体扉ユニット４には、その中央部に縦長円形状の窓４ａが形成されており、この窓４ａ内にガラスユニット（参照符号なし）が取り付けられている。ガラスユニットは、例えば窓４ａの形状に合わせてカットされた２枚の透明板（ガラス板）を組み合わせたものである。ガラスユニットは、一体扉ユニット４の裏側に図示しない取り付け具を介して取り付けられる。遊技盤ユニット８の前面には遊技領域８ａ（盤面）が形成されており、この遊技領域８ａは窓４ａを通じて前面側から遊技者に視認可能である。一体扉ユニット４が閉じられると、ガラスユニットの内面と盤面との間に遊技球が流下できる空間が形成される。
【００８９】
操作表示ユニット６には、その一部に突出部６ｂが形成されており、突出部６ｂは、一体扉ユニット４から前面側へ突出した形状をなしている。なお、本実施形態のパチンコ機１はいわゆるＣＲ機（ＣＲユニットに接続する機種）であるが、電子データ式の遊技機であるため、カードユニット２１０にて遊技球の球貸し処理が実行されても、実際に遊技球が遊技者に払い出されることはない。このため、本実施形態のパチンコ機１には、上皿や下皿等が存在していない。
【００９０】
また、操作表示ユニット６の突出部６ｂの上面中央には、演出切替ボタン４５が設置されている。演出切替ボタン４５は、例えば押し込み式の円形状ボタンとその周囲に回転式のジョグリング（ジョグダイアル）を組み合わせた形態である。遊技者は、この演出切替ボタン４５を押し込み操作又は回転操作することで演出内容（例えば液晶表示器４２に表示される背景画面）を切り替えたり、例えば図柄の変動中や大当りの確定表示中、あるいは大当り遊技中に何らかの演出（予告演出、確変昇格演出、大役中の昇格演出等）を発生させたりすることができる。
【００９１】
さらに、操作表示ユニット６の突出部６ｂの前面には、持ち球データ表示器１２３が配置されており、この持ち球データ表示器１２３には、カードユニット２１０に投入されている有価媒体の残存度数と、パチンコ機１に記憶されている持ち球データの値とが表示される。なお、図示の例では、残存度数として「１００」が表示されており、持ち球データの値として「１１５００」が表示されている。
【００９２】
操作表示ユニット６の右下部には、ハンドルユニット１６（発射ハンドル）が設置されている。遊技者はこのハンドルユニット１６を操作することで発射制御基板セット１７４を作動させ、遊技領域８ａに向けて遊技球を発射する（打ち込む）ことができる（発射装置）。発射された遊技球は、遊技盤ユニット８の左側上端部付近から遊技領域８ａ内に放り込まれる。遊技領域８ａ内には多数の障害釘や風車（図中参照符号なし）等が配置されており、放り込まれた遊技球は障害釘や風車により誘導・案内されながら遊技領域８ａ内を流下する。なお、遊技領域８ａ内（盤面）の構成については、別の図面を参照しながらさらに後述する。
【００９３】
また、操作表示ユニット６の左下部には、カード情報表示装置２００が配置されている。カード情報表示装置２００は、遊技の開始時や終了時、遊技中の休憩時に遊技者が操作するユニットである。
【００９４】
カード情報表示装置２００の下部には、球貸ボタン１０、持ち球ボタン１１、休憩ボタン１２、清算ボタン１３といった複数の操作ボタンが設けられている。
【００９５】
カードユニット２１０（ＣＲユニット）に有価媒体を投入した状態で球貸ボタン１０を遊技者が操作すると、予め決められた度数単位（例えば５度数）に対応する個数（例えば１２５個）が持ち球データに加算される。また、有価媒体に記憶されている持ち球データの値が「０」よりも大きい状態で遊技者が持ち球ボタン１１を押下すると、有価媒体に記憶されている持ち球データの一部又は全部が、パチンコ機１に記憶されている持ち球データに移行する。さらに、遊技者が休憩ボタン１２を押下すると、カード挿入口２１４から休憩カードが排出される。一方、遊技者が清算ボタン１３を操作すると、残りの度数及び持ち球データが書き込まれた有価媒体の返却を受けることができる。この際、単位度数に対応する個数として、あらかじめ消費税分差し引いた数（例えば１１２個）を持ち玉データに加算するようにしてもよい。なお、この差し引き計算は、カードユニット２１０側で行ってもよく、遊技機側（発射持ち球管理装置９２）で行ってもよい。
【００９６】
また、カード情報表示装置２００の上部には、カードユニット２１０に投入されている有価媒体の残存度数や、持ち球データ等を表示するデータ表示部１４が設けられている。
データ表示部１４には、カードユニット２１０に投入されている有価媒体の残存度数と、有価媒体に記憶されている持ち球データの値とが表示される。なお、データ表示部１４には、遊技場の広告や、遊技機の遊技方法、休憩中を示す表示、出球グラフ等の情報を表示してもよい。
ここで、カード情報表示装置２００は、タッチパネル式の入力装置とすることもできる。この場合、データ表示部１４が入力機能と表示機能とを兼用することになるため、複数の操作ボタンは不要になる。
【００９７】
〔カードユニット〕
パチンコ機１の左隣には、カードユニット２１０（球貸し管理装置）が設置されている。
カードユニット２１０は、有価媒体の取込み、有価媒体の返却、有価媒体に対する各種データの読み書き等を行う情報処理装置である。このカードユニット２１０は、パチンコ機１の遊技球等貸出装置接続端子板１２０（通信手段）を介して、パチンコ機１の発射持ち球管理装置９２に接続されている（図１７参照）。そして、カードユニット２１０は、遊技球の球貸しを実行した場合、パチンコ機１に対して球貸しデータコマンドを送信する。
【００９８】
また、カードユニット２１０の上部には、現金投入口２１２が配置されており、遊技者はこの現金投入口２１２から例えば紙幣を投入することができる。投入した紙幣はカードユニット２１０の内部で種類が判別され、紙幣の種類に応じた残存度数が有価媒体に書き込まれる。
【００９９】
さらに、カードユニット２１０の下部には、カード挿入口２１４が配置されており、遊技者はこのカード挿入口２１４に有価媒体を投入したり、カード挿入口２１４から排出される有価媒体を受け取ったり、休憩カードを出し入れしたりすることができる。
【０１００】
〔枠前面の構成〕
一体扉ユニット４には、演出用の構成要素として左トップレンズユニット４７及び右上電飾ユニット４９が設置されている。このうち左トップレンズユニット４７にはガラス枠トップランプ４６及び左側のガラス枠装飾ランプ４８が組み込まれており、右上電飾ユニット４９には右側のガラス枠装飾ランプ５０が組み込まれている。その他にも一体扉ユニット４には、左トップレンズユニット４７及び右上電飾ユニット４９の下方にそれぞれ連なるようにして左右のガラス枠装飾ランプ５２が設置されており、これらガラス枠装飾ランプ５２は、一体扉ユニット４の左右縁部から操作表示ユニット６の突出部６ｂまで延びている。一体扉ユニット４においてガラス枠トップランプ４６や左右のガラス枠装飾ランプ４８，５０，５２等は、ガラスユニット（参照符号なし）を取り巻くようにして配置されている。
【０１０１】
上述した各種ランプ４６，４８，５０，５２は、例えば内蔵するＬＥＤの発光（点灯や点滅、輝度階調の変化、色調の変化等）により演出を実行する。また、一体扉ユニット４の上部において、左トップレンズユニット４７及び右上電飾ユニット４９にはそれぞれガラス枠上スピーカ５４，５５が組み込まれている。一方、ハンドルユニット１６の左下位置には外枠スピーカ５６が組み込まれている。これらスピーカ５４，５５，５６は、効果音やＢＧＭ、音声等（音響全般）を出力して演出を実行するものである。
【０１０２】
〔裏側の構成〕
図２に示されているように、パチンコ機１の裏側には、電源制御ユニット１６２や主制御基板ユニット１７０、球送り装置ユニット１７２、発射球整列通路１７３ａ、発射球供給通路１７３ｂ、発射制御基板セット１７４、発射持ち球管理基板ユニット１７６、裏カバーユニット１７８等が設置されている。この他にパチンコ機１の裏側には、パチンコ機１の電源系統や制御系統を構成する各種の電子機器類（図示しない制御コンピュータを含む）や電源コード（電源プラグ）１６４、アース線（アース端子）１６６、図示しない接続配線等が設置されている。なお、電子機器類については別のブロック図（図１７）に基づいてさらに後述する。また、カードユニットについては図示を省略している。
【０１０３】
上記の球送り装置ユニット１７２は、例えば貯留タンク１７２ａ（発射球受給装置）及び貯留ケース（参照符号なし）を有しており、このうち貯留タンク（発射球受け入れタンク）１７２ａは内枠アセンブリ７の上縁部（裏側）に設置された状態で、図示しない補給経路から補給された遊技球を蓄えることができる。貯留タンク１７２ａに蓄えられた遊技球は、発射球整列通路１７３ａ及び発射球供給通路１７３ｂを経由して発射装置３００（図３参照）に導かれる。
【０１０４】
電源コード１６４は、例えば遊技場の島設備に設置された電源装置（例えばＡＣ２４Ｖ）に接続されることで、パチンコ機１の動作に必要な電源（電力）を確保するものである。また、アース線１６６は、同じく島設備に設置されたアース端子に接続されることで、パチンコ機１のアース（接地）を確保するものである。
【０１０５】
〔盤面の構成〕
図３は、遊技盤ユニット８を単独で示した正面図である。遊技領域８ａ内には、その中央位置に比較的大型の演出ユニット４０が配置されており、この演出ユニット４０を中心として遊技領域８ａが左側部分、右側部分及び下部分に大きく分かれている。また、遊技領域８ａ内には、演出ユニット４０の周辺に上始動入賞口２６、始動ゲート２０、普通入賞口２２，２５、可変始動入賞装置２８、可変入賞装置３０等が分布して設置されている。このうち上始動入賞口２６と可変始動入賞装置２８は遊技領域８ａの下部分の中央にそれぞれ上下に配置されており、始動ゲート２０は遊技領域８ａの右側部分に配置されている。また、３つの普通入賞口２２は遊技領域８ａの左側部分でその下寄りに配置されている。残るもう１つの普通入賞口２５は、遊技領域８ａの右側部分に配置されている。また、可変入賞装置３０は遊技領域８ａの右側部分でその下寄りに配置されている。
【０１０６】
遊技領域８ａ内に放り込まれた遊技球は、その流下の過程で始動ゲート２０を通過したり、上始動入賞口２６、普通入賞口２２，２５に入球したり、あるいは、作動時の可変始動入賞装置２８や開放動作時の可変入賞装置３０に入球したりする。遊技領域８ａの左側領域を流下する遊技球は、主に上始動入賞口２６に入球するか、もしくは普通入賞口２２に入球する可能性がある。遊技領域８ａの右側領域を流下する遊技球は、主に始動ゲート２０を通過するか、普通入賞口２５に入球するか、開放動作時の可変入賞装置３０に入球するか、もしくは作動時の可変始動入賞装置２８に入球する可能性がある。始動ゲート２０を通過した遊技球は続けて遊技領域８ａ内を流下するが、上始動入賞口２６、普通入賞口２２，２５、可変始動入賞装置２８、可変入賞装置３０に入球した遊技球は遊技板（遊技盤ユニット８を構成する合板材、透明板等）に形成された貫通穴を通じて遊技盤ユニット８の裏側へ回収される。
【０１０７】
ここで、始動ゲート２０は、遊技領域８ａの右側領域に配置されている。このため、本実施形態では遊技領域８ａ（盤面）の構成上、始動ゲート２０に遊技球を通過させる場合や、可変入賞装置３０に遊技球を入球させる場合、可変始動入賞装置２８に遊技球を入球させる場合、遊技領域８ａ内の右側部分の領域（右打ち領域）に遊技球を打ち込む（いわゆる「右打ち」を実行する）必要がある。
【０１０８】
本実施形態において、上記の可変始動入賞装置２８は、所定の作動条件が満たされた場合（普通図柄が当りの態様で所定の停止表示時間にわたり停止表示された場合）に作動し、それに伴って下始動入賞口２８ａへの入球を可能にする（普通電動役物）。可変始動入賞装置２８は、例えば左右一対の開閉部材２８ｂを有しており、これら開閉部材２８ｂは、例えば図示しないソレノイドを用いたリンク機構の働きにより、盤面に沿って左右方向に往復動作する。すなわち、図３中に実線で示されるように、左右の開閉部材２８ｂは各先端が上を向いた状態で閉止位置にあり、このとき下始動入賞口２８ａへの入球は不能（遊技球が入球できる隙間がない状態）となっている。一方、可変始動入賞装置２８が作動すると、左右の開閉部材２８ｂはそれぞれ閉止位置から開放位置に向けて変位（拡開）し、左右に開口幅を拡大して下始動入賞口２８ａを開放する。この間に可変始動入賞装置２８は遊技球の入球が可能な状態となり、下始動入賞口２８ａへの入球を発生させることができる（可変始動入賞手段）。なお、このとき開閉部材２８ｂは始動入賞口２８ａへの遊技球の入球を案内する部材としても機能する。また、遊技盤ユニット８に設置されている障害釘の配列は、基本的に可変始動入賞装置２８（開放時の下始動入賞口２８ａ）へ向かう遊技球の流下を極端に阻害しない態様となっているが、遊技球が開放動作時の可変始動入賞装置２８（下始動入賞口２８ａ）に必ず入球するというわけではなく、あくまで入球は無作為に発生する。
【０１０９】
また、上記の可変入賞装置３０は、規定の条件が満たされた場合（特別図柄が非当選以外の態様で停止表示された場合）に作動し、大入賞口（参照符号なし）への入球を可能にする（特別電動役物、特別入賞事象発生手段）。可変入賞装置３０は、例えば１つの開閉部材３０ａを有しており、この開閉部材３０ａは、例えば図示しないソレノイドを用いたリンク機構の働きにより、盤面に対して前後方向に往復動作する。図示のように盤面に沿った状態で開閉部材３０ａは閉位置（閉止状態）にあり、このとき大入賞口への入球は不能（大入賞口は閉塞中）である。可変入賞装置３０が作動すると、開閉部材３０ａがその下端縁部分をヒンジとして前方へ倒れ込むようにして変位し、大入賞口を開放する（開放状態）。この間に可変入賞装置３０は遊技球の流入が不能ではない状態となり、大入賞口への入球という事象を発生させることができる。なお、このとき開閉部材３０ａは大入賞口への遊技球の流入を案内する部材としても機能する。
【０１１０】
その他、遊技領域８ａ内にはアウト口３２が形成されており、各入賞口に入球しなかった遊技球は最終的にアウト口３２を通じて遊技盤ユニット８の裏側へ回収される。また、普通入賞口２２，２５や可変始動入賞装置２８（下始動入賞口２８ａ）、可変入賞装置３０（大入賞口）に入球した遊技球も含めて、遊技領域８ａ内に打ち込まれた全ての遊技球は遊技盤ユニット８の裏側へ回収される。回収された遊技球は、図示しないアウト通路アセンブリ（排出装置）を通じてパチンコ機１の裏側から枠外へ排出され、さらに図示しない島設備の補給経路に合流する。
【０１１１】
また、遊技盤ユニット８の左上方部分には、遊技領域８ａに向けて遊技球を発射する発射装置３００が取り付けられている。発射装置３００は、遊技領域８ａの上下方向における上端側に配置されており、遊技領域８ａに対して略水平方向に遊技球を発射する。なお、発射装置３００の構成の詳細は後述する。ここで、略水平方向とは、完全な水平方向のみならず、概ね水平方向であることも含まれる。どの程度までが略水平方向に含まれるかは、発射装置の配置や構成にもよるが、少なくとも発射後の遊技球が発射装置から自由落下することができる範囲（例えば、右上方４０度程度、好ましくは右上方３０度程度、より好ましくは右上方１５度程度）までは略水平方向に含まれる。
【０１１２】
〔遊技盤ユニットのその他の構成〕
演出ユニット４０は、その上縁部４０ａが遊技球の流下方向を変化させる案内部材として機能する他、その内側に各種の装飾部品４０ｂ，４０ｃ，４０ｋ，４０ｍを備えている。装飾部品４０ｂ，４０ｃ，４０ｋ，４０ｍはその立体的な造形により遊技盤ユニット８の装飾性を高めるとともに、例えば内蔵された発光器（ＬＥＤ等）により透過光を発することで、演出的な動作をすることができる。また、演出ユニット４０の内側には液晶表示器４２（画像表示器）が設置されており、この液晶表示器４２には特別図柄に対応させた演出図柄をはじめ、各種の演出画像が表示される。このように遊技盤ユニット８は、その盤面の構成（図示しないセル板のデザイン）や演出ユニット４０の装飾性に基づいて、遊技者にパチンコ機１の特徴を印象付けている。
【０１１３】
演出ユニット４０の左側縁部には球案内通路４０ｄが形成されており、その下縁部には転動ステージ４０ｅが形成されている。球案内通路４０ｄは遊技領域８ａ内にて左斜め上方に開口しており、遊技領域８ａ内を流下する遊技球が無作為に球案内通路４０ｄ内に流入すると、その内部を通過して転動ステージ４０ｅ上に放出される。転動ステージ４０ｅは例えば上下２段に形成されており、このうち上段が遊技者からみて奥に位置し、下段が遊技者からみて手前に位置する。上下２段とも、それぞれ転動ステージ４０ｅの上面は滑らかな湾曲面を有しており、ここでは遊技球が左右方向に転動自在である。転動ステージ４０ｅ上で転動した遊技球は、やがてその下段から下方の遊技領域８ａ内に流下する。
【０１１４】
また、転動ステージ４０ｅの略中央位置には流入通路４０ｇが形成されており、この流入通路４０ｇには上段の転動ステージ４０ｅから遊技球が無作為に流入し得る。流入通路４０ｇは演出ユニット４０の下縁部を下方に延びた後、手前側へＬ字形状に屈曲して形成されており、その終端に球放出口４０ｈが形成されている。球放出口４０ｈは前面に向けて開口しており、その開口位置が上始動入賞口２６の真上に位置している。このため転動ステージ４０ｅ上から流入通路４０ｇ内に流入した遊技球は、球放出口４０ｈから放出されて、その真下にある上始動入賞口２６を通過しやすくなる（ただし、常に通過するわけではない。）。
【０１１５】
その他に演出ユニット４０には、演出用の可動体４０ｆ（例えばハート形の装飾物）とともに図示しない駆動源（例えばモータ、ソレノイド等）が付属している。演出用の可動体４０ｆは、液晶表示器４２による画像を用いた演出や発光器による演出に加えて、有形物の動作を伴う演出を実行することができる。このような可動体４０ｆを用いた演出により、二次元の画像を用いた演出とは別の訴求力を発揮することができる。
【０１１６】
図４は、遊技盤ユニット８の一部（窓４ａ内の右下位置）を拡大して示す正面図である。すなわち遊技盤ユニット８には、例えば窓４ａ内の右下位置に普通図柄表示装置３３及び普通図柄作動記憶ランプ３３ａが設けられている他、第１特別図柄表示装置３４、第２特別図柄表示装置３５、第１特別図柄作動記憶ランプ３４ａ、第２特別図柄作動記憶ランプ３５ａ及び遊技状態表示装置３８が設けられている（普通図柄表示手段、特別図柄表示手段、抽選要素記憶手段）。
【０１１７】
このうち普通図柄表示装置３３は、例えば２つのランプ（ＬＥＤ）を交互に点灯させて普通図柄を変動表示し、そしてランプの点灯又は消灯により普通図柄を停止表示する。普通図柄作動記憶ランプ３３ａは、例えば２つのランプ（ＬＥＤ）の消灯又は点灯、点滅の組み合わせによって０〜４個の記憶数を表示する。例えば、２つのランプをともに消灯させた表示態様では記憶数０個を表示し、１つのランプを点灯させた表示態様では記憶数１個を表示し、同じ１つのランプを点滅させた表示態様では記憶数２個を表示し、１つのランプの点滅に加えてもう１つのランプを点灯させた表示態様では記憶数３個を表示し、そして２つのランプをともに点滅させた表示態様では記憶数４個を表示する、といった具合である。なお、ここでは２つのランプ（ＬＥＤ）を使用することとしているが、４つのランプ（ＬＥＤ）を使用して普通図柄作動記憶ランプ３３ａを構成してもよい。この場合、点灯するランプの個数で作動記憶数を表示することができる。
【０１１８】
普通図柄作動記憶ランプ３３ａは、上記の始動ゲート２０を遊技球が通過すると、その都度、作動抽選の契機となる通過が発生したことを記憶する意味で１個ずつ増加後の表示態様へと変化していき（最大４個まで）、その通過を契機として普通図柄の変動が開始されるごとに１個ずつ減少後の表示態様へと変化していく。なお、本実施形態では、普通図柄作動記憶ランプ３３ａが未点灯（記憶数が０個）の場合、普通図柄が既に変動開始可能な状態（停止表示時）で始動ゲート２０を遊技球が通過しても表示態様は変化しない。すなわち、普通図柄作動記憶ランプ３３ａの表示態様によって表される記憶数（最大４個）は、その時点で未だ普通図柄の変動が開始されていない通過の回数を表している。
【０１１９】
また、第１特別図柄表示装置３４及び第２特別図柄表示装置３５は、例えば７セグメントＬＥＤ（ドット付き）により特別図柄の変動状態と停止状態とを表示することができる（図柄表示手段、第１図柄表示手段、第２図柄表示手段）。その他、特別図柄表示装置３４は複数のドットＬＥＤを幾何学的（例えば円形状）に配列した形態であってもよい。
【０１２０】
また、第１特別図柄作動記憶ランプ３４ａ及び第２特別図柄作動記憶ランプ３５ａは、例えばそれぞれ２つのランプ（ＬＥＤ）の消灯又は点灯、点滅の組み合わせで構成される表示態様により、それぞれ０〜４個の記憶数を表示する（記憶数表示手段）。例えば、２つのランプをともに消灯させた表示態様では記憶数０個を表示し、１つのランプを点灯させた表示態様では記憶数１個を表示し、同じ１つのランプが点滅させた表示態様では記憶数２個を表示し、１つのランプの点滅に加えてもう１つのランプを点灯させた表示態様では記憶数３個を表示し、そして、２つのランプをともに点滅させた表示態様では記憶数４個を表示する、といった具合である。
【０１２１】
第１特別図柄作動記憶ランプ３４ａは、上記の上始動入賞口２６に遊技球が入球するごとに、入球が発生したことを記憶する意味で１個ずつ増加後の表示態様へと変化していき（最大４個まで）、その入球を契機として特別図柄の変動が開始されるごとに１個ずつ減少後の表示態様へと変化していく。また、第２特別図柄作動記憶ランプ３５ａは、上記の可変始動入賞装置２８（下始動入賞口）に遊技球が入球するごとに、入球が発生したことを記憶する意味で１個ずつ増加後の表示態様へと変化し（最大４個まで）、その入球を契機として特別図柄の変動が開始されるごとに１個ずつ減少後の表示態様へと変化する。なお、本実施形態では、第１特別図柄作動記憶ランプ３４ａが未点灯（記憶数が０個）の場合、第１特別図柄が既に変動開始可能な状態（停止表示時）で上始動入賞口２６に遊技球が入球しても表示態様は変化しない。また、第２特別図柄作動記憶ランプ３５ａが未点灯（記憶数が０個）の場合、第２特別図柄が既に変動開始可能な状態（停止表示時）で可変始動入賞装置２８（下始動入賞口）に遊技球が入球しても表示態様は変化しない。すなわち、各特別図柄作動記憶ランプ３４ａ，３５ａの表示態様により表される記憶数（最大４個）は、その時点で未だ第１特別図柄又は第２特別図柄の変動が開始されていない入球の回数を表している。
【０１２２】
また、遊技状態表示装置３８には、例えば、確率変動状態表示ランプ３８ａ、時短状態表示ランプ３８ｂ、大当り種別表示ランプ３８ｃ，３８ｄ、発射位置指定表示ランプ３８ｅにそれぞれ対応する５つのＬＥＤが含まれている。なお、本実施形態では、上述した普通図柄表示装置３３や普通図柄作動記憶ランプ３３ａ、第１特別図柄表示装置３４、第２特別図柄表示装置３５、第１特別図柄作動記憶ランプ３４ａ、第２特別図柄作動記憶ランプ３５ａ及び遊技状態表示装置３８が１枚の統合表示基板８９に実装された状態で遊技盤ユニット８に取り付けられている。
【０１２３】
図５は、往復回転式投球機構を利用した発射装置３００の構成の詳細を示す図である。
発射装置３００は、往復回転式投球機構（スイングアーム方式）により、遊技領域に遊技球を発射する装置である。
発射装置３００は、駆動源となる発射モータ３０２を備えており、発射モータ３０２は、ステッピングモータ、ロータリーソレノイド、スウィングモータ等を適用することができる。
発射モータ３０２は、出力軸となる回転軸３０４を有し、回転軸３０４には、被駆動部材となる発射アーム３０６が接続されている。
【０１２４】
発射アーム３０６は、アーム状の部材であり、一端には回転軸３０４が接続され、他端には発射球を保持する凹状の発射球保持部３０８が形成されている。
図５中（Ｂ）に示すように、発射アーム３０６の発射球保持部３０８は、内部がくり抜かれたお椀型の形状であり、かつ、内面が円弧状となっており、遊技球を１つだけ収容することができる。また、図５中（Ａ）の二点鎖線で示すように、発射アーム３０６が起立した状態において、発射球保持部３０８の内面下側壁は遊技球の自由落下を促すために下り傾斜の連続斜面となっており、発射球保持部３０８の内面上側壁は遊技球の発射方向がやや上向きになるように、なめらかな連続曲面を形成している。発射球保持部３０８は、発射前の遊技球を待機させる発射球待機部を兼ねているため、毎回の発射動作が安定し、発射の精度を向上させることができる。
発射アーム３０６は、発射モータ３０２が駆動することにより、例えば６００ｍｓ間隔で連続して円弧方向に回転往復運動をすることができる。発射アーム３０６は、往路駆動待機時に位置する待機位置で発射球を受け入れて保持し、発射モータ３０２の駆動により往復駆動された往路終端位置（図中の実線で示す位置）にて発射球保持部３０８で保持している発射球を遊技球通路３１２の空間又は自由落下通路３２４に放出して遊技球を発射する。
【０１２５】
また、発射装置３００の基台３２２における中央左下の位置（発射球保持部３０８の上方の位置）には、遊技球供給孔３１０が形成されており、遊技球供給孔３１０からは遊技球が１つずつ供給され、発射球保持部３０８に送られる。
さらに、発射装置３００の右側中央には、発射アーム３０６により発射される発射球が通過する遊技球通路３１２（発射通路）が形成されており、遊技球通路３１２は、基台３２２内に横向きにくり抜き形成されている。
遊技球通路３１２は、発射アーム３０６の往路終端位置（図中矢印Ａに対応する位置）から発射球を受け入れて発射口３１８に発射球を導く通路である。また、遊技球通路３１２（遊技球通路３１２の下側壁）は、発射球を受け入れた後に発射球に与えられた力が十分でない場合には自由落下により発射球を遊技領域に放出する自由落下通路３２４により構成されている。
【０１２６】
遊技球通路３１２の入口の上下部分には、発射アーム停止部材３１４が配置されており、発射アーム停止部材３１４は、発射アーム３０６の回転を停止するための部材であり、２種類の役割を果たす。１つ目の役割は、発射アーム３０６の回転力を受け止める役割であり、２つ目の役割は、発射アーム３０６の回転方向の停止位置を正確に規定（位置決め）する役割である。そのため、２箇所に設けた発射アーム停止部材３１４の下側を例えば衝撃吸収性能に秀でたゴムやスポンジ等の部材で衝撃緩衝用に設置し、上部の部材を変形が少なく、基準位置出しを精度よく行えかつ耐摩耗性に優れた硬質ゴム等にすることで必要要件を満足させることができる。この場合、下側の衝撃吸収用の部材が先に発射アーム３０６に接して回転力を弱めた後、上部の基準位置出し用の発射アーム停止部材に当接するように、発射アーム停止部材３１４の形状及び配置を考慮することが好ましい。例えば、上部の基準位置出し用の発射アーム停止部材よりも下側の衝撃吸収用の部材のサイズを大きくしたり、上部の基準位置出し用の発射アーム停止部材よりも下側の衝撃吸収用の部材を発射アーム３０６側に突き出して配置させたりすることができる。なお、本実施形態では、発射モータ３０２を回転させて発射アーム３０６を発射アーム停止部材３１４に突き当てる構成であるが、発射アーム３０６の起立位置で電磁ブレーキにより完全停止するように構成すれば、発射アーム停止部材３１４を省略することができる。また、このような発射アーム停止部材３１４を配置することにより、発射装置３００の静音化を実現することができる。
【０１２７】
また、遊技球通路３１２の中央付近には、発射装置３００により遊技球が発射されたことを検出する遊技球発射検出センサ３１６（発射検出手段）が配置されており、発射装置３００により遊技球が発射された場合、遊技球発射検出センサ３１６により遊技球の発射が検出される。遊技球発射検出センサ３１６には、様々なセンサを適用することができるが、フォトカプラや、検出コイルのインピーダンスの変化によって遊技球の通過を検出するスイッチ等を適用することができる。
【０１２８】
遊技球通路３１２の出口（終端位置）には、遊技領域に対して発射球を送り出す発射口３１８が形成されており、発射口３１８は発射装置３００の右側に開口している。このため、発射装置３００により遊技球が発射された場合、遊技球は、遊技領域に対して略水平方向に発射される。
【０１２９】
また、発射口３１８の外側には、発射口３１８を塞ぐように、戻り球防止弁３２０が配置されている。この戻り球防止弁３２０は、遊技領域に発射された遊技球が発射装置３００に戻ってくること（逆戻りすること）を防止している。なお、戻り球防止弁は、図５中（Ａ）に示すような板バネを用いた戻り球防止弁３２０であってもよく、図５中（Ｃ）に示すような板ドアを用いた戻り球防止弁３２１であってもよい。
【０１３０】
また、基台３２２には、発射モータ３０２、発射アーム３０６、遊技球供給孔３１０、遊技球通路３１２、発射アーム停止部材３１４、遊技球発射検出センサ３１６、発射口３１８、及び戻り球防止弁３２０が取り付けられているため、発射装置３００をユニット化（部品化）することができる。
【０１３１】
ここで、図５中（Ｄ）に示すように、発射装置３００は、遊技領域に対して傾けて配置することもできる。このようにしても、発射装置３００は、遊技領域に対して略水平方向に遊技球を発射することができる。発射装置３００は、遊技領域の上下方向における上端側に配置されているため、発射球保持部３０８の形状が回転終端で遊技球を自由落下させる形状であれば、水平でなくても戻り球のない発射装置を構成することができる。すなわち、発射方向ベクトルは水平でなくても（例えば右上方３０度程度でも）、発射球保持部３０８の形状により回転停止端で遊技球を自由落下させることができる。なお、発射装置３００は、右上方４０度程度まで傾斜させてもよく、右上方１５度程度までの傾斜とすれば戻り球の発生をより抑止することができる。また、発射装置３００は、右下方向に傾斜させてもよい。このようにすれば、遊技球の自由落下をより促進させることができる。
【０１３２】
このように、本実施形態によれば、発射装置３００における発射系に関する部品を一体化しているため、組み立ての簡略化や部品管理の簡素化を図ることができる。
【０１３３】
ここで、発射アーム３０６の往路終端（図中矢印Ａに対応する位置）から発射口３１８までの間であって通路形成可能領域（空間以外の部分）には、自由落下通路３２４が形成されている。自由落下通路３２４は、遊技球通路３１２に遊技球が停滞した際に遊技球の自由落下により停滞している遊技球を遊技領域に放出する下り傾斜の通路である。また、発射アーム３０６の往路終端（図中矢印Ａに対応する位置）は、遊技球通路３１２の入口の手前に位置しており、自由落下通路３２４は、遊技球通路３１２の全長にわたって設けられている。
【０１３４】
図６及び図７は、往復回転式投球機構を利用した発射装置３００の動作の詳細を示す図である。
ここで、図６は、発射装置３００から通常の強度範囲で遊技球が発射された場合の例を示しており、図７は、発射装置３００から最弱の強度で遊技球が発射された場合の例を示している。
【０１３５】
図６中（Ａ）に示すように、遊技球を発射する前の待機状態では、発射アーム３０６は倒れた状態となっている。
この状態で球送り装置５００（図１１参照）が作動すると、図６中（Ｂ）に示すように、遊技球が１つだけ遊技球供給孔３１０から放出され、発射球保持部３０８に供給される。
【０１３６】
そして、図６中（Ｃ）に示すように、発射球保持部３０８に遊技球が保持された状態で発射モータ３０２が駆動すると、回転軸３０４とともに発射アーム３０６が時計回りに９０度回転して起立した状態となり、その勢いで遊技球が発射球保持部３０８から遊技球通路３１２に向かって飛び出す。なお、発射モータ３０２の回転速度によって発射アーム３０６が垂直となるリリースポイントでの発射球の初速が決まり、これにより発射球の発射強度が決まる。また、遊技球は遊技球通路３１２を通過するため、遊技球発射検出センサ３１６により遊技球の通過が検出される。なお、発射モータ３０２の回転速度、すなわち発射強度は、発射モータ３０２のＰＷＭ駆動のデューティ比調整等による電力制御で行われる。
【０１３７】
その後、図６中（Ｄ）に示すように、遊技球は発射口３１８から遊技領域に放出されることになるが、発射口３１８から放出される際には戻り球防止弁３２０を押しのけて遊技領域に進行する。一方、発射アーム３０６は、起立した位置（発射位置）で所定時間（例えば０．１〜０．３秒程度）にわたり保持される。
ここで、発射アーム３０６が終端位置に到達した後、遊技球はその初速を維持して遊技領域に発射されることになるが、発射強度がある一定以上となる場合、発射球は、発射アーム３０６の回転方向における発射球保持部３０８の底部から、遠心力により、短いながらも発射アーム３０６の発射球保持部３０８の内面上側壁に押しつけられながら遊技領域に放出される。すなわち、その発射方向のベクトルは、発射強度（遠心力）と、発射装置３００の傾斜角度と、発射アーム３０６の内面上側壁の形状に依存して決定される。このように、発射アーム３０６の形状は、遊技球の発射方向に影響を及ぼすため、耐摩耗性に優れた金属等で一部又は全部が構成されることが望ましい。
【０１３８】
そして、所定の保持時間が経過すると、図６中（Ｅ）に示すように、発射アーム３０６は、重心の位置関係により自重で元の待機位置に戻る。なお、発射アーム３０６は、自重ではなく、発射モータ３０２の逆回転制御により、元の待機位置に戻してもよい。
発射装置３００は、このような動作を繰り返すことにより、遊技球を連続的に遊技領域に発射することができる。
【０１３９】
以上は、発射装置３００から通常の強度範囲で遊技球が発射された場合の動作例であるが、発射モータ３０２の回転力が不充分となって発射装置３００から最弱強度で遊技球が発射された場合の動作例は以下の通りとなる。
【０１４０】
図７中（Ａ）に示すように、遊技球を発射する前の待機状態では、発射アーム３０６は倒れた状態となっている。
この状態で球送り装置５００（図１１参照）が作動すると、図７中（Ｂ）に示すように、遊技球が１つだけ遊技球供給孔３１０から放出され、発射球保持部３０８に供給される。
【０１４１】
そして、図７中（Ｃ）に示すように、発射球保持部３０８に遊技球が保持された状態で発射モータ３０２が駆動すると、回転軸３０４とともに発射アーム３０６が時計回りに９０度回転して起立した状態となる。ただし、図示の例では、発射モータ３０２の回転力が不充分であったため、遊技球は発射球保持部３０８から飛び出さず、発射球保持部３０８に留まっている。
【０１４２】
しかし、図７中（Ｄ）に示すように、発射球保持部３０８は、その内面が円弧状となっているため、遊技球は円弧状の斜面を転がって遊技球通路３１２に導かれる。また、遊技球通路３１２の下面は下り傾斜の自由落下通路３２４となっているため、遊技球は自由落下により発射口３１８から遊技領域に放出される。遊技球が発射口３１８から放出される際には戻り球防止弁３２０を押しのけて遊技領域に進行する。この場合、遊技球は遊技球通路３１２を通過するため、遊技球発射検出センサ３１６により遊技球の通過が検出される。
【０１４３】
一方、発射アーム３０６は、起立した位置（発射位置）で所定時間（例えば０．１〜０．３秒程度）にわたり保持される。このように、発射アーム３０６は、垂直位置で所定時間にわたり保持され、かつ、発射球の発射強度が再弱となった場合でも最低限自由落下するように遊技球通路３１２が形成されているため、発射球保持部３０８に発射球が残存することはない。また、仮に既に発射された遊技球が障害釘等で反射されて（弾かれて）、発射口３１８に逆流しようとし、戻り球防止弁３２０を発射口３１８の方向に押し込み、発射球の盤面への放出を阻止する力が働いた場合においても、発射アーム３０６は、この垂直位置で所定時間十分な強度で付勢（保持）されるため、発射球が押し戻されることはなく、最低でも自由落下により盤面に放出される。
【０１４４】
そして、所定の保持時間が経過すると、図７中（Ｅ）に示すように、発射アーム３０６は、元の待機位置に戻る。
【０１４５】
このように、本実施形態では、発射球保持部３０８の内面が円弧状となっており、かつ、遊技球通路３１２の下面は下り傾斜の自由落下通路３２４となっているため、発射装置３００の発射力が充分でなかった場合であっても、遊技球は自由落下により遊技領域に放出される。このため、本実施形態によれば、戻り球が発生しにくい発射装置３００を提供することができる。
【０１４６】
図８は、往復直進式打球機構を利用した発射装置４００の構成の詳細を示す図である。
先に説明した発射装置３００は、往復回転式投球機構により、遊技球を発射する装置の例で説明したが、ここでは往復直進式打球機構により、遊技球を発射する装置の例を説明する。
【０１４７】
発射装置４００は、直進形ソレノイド４０２、被駆動部材４０４、遊技球供給孔４０６、遊技球通路４０８、遊技球発射検出センサ４１０、発射口４１２、戻り球防止弁４１４及び基台４１６を備えている。
【０１４８】
直進形ソレノイド４０２は、ハンドルユニット１６を遊び角以上に回転操作した場合にその回転量に応じた駆動力で作動するアクチュエータであり、基台４１６の中央付近に固定されている（駆動源）。
【０１４９】
被駆動部材４０４は、円柱形の棒状の部材であり、直進形ソレノイド４０２が作動することにより、例えば６００ｍｓ間隔で連続して略水平方向に進退動作（直進往復運動）をすることができる。
被駆動部材４０４の先端部分には緩衝材４０４ａが取り付けられ、後端部分にはストッパ４０４ｂが取り付けられている。緩衝材４０４ａは、被駆動部材４０４が前進した際に、遊技球待機部４０５にある遊技球を打球（横打ち）するハンマとして用いられる。ストッパ４０４ｂは、被駆動部材４０４の移動量を規制する部材である。被駆動部材４０４により打球された遊技球は、遊技球通路４０８及び発射口４１２を通って遊技領域に放出される。
【０１５０】
遊技球待機部４０５の右斜め上方には、遊技球供給孔４０６が形成されており、遊技球供給孔４０６からは遊技球が１つずつ供給され、遊技球待機部４０５に送られる。
【０１５１】
遊技球通路４０８は、遊技球待機部４０５から発射口４１２までを結ぶ遊技球の発射通路であり、基台４１６内に横向きにくり抜き形成されている。
遊技球通路４０８（発射通路）は、被駆動部材４０４の往路終端位置（図中矢印Ａに対応する位置）から発射球を受け入れて発射口４１２に発射球を導く通路である。また、遊技球通路４０８（遊技球通路４０８の下側壁）は、発射球を受け入れた後に発射球に与えられた力が十分でない場合には自由落下により発射球を遊技領域に放出する自由落下通路４１８により構成されている。自由落下通路４１８は、下り傾斜（下り坂）の通路とすることができる。遊技球通路４０８の上流側（図中左側）には上り傾斜（上り坂）の遊技球待機部４０５が形成されており、自由落下通路４１８は、遊技球待機部４０５に連なって形成されている。この上り傾斜は、遊技球待機部４０５に対して遊技球を安定して静止させる役割を果たしている。一方、遊技球通路４０８の下り傾斜は、遊技球を遊技領域に自由落下させる役割を果たしている（自由落下通路４１８）。なお、遊技球待機部４０５は、被駆動部材４０４で打球される直前の遊技球が待機する位置である。被駆動部材４０４は、直進形ソレノイド４０２の駆動により、遊技球待機部４０５に待機している遊技球を打球して遊技球通路４０８の空間に発射するとともに、発射球が自由落下通路４１８に到達する位置（図中矢印Ａに対応する位置）まで繰り出される。このように、被駆動部材４０４は、発射球が自由落下通路に到達する位置まで繰り出されるので、遊技球が上り傾斜を逆戻りすることはなく、戻り球の発生を回避することができる。なお、遊技球待機部４０５は、上り傾斜で構成する例で説明したが、例えば磁石を用いたり、小さなくぼみを設けたりして供給された遊技球を適切に保持し、それ以降（磁石やくぼみよりも下流）を水平面で構成することもできる。また、遊技球待機部４０５は、あくまで発射前の遊技球を待機させる機能を発揮するものであり、被駆動部材４０４に弾かれた遊技球が通過する発射通路とは異なるものである。
【０１５２】
遊技球発射検出センサ４１０は、発射口４１２の手前の位置で遊技球の通過を検出するセンサである。遊技球発射検出センサ４１０は、遊技球通路４０８の上り傾斜の頂点を越えた位置において遊技球通路４０８を囲むように基台４１６に設けられた反射型のフォトカプラからなり、遊技球の通過を検出することができる。なお、遊技球発射検出センサ４１０は、このような反射型のフォトカプラに限定されることはなく、検出コイルのインピーダンスの変化によって遊技球の通過を検出するスイッチであってもよい。
【０１５３】
発射口４１２は、遊技球通路４０８の終端に形成されており、基台４１６の右側面に開口されている。このため、発射口４１２は、遊技領域に対して略水平方向に遊技球を送り出す。
【０１５４】
戻り球防止弁４１４は、発射口４１２の外側に、かつ、発射口４１２を塞ぐように配置されている。この戻り球防止弁４１４は、遊技領域に発射された遊技球が発射装置４００に戻ってくることを防止している。なお、戻り球防止弁は、図８中（Ａ）に示すような板バネを用いた戻り球防止弁４１４であってもよく、図８中（Ｂ）に示すような板ドアを用いた戻り球防止弁４１５であってもよい。
【０１５５】
また、基台４１６には、直進形ソレノイド４０２、被駆動部材４０４、遊技球供給孔４０６、遊技球通路４０８、遊技球発射検出センサ４１０、発射口４１２、及び戻り球防止弁４１４が取り付けられているため、発射装置４００をユニット化（部品化）することができる。
【０１５６】
このように、本実施形態によれば、発射装置４００における発射系に関する部品を一体化しているため、組み立ての簡略化や部品管理の簡素化を図ることができる。
【０１５７】
上述したように、遊技球通路４０８（発射通路）は、自由落下通路４１８により構成されている。自由落下通路４１８は、遊技球通路４０８に遊技球が停滞した際に遊技球の自由落下により停滞している遊技球を遊技領域に放出する下り傾斜の通路である。
被駆動部材４０４の往路終端（図中矢印Ａに対応する位置）は、上り傾斜の頂点（ここでは遊技球待機部４０５の終端でかつ自由落下通路４１８の始端）よりも先に位置しており、自由落下通路４１８は、上り傾斜の頂点から発射口４１２までの間に設けられている。
【０１５８】
図９及び図１０は、往復直進式打球機構を利用した発射装置４００の動作の詳細を示す図である。
ここで、図９は、発射装置４００から通常の強度範囲で遊技球が発射された場合の例を示しており、図１０は、発射装置４００から最弱の強度で遊技球が発射された場合の例を示している。
【０１５９】
図９中（Ａ）に示すように、遊技球を発射する前の待機状態では、被駆動部材４０４は引っ込んだ状態となっている。
この状態で球送り装置５００（図９参照）が作動すると、図９中（Ｂ）に示すように、遊技球が１つだけ遊技球供給孔４０６から放出され、遊技球は遊技球待機部４０５に送られる。
【０１６０】
そして、図９中（Ｃ）に示すように、遊技球待機部４０５に遊技球が待機した状態で直進形ソレノイド４０２が駆動すると、被駆動部材４０４が前方（図中右側）に飛び出した状態となり、その勢いで遊技球が弾かれる。また、遊技球は遊技球通路４０８を通過するため、遊技球発射検出センサ４１０により遊技球の通過が検出される。
【０１６１】
その後、図９中（Ｄ）に示すように、遊技球は発射口４１２から遊技領域に放出されることになるが、発射口４１２から放出される際には戻り球防止弁４１４を押しのけて遊技領域に進行する。一方、被駆動部材４０４は、飛び出した位置（発射位置）で所定時間（例えば０．１〜０．３秒程度）にわたり保持される。
【０１６２】
そして、所定の保持時間が経過すると、図９中（Ｅ）に示すように、被駆動部材４０４は、元の待機位置に戻る。
発射装置４００は、このような動作を繰り返すことにより、遊技球を連続的に遊技領域に発射することができる。
【０１６３】
以上は、発射装置４００から通常の強度範囲で遊技球が発射された場合の動作例であるが、直進形ソレノイド４０２の駆動力が不充分となって発射装置４００から最弱強度で遊技球が発射された場合の動作例は以下の通りとなる。
【０１６４】
図１０中（Ａ）に示すように、遊技球を発射する前の待機状態では、被駆動部材４０４は引っ込んだ状態となっている。
この状態で球送り装置５００（図１１参照）が作動すると、図１０中（Ｂ）に示すように、遊技球が１つだけ遊技球供給孔４０６から放出され、遊技球は遊技球待機部４０５に送られる。
【０１６５】
そして、図１０中（Ｃ）に示すように、遊技球待機部４０５に遊技球が待機した状態で直進形ソレノイド４０２が駆動すると、被駆動部材４０４が前方に飛び出した状態となり、緩衝材４０４ａと遊技球とが接触する。ただし、図示の例では、直進形ソレノイド４０２の駆動力が不充分であったため、遊技球は勢いよく弾かれておらず、前方に押し出されただけの状態である。
【０１６６】
しかし、図１０中（Ｄ）に示すように、遊技球通路４０８は、下り傾斜の自由落下通路４１８により構成されているため、遊技球は自由落下により発射口４１２から遊技領域に放出される。遊技球が発射口４１２から放出される際には戻り球防止弁４１４を押しのけて遊技領域に進行する。この場合、遊技球は遊技球通路４０８を通過するため、遊技球発射検出センサ４１０により遊技球の通過が検出される。
【０１６７】
一方、被駆動部材４０４は、飛び出した位置（発射位置）で所定時間（例えば０．１〜０．３秒程度）にわたり保持される。このように、被駆動部材４０４は、発射位置で所定時間にわたり保持され、かつ、発射球の発射強度が再弱となった場合でも最低限自由落下するように自由落下通路４１８が形成されているため、発射装置４００内に発射球が残存することはない。
【０１６８】
そして、所定の保持時間が経過すると、図１０中（Ｅ）に示すように、被駆動部材４０４は、元の待機位置に戻る。
【０１６９】
このように、本実施形態では、遊技球通路４０８（発射通路）は、自由落下通路４１８により構成されているため、発射装置４００の発射力が充分でなかった場合であっても、遊技球は自由落下により遊技領域に放出される。このため、本実施形態によれば、戻り球が発生しにくい発射装置４００を提供することができる。
【０１７０】
また、本実施形態では、被駆動部材４０４は、その往路駆動端においては、発射球が自由落下通路４１８に到達する位置まで繰り出されるので、遊技球通路４０８の上流に上り傾斜の遊技球待機部４０５が存在していたとしても、遊技球は上り傾斜の終端よりも先まで押し出されることになる。このため、遊技球が上り傾斜を逆戻りすることはなく、戻り球が発生しにくい発射装置４００を提供することができる。また、仮に既に発射された遊技球が障害釘等で反射されて（弾かれて）、発射口４１２に逆流しようとし、戻り球防止弁４１４を発射口４１２の方向に押し込み、発射球の盤面への放出を阻止する力が働いた場合においても、被駆動部材４０４は、この繰り出し位置（往路終端位置）で所定時間十分な強度で付勢（保持）されるため、発射球が押し戻されることはなく、最低でも自由落下により盤面に放出される。
【０１７１】
ここで、発射装置３００に含まれる自由落下通路３２４や、発射装置４００に含まれる自由落下通路４１８の形状は、上記の例に限定されるものではなく、以下の方法により形状に関する自由度を拡大する（向上させる）ことができる。
例えば、発射検出手段としてのセンサを遊技球供給検出センサ１０６のみで構成し、遊技球発射検出センサ３１６や遊技球発射検出センサ４１０を取り除けば、自由落下通路３２４（自由落下通路４１８）の形状はさらに自由度が拡大される。この場合、下り傾斜の一部又は全部を鉛直の形状（断崖絶壁の形状）とすることもできるし、鉛直以上に切り立てる形状（垂線に対し９０度以上の斜面を有する形状、発射装置の内側に入り込んだ斜面を有する形状）とすることもできる。このような構成を採用することにより、自由落下通路３２４（自由落下通路４１８）は、開始端から終端までの長さをより短いものとすることができ、結果として発射装置をより小型化することができる。
【０１７２】
図１１は、球送り装置ユニット１７２から発射装置３００に遊技球を供給する際の第１の供給例を示す図である。
第１の供給例は、外部の島設備から球送り装置ユニット１７２の貯留タンク１７２ａを経由して遊技球を供給する例である。
ここで、第１の供給例においては、遊技盤ユニット８の左側に発射装置３００が配置されており、遊技盤ユニット８及び発射装置３００の裏側に球送り装置ユニット１７２が配置されている。
【０１７３】
また、第１の供給例では、不図示の島設備から、球送り装置ユニット１７２の貯留タンク１７２ａに遊技球が供給される。貯留タンク１７２ａに供給された遊技球は、発射球整列通路１７３ａに送られ、この通路にて１列に整列させられる。
【０１７４】
球送り装置ユニット１７２の球送り装置５００は、発射球整列通路１７３ａにて整列された遊技球を発射のタイミングに合わせて１個ずつ発射装置３００に供給する。なお、球送り装置５００の詳細は後述する。
【０１７５】
球送り装置５００からの遊技球は、発射球供給通路１７３ｂを通過して、アーム状の発射アーム３０６の発射球保持部３０８に到達する。発射球供給通路１７３ｂは、垂直方向に延びその後に遊技盤ユニット８の手前側に向かうＬ字形の通路である。
発射球供給通路１７３ｂには、遊技球供給検出センサ１０６（発射検出手段）が設けられており、この遊技球供給検出センサ１０６により、球送り装置５００から発射装置３００に遊技球が供給されたことが検出される。
【０１７６】
発射装置３００及び球送り装置５００は、それぞれ別々に遊技盤ユニット８や球送り装置ユニット１７２に取り付けることができるが、両者を基台３２２に組み付けてユニット化することで、遊技盤ユニット８への取り付けを簡略化させることができる。
【０１７７】
このように、第１の供給例によれば、発射前の遊技球を一旦貯留タンク１７２ａで貯留することができるので、既存の島設備が貯留タンク１７２ａに相当するタンクを搭載した遊技機を利用していたものであれば、既存の島設備との親和性を向上させることができる。
【０１７８】
図１２は、球送り装置５００の構成及び動作の詳細を示す図である。
球送り装置５００は、発射装置３００に遊技球を供給する装置であり、球送りモータ５０２（図１１参照）により回転駆動される球送り回転体５０４を有している。
そして、球送り回転体５０４には、その一部に遊技球を１つだけ受け入れ可能な切り欠き部５０６が形成されている。
【０１７９】
図１２（Ａ）に示すように、貯留タンクからの遊技球は、発射球整列通路１７３ａにて１列に整列させられる。そして、球送り装置５００が遊技球を供給する前の状態では、発射球整列通路１７３ａに並んでいる先頭の遊技球が、球送り回転体５０４の側面に接触している。
【０１８０】
球送り装置５００の球送り動作が開始されると、図１２（Ｂ）に示すように、球送り回転体５０４が反時計回りに回転し、切り欠き部５０６が発射球整列通路１７３ａの方向を向くため、先頭の遊技球が切り欠き部５０６に入り込む。
【０１８１】
そして、図１２（Ｃ）に示すように、球送り回転体５０４が時計回りに回転すると、切り欠き部５０６に入り込んだ遊技球が発射球供給通路１７３ｂに放出され、その後は発射装置に供給される。
球送り装置５００は、このような動作を繰り返すことにより、遊技球を１つずつ発射装置に供給することができる。
【０１８２】
図１３は、球送り装置ユニット１７２から発射装置３００に遊技球を供給する際の第２の供給例を示す図である。ここで、図１３中（Ａ）は、発射装置３００及び球送り装置５００等の平面図を示しており、図１３中（Ｂ）は、発射球整列通路１７３ａ及び蛇腹ホース５１０等の側面図を示している。
第２の供給例は、球送り装置ユニット１７２の貯留タンク１７２ａを経由せずに、直接遊技球を供給する例である。
図示の例では、発射球整列通路１７３ａの右端部に、発射球を受け入れる発射球受け入れ口１７３ｃ（発射球受給装置、遊技球受け入れ口）が形成されている。
【０１８３】
そして、第２の供給例では、図１３中（Ｂ）に示すように、不図示の島設備の補給通路の一部となる蛇腹ホース５１０（スプリング通路）を発射球受け入れ口１７３ｃに接続することにより、遊技球が発射球整列通路１７３ａに送られる。なお、その他の構成は、先に説明した第１の供給例と同様であるため、説明を省略する。
【０１８４】
このように、第２の供給例では、遊技球の受け入れの際に貯留タンクを経由しない構成となるため、よりシンプルな構成を実現することができる。また、貯留タンクを経由しない構成であるため、発射球整列通路１７３ａにおいては最初から遊技球が一列に整列された状態を作り出すことができ、球詰まりを軽減させることができる。
【０１８５】
図１４は、発射装置の取り付け例を示す図である。
発射装置３００は、上述したように遊技盤ユニット８に取り付けることもできるが、図１４に示すように、遊技機枠に取り付けることもできる。図１４に示す例では、内枠アセンブリ７の内壁の左側上端部分に、発射装置３００を取り付けている。
【０１８６】
このように、内枠アセンブリ７に発射装置３００を取り付けることにより、遊技盤ユニット８の交換時に発射装置３００を交換する必要がなくなる。すなわち、新台入れ替え時において、内枠アセンブリ７を交換せずに遊技盤ユニット８だけを交換するような場合には、内枠アセンブリ７に取り付けられている発射装置３００をそのまま利用することができるという利点がある。
【０１８７】
図１５は、パチンコ機と周辺機器との接続関係を示す図である。
図１５中（Ａ）に示すパチンコ機１Ａでは、カードユニット２１０とカード情報表示装置２００とが一体化されている。このため、パチンコ機１Ａから、一体化されたカードユニット２１０とカード情報表示装置２００とを分離することができる。また、ハンドルユニット１６についても、パチンコ機１Ａから分離することができる。ただし、ハンドルユニット１６は、パチンコ機１Ａと一体化させてもよい。このように、パチンコ機１Ａから各パーツを分離可能とすることで、各パーツの故障時には、各パーツを個別に交換することができ、メンテナンス性を向上させることができる。なお、図１５以降の説明では、このパチンコ機１Ａの接続形態を前提としている。
【０１８８】
図１５中（Ｂ）に示すパチンコ機１Ｂでは、カードユニット２１０とカード情報表示装置２００とは一体化されていない。このため、パチンコ機１Ｂから、カードユニット２１０を分離することもできるし、カード情報表示装置２００を分離することもできる。また、ハンドルユニット１６についても、パチンコ機１Ｂから分離することができる。
【０１８９】
図１５中（Ｃ）に示すパチンコ機１Ｃでは、カードユニット２１０とカード情報表示装置２００とが一体化されており、かつ、カード情報表示装置２００がカードユニット２１０の前面に取り付けられている。このため、パチンコ機１Ｃから、一体化されたカードユニット２１０とカード情報表示装置２００とを分離することができる。また、ハンドルユニット１６についても、パチンコ機１Ｃから分離することができる。しかも、図１５中（Ｃ）に示す領域Ａには、カード情報表示装置２００が配置されなくなるため、ユーティリティースペースとして活用することができる。ユーティリティースペースの活用方法としては、例えば、遊技者の小物置き場として利用したり、灰皿スペースとして利用したりすることができる。
【０１９０】
図１６は、パチンコ機と島設備との関係を示す図である。
本実施形態のパチンコ機１は、電子データ式の遊技機でありながら、既存の島設備をそのまま流用することができる。
島設備６００の上段部分には、遊技球を貯留する上部タンク６０２（遊技球供給装置）、不正球を検出する不正球検出装置６０６、及び遊技球を各パチンコ機１に供給する供給通路６０８（遊技球供給装置）が配置されている。
【０１９１】
また、島設備６００の下段部分には、遊技球を回収する回収装置６１０、回収装置６１０で回収した遊技球を通過させる回収通路６１２、及び回収した遊技球を貯留する下部タンク６１４が配置されている。
そして、上部タンク６０２と下部タンク６１４との間には、遊技球を研磨しながら遊技球を上昇させる揚送研磨装置６１６（揚送通路）が設置されている。
【０１９２】
次に遊技球の流れについて説明する。
上部タンク６０２に貯留されている遊技球は、不正球検出装置６０６に送られ、そこで不正球であるか否か（規定の球径よりも小さい球径を有する遊技球か否か）が検出される。
【０１９３】
不正球検出装置６０６により不正球であると判断されなかった遊技球は、供給通路６０８を通ってパチンコ機１の貯留タンク１７２ａに送られ、貯留タンク１７２ａから発射装置３００に送られる。
発射装置３００から発射された遊技球は、遊技領域を流下し、その後、アウト通路アセンブリ２５０を経由して機外に排出され、回収装置６１０及び回収通路６１２を通って下部タンク６１４に送られる。
下部タンク６１４に送られた遊技球は、揚送研磨装置６１６によって研磨されることにより汚れや埃等が取り除かれながら上部タンク６０２に送られる。
【０１９４】
このように、本実施形態によれば、島設備６００から遊技球を直接受給して発射し、発射された全ての遊技球をアウト通路アセンブリ２５０にて回収して機外に排出しているため、遊技球を封入しないパチンコ機１を提供することができる。これにより、封入式ゆえに抱える課題（弊害）を無くすことができるとともに、遊技球の循環機構や、研磨装置６０４、不正球検出装置６０６等といった既存の島設備をそのまま流用することができる。
また、このような構成を採用することにより、遊技者が遊技球に触れないで遊技を進行させることが可能となり、清潔かつ簡便な遊技形態を実現することができる。
【０１９５】
さらに、本実施形態では、パチンコ機１の上端側に発射装置３００を配置しているため、供給通路６０８から発射球を受け入れやすい形態とすることができ、既存の島設備６００をそのまま流用することができるだけでなく、既存の島設備６００との整合性をより向上させた発射装置３００とすることができる。
【０１９６】
〔制御上の構成〕
次に、パチンコ機１の制御に関する構成について説明する。図１７は、パチンコ機１に装備された各種の電子機器類を示すブロック図である。パチンコ機１は、制御動作の中枢となる主制御装置７０（主制御用コンピュータ、遊技制御ユニット）を備えており、この主制御装置７０は主に、パチンコ機１における遊技の進行を制御する機能を有している。なお、主制御装置７０は、上記の主制御基板ユニット１７０に内蔵されている。
【０１９７】
また、主制御装置７０には、中央演算処理装置である主制御ＣＰＵ７２を実装した回路基板（主制御基板）が装備されており、主制御ＣＰＵ７２は、図示しないＣＰＵコアやレジスタとともにＲＯＭ７４、ＲＡＭ（ＲＷＭ）７６等の半導体メモリを集積したＬＳＩとして構成されている。また、主制御装置７０には、乱数発生器７５やサンプリング回路７７が装備されている。このうち乱数発生器７５は、特別図柄抽選の大当り判定用や普通図柄抽選の当り判定用にハードウェア乱数（例えば１０進数表記で０〜６５５３５）を発生させるものであり、ここで発生された乱数は、サンプリング回路７７を通じて主制御ＣＰＵ７２に入力される。その他にも主制御装置７０には、入出力（Ｉ／Ｏ）ポート７９や図示しないクロック発生回路、カウンタ／タイマ回路（ＣＴＣ）等の周辺ＩＣが装備されており、これらは主制御ＣＰＵ７２とともに回路基板上に実装されている。なお、回路基板上（又は内層部分）には、信号伝送経路や電源供給経路、制御用バス等が配線パターンとして形成されている。
【０１９８】
また、主制御装置７０の半導体メモリには、主制御ＣＰＵ７２のＩＤ情報や、パチンコ機１のＩＤ情報、主制御ＣＰＵ７２の真贋を確認するためのセキュリティ情報等を記憶しておくことができる（遊技制御ユニット識別情報記憶手段、セキュリティ情報記憶手段、遊技機識別情報記憶手段）。そして、これらの情報は、遊技機状態情報コマンドの一部を構成する情報となり、パチンコ機１からカードユニット２１０に送信される。
【０１９９】
上述した始動ゲート２０には、遊技球の通過を検出するためのゲートスイッチ７８が一体的に設けられている。また、遊技盤ユニット８には、上始動入賞口２６、可変始動入賞装置２８及び可変入賞装置３０にそれぞれ対応して上始動入賞口スイッチ８０（入球検出手段）、下始動入賞口スイッチ８２（入球検出手段）及びカウントスイッチ８４（入球検出手段）が装備されている。各始動入賞口スイッチ８０，８２は、上始動入賞口２６、可変始動入賞装置２８（下始動入賞口２８ａ）への遊技球の入賞を検出するためのものである。また、カウントスイッチ８４は、可変入賞装置３０（大入賞口）への遊技球の入賞を検出し、その数をカウントするためのものである。同様に遊技盤ユニット８には、普通入賞口２２，２５への遊技球の入賞を検出する入賞口スイッチ８６が装備されている。なお、ここでは全ての普通入賞口２２，２５について共通の入賞口スイッチ８６を用いる構成を例に挙げているが、例えば盤面の左右で別々の入賞口スイッチ８６を設置し、左側の入賞口スイッチ８６では盤面の左側に位置する普通入賞口２２に対する遊技球の入賞を検出し、右側の入賞口スイッチ８６では盤面の右側に位置する普通入賞口２５に対する遊技球の入賞を検出することとしてもよい。
【０２００】
いずれにしても、これらスイッチ類７８〜８６の入賞検出信号は、図示しない入出力ドライバを介して主制御ＣＰＵ７２に入力される。なお、遊技盤ユニット８の構成上、本実施形態ではゲートスイッチ７８、カウントスイッチ８４及び入賞口スイッチ８６からの入賞検出信号は、パネル中継端子板８７を経由して送信され、パネル中継端子板８７には、それぞれの入賞検出信号を中継するための配線パターンや接続端子等が設けられている。
【０２０１】
上述した普通図柄表示装置３３や普通図柄作動記憶ランプ３３ａ、第１特別図柄表示装置３４、第２特別図柄表示装置３５、第１特別図柄作動記憶ランプ３４ａ、第２特別図柄作動記憶ランプ３５ａ及び遊技状態表示装置３８は、主制御ＣＰＵ７２からの制御信号に基づいて表示動作を制御されている。主制御ＣＰＵ７２は、遊技の進行状況に応じてこれら表示装置３３，３４，３５，３８及びランプ３３ａ，３４ａ，３５ａに対する制御信号を出力し、各ＬＥＤの点灯状態を制御している。また、これら表示装置３３，３４，３５，３８及びランプ３３ａ，３４ａ，３５ａは、上記のように１枚の統合表示基板８９に実装された状態で遊技盤ユニット８に設置されており、この統合表示基板８９には上記のパネル中継端子板８７を中継して主制御ＣＰＵ７２から制御信号が送信される。
【０２０２】
また、遊技盤ユニット８には、可変始動入賞装置２８及び可変入賞装置３０にそれぞれ対応して普通電動役物ソレノイド８８及び大入賞口ソレノイド９０が設けられている。これらソレノイド８８，９０は主制御ＣＰＵ７２からの制御信号に基づいて動作（励磁）し、それぞれ可変始動入賞装置２８、可変入賞装置３０を開閉動作（作動）させる。なお、これらソレノイド８８，９０についても上記のパネル中継端子板８７を中継して主制御ＣＰＵ７２から制御信号が送信される。
【０２０３】
また、遊技盤ユニット８には、磁気センサ２０２（磁気検出手段）や振動センサ２０４（振動検出手段）、電波センサ２０６（電波検出手段）が設置されており、このうち磁気センサ２０４は、その設置位置で遊技盤ユニット８に飛来してくる磁束を検出し、その密度（磁気強度）に応じた検出信号を出力する。また、振動センサ２０６は、その設置位置で遊技盤ユニット８に加えられる加速度（振動）を検出し、その大きさに応じた検出信号を出力する。さらに、電波センサ２０６は、その設置位置で遊技盤ユニット８に到達する電波を検出し、電波の受信強度に応じた検出信号を出力する。これら磁気センサ２０２や振動センサ２０４、電波センサ２０６の検出信号は、それぞれパネル中継端子板８７を通じて主制御装置７０（主制御ＣＰＵ７２）に入力されている。
【０２０４】
その他に上記の一体扉ユニット４にはガラス枠開放スイッチ９１（操作検出手段）が設置されており、また、上記の内枠アセンブリ７にはプラ枠開放スイッチ９３（操作検出手段）が設置されている。一体扉ユニット４が単独で開放されると、ガラス枠開放スイッチ９１からの接点信号が主制御装置７０（主制御ＣＰＵ７２）に入力され、また、外枠ユニット２から内枠アセンブリ７が開放されると、プラ枠開放スイッチ９３からの接点信号が主制御装置７０（主制御ＣＰＵ７２）に入力される。主制御ＣＰＵ７２は、これら接点信号から一体扉ユニット４や内枠アセンブリ７の開放状態を検出することができる。なお、主制御ＣＰＵ７２は、一体扉ユニット４や内枠アセンブリ７の開放状態を検出すると、外部情報信号として扉開放情報信号を生成する。
【０２０５】
パチンコ機１の裏側には、発射持ち球管理装置９２（発射持ち球管理ユニット）が装備されている。発射持ち球管理装置９２には、発射制御ＣＰＵ９４を実装した回路基板が装備されており、この発射制御ＣＰＵ９４は、図示しないＣＰＵコアとともにＲＯＭ９６、ＲＡＭ９８等の半導体メモリを集積したＬＳＩとして構成されている。発射持ち球管理装置９２は、発射装置３００の動作を制御するとともに、発射装置３００により発射される遊技球の発射可能数を示す持ち球データを管理する。
【０２０６】
発射持ち球管理装置９２には、持ち球データ表示基板１２２が接続されており、この持ち球データ表示基板１２２には、持ち球データ表示器１２３（ＬＥＤ表示器）が接続されている。カードユニット２１０からは、有価媒体の残り度数を表す度数データ等が遊技球等貸出装置接続端子板１２０及び発射持ち球管理装置９２を経由して持ち球データ表示基板１２２に送信される。持ち球データ表示基板１２２上の図示しない表示回路は、持ち球データ表示器１２３を駆動し、有価媒体の残り度数や発射持ち球管理装置９２が記憶している持ち球データを数値表示する。また、カードユニット２１０に有価媒体が投入されていなかったり、投入された有価媒体の残り度数が０になったり、発射持ち球管理装置９２が記憶している持ち球データの値が０になったりした場合、持ち球データ表示基板１２２の表示回路は持ち球データ表示器１２３を駆動してデモ表示（有価媒体の投入を促す表示）を行うこともできる。
【０２０７】
また、パチンコ機１の裏側には、発射制御基板１０８とともに発射モータ３０２及び球送りモータ５０２が設置されている。発射制御基板１０８には、発射モータ３０２及び球送りモータ５０２の駆動回路が設けられている。このうち、発射モータ３０２は、発射位置に送り出された遊技球を投球し、遊技領域８に向けて遊技球を１個ずつ連続的（間欠的）に投げ出す動作を行う。遊技球の発射間隔は、例えば０．６秒程度の間隔（１分間で１００個以内）である。なお、往復直進式打球機構により遊技球を発射する発射装置４００（図８参照）を採用する場合、発射モータ３０２の代わりに直進形ソレノイド４０２を設置し、遊技球発射検出センサ３１６の代わりに遊技球発射検出センサ４１０を設置することになる。また、球送りモータ５０２は、発射球供給通路１７３ｂに蓄えられた遊技球を１個ずつ、発射装置３００に送り出す動作を行う。
【０２０８】
また、貯留ケースの上流位置には補給路球切れスイッチ１０４が設置されている他、発射球供給通路１７３ｂの下流位置には遊技球供給検出センサ１０６が設置されており、遊技球の発射口付近には遊技球発射検出センサ３１６が設置されている。
【０２０９】
貯留ケースの上流位置で球切れが発生すると、補給路球切れスイッチ１０４からの接点信号が発射制御基板１０８に入力される。また、球送りモータ５０２の駆動により遊技球が発射装置３００に供給されると、その都度、遊技球供給検出センサ１０６からの検出信号が発射制御基板１０８に入力される。さらに、発射モータ３０２の駆動により遊技球が発射装置３００から発射されると、その都度、遊技球発射検出センサ３１６からの検出信号が発射制御基板１０８に入力される。また、アウト通路アセンブリにて遊技球が回収されると、その都度、排出センサ１０７からの検出信号が発射制御基板１０８に入力される。発射制御基板１０８は、入力された検出信号や接点信号を発射持ち球管理装置９２に送信する。発射持ち球管理装置９２は、発射制御基板１０８から受信した信号に基づき、実際の発射数や球切れ状態を把握することができる。また、発射持ち球管理装置９２は、これらの入力信号に基づいて発射数と排出数とを把握することができるので、発射数と排出数とが一致しないエラー状態を検知することができる。なお、本実施形態では、遊技球供給検出センサ１０６、遊技球発射検出センサ３１６及び排出センサ１０７からの検出信号が発射制御基板１０８に入力された後、発射持ち球管理装置９２に送信する構成となっているが、これらのセンサを発射制御基板１０８を介さずに発射持ち球管理装置９２に直接接続し、発射持ち玉（持ち球データ）やエラー検知に関する管理を行ってもよい。
【０２１０】
一方、パチンコ機１の表側に位置する上記のハンドルユニット１６には、発射レバーボリューム１１２、タッチセンサ１１４及び発射停止スイッチ１１６が設けられている。このうち発射レバーボリューム１１２は、遊技者による発射ハンドルの操作量（いわゆるストローク）に比例したアナログ信号を生成する。また、タッチセンサ１１４は、静電容量の変化から遊技者の身体がハンドルユニット１６（発射ハンドル）に触れていることを検出し、その検出信号を出力する。そして、発射停止スイッチ１１６は、遊技者の操作に応じて発射停止信号（接点信号）を生成する。
【０２１１】
また、パチンコ機１の裏側には、発射中継端子板１１８が設置されており、発射レバーボリューム１１２やタッチセンサ１１４、発射停止スイッチ１１６からの各信号は、発射中継端子板１１８を経由して発射制御基板１０８に送信される。遊技者が発射ハンドルを操作すると、その操作量に応じて発射レバーボリューム１１２でアナログ信号（エンコードされたデジタル信号でもよい）が生成され、このときの信号に基づいて発射モータ３０２が駆動される。これにより、遊技者の操作量に応じて遊技球を打ち出す強さが調整される。なお、発射制御基板１０８の駆動回路は、タッチセンサ１１４からの検出信号がオフ（ローレベル）の場合、発射停止スイッチ１１６から発射停止信号が入力された場合、発射持ち球データが「０」である場合に、発射モータ３０２の駆動を禁止する。この他に、発射中継端子板１１８には遊技球等貸出装置接続端子板１２０が接続されており、この遊技球等貸出装置接続端子板１２０にカードユニット２１０が接続されていない場合、同じく発射制御基板１０８の駆動回路は発射モータ３０２の駆動を禁止する。
【０２１２】
また、本実施形態の遊技機には、外部端子板が設けられていない。そのため、遊技球等貸出装置接続端子板１２０は、外部端子板の役割を引き受けている。具体的には、遊技球等貸出装置接続端子板１２０は、カードユニット２１０を介して、パチンコ機１を外部管理装置２６０（例えばデータ表示装置、ホールコンピュータ、ネットワーク管理装置等）に接続する役割を果たしており、この遊技球等貸出装置接続端子板１２０からは、パチンコ機１の遊技進行状態やメンテナンス状態等を表す各種の外部情報信号（例えば賞球情報、扉開放情報、図柄確定回数情報、大当り情報、始動口情報等）がシリアル信号等により出力される。
【０２１３】
また、遊技球等貸出装置接続端子板１２０には、カードユニット２１０を介して、カード情報表示装置２００が接続されている。カード情報表示装置２００には、球貸ボタン１０、持ち球ボタン１１、休憩ボタン１２、清算ボタン１３にそれぞれ接続されるスイッチモジュールが実装されており、これらのボタンが操作されると、その操作信号がカードユニット２１０に送信される。また、カードユニット２１０は、カードユニット２１０を制御するＣＰＵ等を含んでおり、カード情報表示装置２００は、カード情報表示装置２００を制御するＣＰＵや表示プロセッサであるＶＤＰ等を含んでいる。
【０２１４】
また、パチンコ機１は制御上の構成として、演出制御装置１２４（演出制御用コンピュータ）を備えている。この演出制御装置１２４は、パチンコ機１における遊技の進行に伴う演出の制御を行う。演出制御装置１２４にもまた、中央演算処理装置である演出制御ＣＰＵ１２６を実装した回路基板（複合サブ制御基板）が装備されている。演出制御ＣＰＵ１２６には、図示しないＣＰＵコアとともにメインメモリとしてＲＯＭ１２８やＲＡＭ１３０等の半導体メモリが内蔵されている。なお、演出制御装置１２４は、パチンコ機１の裏側で上記の裏カバーユニット１７８に覆われる位置に設けられている。
【０２１５】
また、演出制御装置１２４には、図示しない入出力ドライバや各種の周辺ＩＣが装備されている他、ランプ駆動回路１３２や音響駆動回路１３４が装備されている。演出制御ＣＰＵ１２６は、主制御ＣＰＵ７２から送信される演出用のコマンドに基づいて演出の制御を行い、ランプ駆動回路１３２や音響駆動回路１３４に指令を与えて各種ランプ４６〜５２や盤面ランプ５３を発光させたり、スピーカ５４，５５，５６から実際に効果音や音声等を出力させたりする処理を行う。
【０２１６】
演出制御装置１２４と上記の主制御装置７０とは、例えば図示しない通信用ハーネスを介して相互に接続されている。ただし、これらの間の通信は、主制御装置７０から演出制御装置１２４への一方向のみで行われ、逆方向への通信は行われない。なお、通信用ハーネスには、主制御装置７０から演出制御装置１２４に対して送信される各種コマンドのバス幅に応じてパラレル形式を採用してもよいし、それぞれのドライバＩＣ（Ｉ／Ｏ）のハード構成に合わせてシリアル形式を採用してもよい。
【０２１７】
ランプ駆動回路１３２は、例えば図示しないＰＷＭ（パルス幅変調）ＩＣやＭＯＳＦＥＴ等のスイッチング素子を備えており、このランプ駆動回路１３２は、ＬＥＤを含む各種ランプに印加する駆動電圧をスイッチング（又はデューティ切替）して、その発光・点滅等の動作を管理する。なお、各種ランプには、上記のガラス枠トップランプ４６やガラス枠装飾ランプ４８，５０，５２の他に、遊技盤ユニット８に設置された装飾・演出用の盤面ランプ５３が含まれる。盤面ランプ５３は上記の演出ユニットに内蔵されるＬＥＤや、可変始動入賞装置２８、可変入賞装置３０等に内蔵されるＬＥＤに相当するものである。
【０２１８】
また、音響駆動回路１３４は、例えば図示しないサウンドＲＯＭや音響制御ＩＣ、アンプ等を内蔵したサウンドジェネレータであり、この音響駆動回路１３４は、上スピーカ５４及び下スピーカ５６を駆動して音響出力を行う。
【０２１９】
本実施形態では一体扉ユニット４の内面にガラス枠電飾基板１３６が設置されており、ランプ駆動回路１３２や音響駆動回路１３４からの駆動信号はガラス枠電飾基板１３６を経由して各種ランプ４６〜５２やスピーカ５４，５５，５６に印加されている。また、ガラス枠電飾基板１３６には、上記の演出切替ボタン４５が接続されており、遊技者が演出切替ボタン４５を操作すると、その接点信号がガラス枠電飾基板１３６を通じて演出制御装置１２４に入力される。さらに、ガラス枠電飾基板１３６には、上記のジョグダイアル４５ａが接続されており、遊技者がジョグダイアル４５ａを回転させると、その回転信号がガラス枠電飾基板１３６を通じて演出制御装置１２４に入力される。
【０２２０】
その他、遊技盤ユニット８にはパネル電飾基板１３８が設置されており、このパネル電飾基板１３８には盤面ランプ５３の他に可動体ソレノイド５７が接続されている。可動体ソレノイド５７は、例えば図示しないリンク機構を介して上記の可動体４０ｆを駆動する。ランプ駆動回路１３２からの駆動信号は、パネル電飾基板１３８を経由して盤面ランプ５３及び可動体ソレノイド５７にそれぞれ印加される。
【０２２１】
上記の液晶表示器４２は遊技盤ユニット８の裏側に設置されており、遊技盤ユニット８に形成された略矩形の開口を通じてその表示画面が視認可能となっている。また、遊技盤ユニット８の裏側にはインバータ基板１５８が設置されており、このインバータ基板１５８は液晶表示器４２のバックライト（例えば冷陰極管）に印加される交流電源を生成している。さらに、遊技盤ユニット８の裏側には演出表示制御装置１４４が設置されており、液晶表示器４２による表示動作は、演出表示制御装置１４４により制御されている。演出表示制御装置１４４には、汎用の中央演算処理装置である表示制御ＣＰＵ１４６とともに、表示プロセッサであるＶＤＰ１５２を実装した回路基板（演出表示制御基板）が装備されている。このうち表示制御ＣＰＵ１４６は、図示しないＣＰＵコアとともにＲＯＭ１４８、ＲＡＭ１５０等の半導体メモリを集積したＬＳＩとして構成されている。また、ＶＤＰ１５２は、図示しないプロセッサコアとともに画像ＲＯＭ１５４やＶＲＡＭ１５６等の半導体メモリを集積したＬＳＩとして構成されている。なお、ＶＲＡＭ１５６は、その記憶領域の一部をフレームバッファとして利用することができる。
【０２２２】
演出制御ＣＰＵ１２６のＲＯＭ１２８には、演出の制御に関する基本的なプログラムが格納されており、演出制御ＣＰＵ１２６は、このプログラムに沿って演出の制御を実行する。演出の制御には、上記のように各種ランプ４６〜５３等やスピーカ５４，５５，５６を用いた演出の制御が含まれる他、液晶表示器４２を用いた画像表示による演出の制御が含まれる。演出制御ＣＰＵ１２６は、表示制御ＣＰＵ１４６に対して演出に関する基本的な情報（例えば演出番号）を送信し、これを受け取った表示制御ＣＰＵ１４６は、基本的な情報に基づいて具体的に演出用の画像を表示する制御を行う。
【０２２３】
表示制御ＣＰＵ１４６は、ＶＤＰ１５２に対してさらに詳細な制御信号を出力する。これを受け取ったＶＤＰ１５２は、制御信号に基づいて画像ＲＯＭ１５４にアクセスし、そこから必要な画像データを読み出してＶＲＡＭ１５６に転送する。さらに、ＶＤＰ１５２は、ＶＲＡＭ１５６上で画像データを１フレーム（単位時間あたりの静止画像）ごとにフレームバッファに展開し、ここでバッファされた画像データに基づき液晶表示器４２の各画素（フルカラー画素）を個別に駆動する。
【０２２４】
その他、内枠アセンブリ７の裏側には電源制御ユニット１６２（電源制御手段）が装備されている。この電源制御ユニット１６２はスイッチング電源回路を内蔵し、電源コード１６４を通じて島設備から外部電力（例えばＡＣ２４Ｖ等）を取り込むと、そこから必要な電力（例えばＤＣ＋３４Ｖ、＋１２Ｖ等）を生成することができる。電源制御ユニット１６２で生成された電力は、主制御装置７０や発射持ち球管理装置９２、演出制御装置１２４、インバータ基板１５８に分配されている。さらに、発射持ち球管理装置９２を経由して発射制御基板１０８や発射モータ３０２、球送りモータ５０２に電力が供給されている他、遊技球等貸出装置接続端子板１２０を経由してカードユニット２１０に電力が供給されている。なお、ロジック用の低電圧電力（例えばＤＣ＋５Ｖ）は、各装置に内蔵された電源用ＩＣ（３端子レギュレータ等）で生成される。また、上記のように電源制御ユニット１６４は、アース線１６６を通じて島設備にアース（接地）されている。
【０２２５】
以上がパチンコ機１の制御に関する構成例である。続いて、主制御装置７０の主制御ＣＰＵ７２により実行される制御上の処理について説明する。
【０２２６】
〔リセットスタート（メイン）処理〕
パチンコ機１に電源が投入されると、主制御ＣＰＵ７２はリセットスタート処理を開始する。リセットスタート処理は、前回の電源遮断時に保存されたバックアップ情報を元に遊技状態を復旧（いわゆる復電）したり、逆にバックアップ情報をクリアしたりすることで、パチンコ機１の初期状態を整えるための処理である。また、リセットスタート処理は、初期状態の調整後にパチンコ機１の安定した遊技動作を保証するためのメイン処理（メイン制御プログラム）として位置付けられる。
【０２２７】
図１８及び図１９は、リセットスタート処理の手順例を示すフローチャートである。以下、主制御ＣＰＵ７２が行う処理について、各手順を追って説明する。
【０２２８】
ステップＳ１０１：主制御ＣＰＵ７２は、先ずスタックポインタにスタック領域の先頭アドレスをセットする。
【０２２９】
ステップＳ１０２：続いて主制御ＣＰＵ７２は、ベクタ方式の割込モード（モード２）を設定し、デフォルトであるＲＳＴ方式の割込モード（モード０）を修正する。これにより、以後、主制御ＣＰＵ７２は任意のアドレス（ただし最下位ビットは０）を割込ベクタとして参照し、指定の割込ハンドラを実行することができる。
【０２３０】
ステップＳ１０３：主制御ＣＰＵ７２は、ここでリセット時待機処理を実行する。この処理は、リセットスタート（例えば電源投入）時にある程度の待機時間（例えば数千ｍｓ程度）を確保しておき、その間に主電源断検出信号のチェックを行うためのものである。具体的には、主制御ＣＰＵ７２は待機時間分のループカウンタをセットすると、ループカウンタの値をデクリメントしながら主電源断検出信号の入力ポートをビットチェックする。主電源断検出信号は、例えば周辺デバイスである電源監視ＩＣから入力される。そして、ループカウンタが０になる前に主電源断検出信号の入力を確認すると、主制御ＣＰＵ７２は先頭から処理を再開する。これにより、例えば図示しない主電源スイッチの投入と切断の操作が短時間（１〜２秒程度）内に繰り返し行われた場合のシステム保護を図ることができる。
【０２３１】
ステップＳ１０４：次に主制御ＣＰＵ７２は、ＲＡＭ７６のワーク領域に対するアクセスを許可する。具体的には、ワーク領域のＲＡＭプロテクト設定値をリセット（００Ｈ）する。これにより、以後はＲＡＭ７６のワーク領域に対するアクセスが許可された状態となる。
【０２３２】
ステップＳ１０５：また、主制御ＣＰＵ７２、割り込みマスクを設定するためにマスクレジスタの初期設定を行う。具体的には、ＣＴＣ割り込みを有効にする値をマスクレジスタに格納する。
【０２３３】
ステップＳ１０６：主制御ＣＰＵ７２は、先に退避しておいたＲＡＭクリアスイッチからの入力信号を参照し、ＲＡＭクリアスイッチが操作（スイッチＯＮ）されたか否かを確認する。ＲＡＭクリアスイッチが操作されていなければ（Ｎｏ）、次にステップＳ１０７を実行する。
【０２３４】
ステップＳ１０７：次に主制御ＣＰＵ７２は、ＲＡＭ７６にバックアップ情報が保存されているか否か、つまり、バックアップ有効判定フラグがセットされているか否かを確認する。前回の電源遮断処理でバックアップが正常に終了し、バックアップ有効判定フラグ（例えば「Ａ５５ＡＨ」）がセットされていれば（Ｙｅｓ）、次に主制御ＣＰＵ７２はステップＳ１０８を実行する。
【０２３５】
ステップＳ１０８：主制御ＣＰＵ７２は、ＲＡＭ７６のバックアップ情報についてサムチェックを実行する。具体的には、主制御ＣＰＵ７２はＲＡＭ７６のワーク領域（使用禁止領域及びスタック領域を含むユーザワーク領域）のうち、バックアップ有効判定フラグ及びサムチェックバッファを除く全ての領域をサムチェックする。サムチェックの結果が正常であれば（Ｙｅｓ）、次に主制御ＣＰＵ７２はステップＳ１０９を実行する。
【０２３６】
ステップＳ１０９：主制御ＣＰＵ７２は、バックアップ有効判定フラグをリセット（例えば「００００Ｈ」）する。
ステップＳ１１０：また、主制御ＣＰＵ７２は、前回の電源断発生直前に送信待ちであったコマンドをクリアする。
【０２３７】
ステップＳ１１１：次に主制御ＣＰＵ７２は、演出制御復帰処理を実行する。この処理では、主制御ＣＰＵ７２は演出制御装置１２４に対し、復帰用のコマンド（例えば機種指定コマンド、特別図柄確率状態指定コマンド、特図先判定演出コマンド、作動記憶数増加時演出コマンド、作動記憶数減少時演出コマンド、回数切りカウンタ残数コマンド、特別遊技状態指定コマンド等）を送信する。これを受けて演出制御装置１２４は、前回の電源遮断時に実行中であった演出状態（例えば、内部確率状態、演出図柄の表示態様、作動記憶数の演出表示態様、音響出力内容、各種ランプの発光状態等）を復帰させることができる。
【０２３８】
ステップＳ１１２：主制御ＣＰＵ７２は、状態復帰処理を実行する。この処理では、主制御ＣＰＵ７２はバックアップ情報を元にＲＡＭ７６のワーク領域に各種の値をセットし、前回の電源遮断時に実行中であった遊技状態（例えば、特別図柄の表示態様、内部確率状態、作動記憶内容、各種フラグ状態、乱数更新状態等）を復帰させる。また、主制御ＣＰＵ７２は、バックアップされていたＰＣレジスタの値を復旧する。
【０２３９】
一方、電源投入時にＲＡＭクリアスイッチが操作されていた場合（ステップＳ１０６：Ｙｅｓ）や、バックアップ有効判定フラグがセットされていなかった場合（ステップＳ１０７：Ｎｏ）、あるいは、バックアップ情報が正常でなかった場合（ステップＳ１０８：Ｎｏ）、主制御ＣＰＵ７２はステップＳ１１３に移行する。
【０２４０】
ステップＳ１１３：主制御ＣＰＵ７２は、ＲＡＭ７６の使用禁止領域以外の記憶内容をクリアする。これにより、ＲＡＭ７６のワーク領域及びスタックエリアは全て初期化され、有効なバックアップ情報が保存されていても、その内容は消去される。
ステップＳ１１４：また、主制御ＣＰＵ７２は、ＲＡＭ７６の初期設定を行う。
【０２４１】
ステップＳ１１５：主制御ＣＰＵ７２は、演出制御出力処理を実行する。この処理では、主制御ＣＰＵ７２が初期設定後に演出制御装置１２４に送信するべきコマンド（演出制御に必要なコマンド）を出力する。
【０２４２】
ステップＳ１１６：主制御ＣＰＵ７２は、持ち球管理開始処理を実行する。この処理では、主制御ＣＰＵ７２は発射持ち球管理装置９２に対して、持ち球データの管理を開始するための指示コマンドを出力する。
【０２４３】
ステップＳ１１７：主制御ＣＰＵ７２は、ＣＴＣ初期設定処理を実行し、周辺デバイスであるＣＴＣ（カウンタ／タイマ回路）の初期設定を行う。この処理では、主制御ＣＰＵ７２は割込ベクタレジスタを設定し、また、ＣＴＣに割り込みカウント値（例えば４ｍｓ）を設定する。これにより、次にＣＴＣ割り込みが発生すると、主制御ＣＰＵ７２はバックアップされていたＰＣレジスタのプログラムアドレスから処理を続行することができる。
【０２４４】
リセットスタート処理において以上の手順を実行すると、主制御ＣＰＵ７２は図１９に示されるメインループに移行する（接続記号Ａ→Ａ）。
【０２４５】
ステップＳ１１８，ステップＳ１１９：主制御ＣＰＵ７２は割込を禁止した上で、電源断発生チェック処理を実行する。この処理では、主制御ＣＰＵ７２は主電源断検出信号の入力ポートをビットチェックし、電源遮断の発生（駆動電圧の低下）を監視する。電源遮断が発生すると、主制御ＣＰＵ７２は普通電動役物ソレノイド８８や大入賞口ソレノイド９０等に対応する出力ポートバッファをクリアすると、ＲＡＭ７６のワーク領域のうちバックアップ有効判定フラグ及びサムチェックバッファを除く全体の内容をバックアップし、サムチェックバッファにサム結果値を保存する。そして、主制御ＣＰＵ７２はバックアップ有効判定フラグ領域に上記の有効値（例えば「Ａ５５ＡＨ」）を格納し、ＲＡＭ７６のアクセスを禁止して処理を停止（ＮＯＰ）する。一方、電源遮断が発生しなければ、主制御ＣＰＵ７２は次にステップＳ１２０を実行する。なお、このような電源断発生時の処理をマスク不能割込（ＮＭＩ）処理としてＣＰＵに実行させている公知のプログラミング例もある。
【０２４６】
ステップＳ１２０：主制御ＣＰＵ７２は、初期値更新乱数更新処理を実行する。この処理では、主制御ＣＰＵ７２は、各種のソフトウェア乱数の初期値を更新（変更）するための乱数をインクリメントする。本実施形態では、大当り決定乱数（ハードウェア乱数）、及び普通図柄に対応する当り決定乱数（ハードウェア乱数）を除く各種の乱数（例えば、大当り図柄乱数、リーチ判定乱数、変動パターン決定乱数等）をプログラム上で発生させている。これらソフトウェア乱数は、別の割込処理（図２１中のステップＳ２０１）で所定範囲内のループカウンタにより更新されているが、この処理において乱数値が１巡するごとにループカウンタの初期値（全ての乱数が対象でなくてもよい）を変更している。初期値更新用乱数は、この初期値をランダムに変更するために用いられており、ステップＳ１２０では、その初期値更新用乱数の更新を行っている。なお、ステップＳ１１８で割込を禁止した後にステップＳ１２０を実行しているのは、別の割込管理処理（図２１中のステップＳ２０２）でも同様の処理を実行するため、これとの重複（競合）を防止するためである。なお、上記のように、本実施形態において大当り決定乱数及び当り決定乱数は乱数発生器７５により発生されるハードウェア乱数であり、その更新周期はタイマ割込周期（例えば数ｍｓ）よりもさらに高速（例えば数μｓ）であるため、大当り決定乱数及び当り決定乱数の初期値を更新する必要はない。
【０２４７】
ステップＳ１２１，ステップＳ１２２：主制御ＣＰＵ７２は割込を許可し、その他乱数更新処理を実行する。この処理で更新される乱数は、ソフトウェア乱数のうち当選種類（当り種別）の判定に関わらない乱数（リーチ判定乱数、変動パターン決定乱数等）である。この処理は、メインループの実行中にタイマ割込が発生し、主制御ＣＰＵ７２が別の割込管理処理（図２１）を実行した場合の残り時間で行われる。なお、割込管理処理の内容については後述する。
【０２４８】
〔電源断発生チェック処理〕
図２０は、上記の電源断発生チェック処理の手順例を具体的に示すフローチャートである。
ステップＳ１３０：ここでは先ず、主制御ＣＰＵ７２は、電源断発生チェックのための条件を設定する。このチェック条件は、例えば主電源断検出信号が継続して出力されていることを確認するためのオンカウンタ値として設定することができる。
【０２４９】
ステップＳ１３２：次に主制御ＣＰＵ７２は、主電源断検出スイッチ入力用ポートをリードし、主電源断検出信号が出力されているか否かを確認（特定のビットをチェック）する。特に図示していないが、主電源断検出スイッチは例えば主制御装置７０に実装されており、この主電源断検出スイッチは、電源制御ユニット１６２から供給される駆動電圧を監視し、その電圧レベルが基準電圧を下回った場合に主電源断検出信号を出力する。なお、主電源断検出スイッチは電源制御ユニット１６２に内蔵されていてもよい。主制御ＣＰＵ７２は、現時点で主電源断検出信号が出力されていないことを確認すると（Ｎｏ）、この処理を抜けてリセットスタート処理に復帰する。一方、主電源断検出信号が出力されていることを確認した場合（Ｙｅｓ）、主制御ＣＰＵ７２は次のステップＳ１３４に進む。
【０２５０】
ステップＳ１３４：主制御ＣＰＵ７２は、上記のチェック条件を満たすか否かを確認する。具体的には、先のステップＳ１３０で設定したオンカウンタ値を例えば１減算し、その結果が０になったか否かを確認する。現時点で未だオンカウンタ値が０でなければ（Ｎｏ）、主制御ＣＰＵ７２はステップＳ１３２に戻って主電源断検出スイッチ入力用ポートを改めて確認する。そして、ステップＳ１３４からステップＳ１３２へのループを繰り返してチェック条件が満たされると（ステップＳ１３４：Ｙｅｓ）、主制御ＣＰＵ７２は次にステップＳ１３６に進む。
【０２５１】
ステップＳ１３６：主制御ＣＰＵ７２は、上記のように普通電動役物ソレノイド８８や大入賞口ソレノイド９０に対応する出力ポートに加え、試験信号端子やコマンド制御信号に対応する出力ポートバッファをクリアする。
【０２５２】
ステップＳ１３８，ステップＳ１４０：次に主制御ＣＰＵ７２は、ＲＡＭ７６のワーク領域のうち、バックアップ有効判定フラグ及びサムチェックバッファを除く全体の内容を１バイト単位で加算し、全領域について加算を完了するまで繰り返す。
ステップＳ１４２：全領域についてサムの算出が完了すると（ステップＳ１４０：Ｙｅｓ）、主制御ＣＰＵ７２はサムチェックバッファにサム結果値を保存する。
【０２５３】
ステップＳ１４４：次に主制御ＣＰＵ７２は、上記のようにバックアップ有効判定フラグ領域に有効値を格納する。
ステップＳ１４６：また、主制御ＣＰＵ７２は、ＲＡＭ７６のプロテクト値にアクセス禁止を表す「０１Ｈ」を格納し、ＲＡＭ７６のワーク領域（使用禁止領域及びスタック領域を含む）に対するアクセスを禁止する。
ステップＳ１４８：そして、主制御ＣＰＵ７２は待機ループに入り、主電源断の遮断に備えて他の処理を全て停止する。主電源断の発生後は、図示しないバックアップ電源回路（例えば主制御装置７０に実装された容量素子を含む回路）からバックアップ用電力が供給されるため、ＲＡＭ７６の記憶内容は主電源断後も消失することなく保持される。なお、バックアップ用電源回路は、例えば電源制御ユニット１６２に内蔵されていてもよい。
【０２５４】
以上の処理を通じて、バックアップ対象（サム加算対象）となるＲＡＭ７６のワーク領域に記憶されていた情報は、全て主電源断の後もＲＡＭ７６に記憶として保持されることになる。また、保持されていた記憶は、先のリセットスタート処理（図１８）でチェックサムの正常を確認した上で、電源断時のバックアップ情報として復元される。
【０２５５】
〔割込管理処理（タイマ割込処理）〕
次に、割込管理処理（タイマ割込処理）について説明する。図２１は、割込管理処理の手順例を示すフローチャートである。主制御ＣＰＵ７２は、カウンタ／タイマ回路からの割込要求信号に基づき、所定時間（例えば数ｍｓ）ごとに割込管理処理を実行する。以下、各手順を追って説明する。
【０２５６】
ステップＳ２００：先ず主制御ＣＰＵ７２は、メインループの実行中に使用していたレジスタ（アキュムレータＡとフラグレジスタＦ、汎用レジスタＢ〜Ｌの各ペア）の値をＲＡＭ７６の退避領域に退避させる。値を退避させた後のレジスタ（Ａ〜Ｌ）には、割込管理処理の中で別の値を書き込むことができる。
【０２５７】
ステップＳ２０１：次に主制御ＣＰＵ７２は、抽選乱数更新処理を実行する。この処理では、主制御ＣＰＵ７２は抽選用の各種乱数を発生させるためのカウンタの値を更新する。各カウンタの値は、ＲＡＭ７６のカウンタ領域にてインクリメントされ、それぞれ規定の範囲内でループする。各種乱数には、例えば大当り図柄乱数等が含まれる。
【０２５８】
ステップＳ２０２：主制御ＣＰＵ７２は、ここでも初期値更新乱数更新処理を実行する。処理の内容は、先に述べたものと同じである。
【０２５９】
ステップＳ２０３：主制御ＣＰＵ７２は、入力処理を実行する。この処理では、主制御ＣＰＵ７２は入出力（Ｉ／Ｏ）ポート７９から各種スイッチ信号を入力する。具体的には、ゲートスイッチ７８からの通過検出信号や、上始動入賞口スイッチ８０、下始動入賞口スイッチ８２、カウントスイッチ８４、入賞口スイッチ８６からの入賞検出信号の入力状態（ＯＮ／ＯＦＦ）をリードする。
【０２６０】
ステップＳ２０３ａ：主制御ＣＰＵ７２は、セキュリティ管理処理を実行する（不正行為検出手段、遊技エラー検出手段）。この処理では、主制御ＣＰＵ７２は先の入力処理（ステップＳ２０３）でリードした入賞検出信号の入力状態（ＯＮ／ＯＦＦ）に基づいて、不正な入賞が発生したか否かの判定や、過度な入賞が発生しているか否かの判定を行う。また、主制御ＣＰＵ７２は、上記の磁気センサ２０２や振動センサ２０４、電波センサ２０６による不正行為の監視を行う。そして、主制御ＣＰＵ７２は、不正行為が実行されたと判断した場合、不正エラーコマンドや発射禁止コマンドを生成する。なお、主制御ＣＰＵ７２は、その後に不正対応処理を実行する。不正対応処理は、例えば、不正入賞による入賞検出信号のビットをＯＮからＯＦＦに書き換える処理や、警告を発生させる処理、遊技停止等の処理である。
【０２６１】
ステップＳ２０４：次に主制御ＣＰＵ７２は、スイッチ入力イベント処理を実行する。この処理では、先の入力処理で入力したスイッチ信号のうち、ゲートスイッチ７８、上始動入賞口スイッチ８０、下始動入賞口スイッチ８２からの入賞検出信号に基づいて遊技中に発生した事象の判定を行い、それぞれ発生した事象に応じて、さらに別の処理を実行する。なお、スイッチ入力イベント処理の具体的な内容については、さらに別のフローチャートを用いて後述する。
【０２６２】
本実施形態では、上始動入賞口スイッチ８０又は下始動入賞口スイッチ８２から入賞検出信号（ＯＮ）が入力されると、主制御ＣＰＵ７２はそれぞれ第１特別図柄又は第２特別図柄に対応した内部抽選の契機（抽選契機）となる事象が発生したと判定する。また、ゲートスイッチ７８から通過検出信号（ＯＮ）が入力されると、主制御ＣＰＵ７２は普通図柄に対応した抽選契機となる事象が発生したと判定する。いずれかの事象が発生したと判定すると、主制御ＣＰＵ７２は、それぞれの発生事象に応じた処理を実行する。なお、上始動入賞口スイッチ８０又は下始動入賞口スイッチ８２から入賞検出信号が入力された場合に実行される処理については、さらに別のフローチャートを用いて後述する。
【０２６３】
ステップＳ２０５，ステップＳ２０６：主制御ＣＰＵ７２は、割込管理処理中において特別図柄遊技処理及び普通図柄遊技処理を実行する。これら処理は、パチンコ機１における遊技を具体的に進行させるためのものである。このうち特別図柄遊技処理（ステップＳ２０５）では、主制御ＣＰＵ７２は先に述べた第１特別図柄又は第２特別図柄に対応する内部抽選の実行を制御したり、第１特別図柄表示装置３４及び第２特別図柄表示装置３５による変動表示や停止表示を制御したり、その表示結果に応じて可変入賞装置３０の作動を制御したりする。なお、特別図柄遊技処理の詳細については、さらに別のフローチャートを用いて後述する。
【０２６４】
また、普通図柄遊技処理（ステップＳ２０６）では、主制御ＣＰＵ７２は先に述べた普通図柄表示装置３３による変動表示や停止表示を制御したり、その表示結果に応じて可変始動入賞装置２８の作動を制御したりする。例えば、主制御ＣＰＵ７２は先のスイッチ入力イベント処理（ステップＳ２０４）の中で始動ゲート２０の通過を契機として取得した乱数（普通図柄当り決定乱数）を記憶しておき、この普通図柄遊技処理の中で記憶から乱数値を読み出し、所定の当り範囲内に該当するか否かの判定を行う（作動抽選実行手段）。乱数値が当り範囲内に該当する場合、普通図柄表示装置３３により普通図柄を変動表示させて所定の当り態様で普通図柄の停止表示を行った後、主制御ＣＰＵ７２は普通電動役物ソレノイド８８を励磁して可変始動入賞装置２８を作動させる（可動片作動手段）。一方、乱数値が当り範囲外であれば、主制御ＣＰＵ７２は、変動表示の後にはずれの態様で普通図柄の停止表示を行う。
【０２６５】
ステップＳ２０７：次に主制御ＣＰＵ７２は、入賞データコマンド生成処理を実行する。この処理では、先の入力処理（ステップＳ２０３）において各種スイッチ８０，８２，８４，８６から入力された入賞検出信号に基づき、発射持ち球管理装置９２に対して送信するための入賞データコマンドを生成する処理を実行する。例えば、上始動入賞口スイッチ８０又は下始動入賞口スイッチ８２からの入賞検出信号を確認した場合、上始動入賞口スイッチ８０又は下始動入賞口スイッチ８２での賞球に対応する「３」の値を含む入賞データコマンドを生成する。また、カウントスイッチ８４からの入賞検出信号を確認した場合、カウントスイッチ８４での賞球に対応する「１５」の値を含む入賞データコマンドを生成する。さらに、入賞口スイッチ８６からの入賞検出信号を確認した場合、入賞口スイッチ８６での賞球に対応する「１０」の値を含む入賞データコマンドを生成する。なお、ここで生成された入賞データコマンドは、後述する発射持ち球管理装置出力処理（ステップＳ２１２ａ）において発射持ち球管理装置９２に送信される。
【０２６６】
ステップＳ２０８：次に主制御ＣＰＵ７２は、外部情報処理を実行する。この処理では、主制御ＣＰＵ７２は遊技球等貸出装置接続端子板１２０及びカードユニット２１０を通じて遊技場のホールコンピュータに対して外部情報信号（例えば賞球情報、扉開放情報、図柄確定回数情報、大当り情報、始動口情報等）を送信するために、外部情報信号をポート出力要求バッファに格納する。
【０２６７】
なお、本実施形態では、各種の外部情報信号のうち、例えば大当り情報として「大当り１」〜「大当り５」を外部に出力することで、パチンコ機１に接続された外部の電子機器（データ表示器やホールコンピュータ）に対して多様な大当り情報を提供することができる（外部情報信号出力手段）。すなわち、大当り情報を複数の「大当り１」〜「大当り５」に分けて出力することで、これらの組み合わせから大当りの種別（当選種類）を図示しないホールコンピュータで集計・管理したり、内部的な確率状態（低確率状態又は高確率状態）や図柄変動時間の短縮状態の変化を認識したり、非当選以外であっても「大当り」に分類されない小当り（条件装置が作動しない当り）の発生を集計・管理したりすることが可能となる。また、大当り情報に基づき、例えば図示しないデータ表示装置によりパチンコ機１の台ごとに過去数営業日以内の大当り発生回数を計数及び表示したり、台ごとに現在大当り中であるか否かを認識したり、あるいは台ごとに現在図柄変動時間の短縮状態であるか否かを認識したりすることができる。この外部情報処理において、主制御ＣＰＵ７２は「大当り１」〜「大当り５」のそれぞれの出力状態（ＯＮ又はＯＦＦのセット）を詳細に制御する。
【０２６８】
ステップＳ２０９：また、主制御ＣＰＵ７２は、試験信号処理を実行する。この処理では、主制御ＣＰＵ７２が自己の内部状態（例えば、普通図柄遊技管理状態、特別図柄遊技管理状態、大当り中、確率変動機能作動中、時間短縮機能作動中）を表す各種の試験信号を生成し、これらをポート出力要求バッファに格納する。この試験信号により、例えば主制御装置７０の外部で主制御ＣＰＵ７２の内部状態を試験することができる。
【０２６９】
ステップＳ２１０：次に主制御ＣＰＵ７２は、表示出力管理処理を実行する。この処理では、主制御ＣＰＵ７２は普通図柄表示装置３３、普通図柄作動記憶ランプ３３ａ、第１特別図柄表示装置３４、第２特別図柄表示装置３５、第１特別図柄作動記憶ランプ３４ａ、第２特別図柄作動記憶ランプ３５ａ、遊技状態表示装置３８等の点灯状態を制御する。具体的には、先の特別図柄遊技処理（ステップＳ２０５）や普通図柄遊技処理（ステップＳ２０６）においてポート出力要求バッファに格納されている駆動信号をポート出力する。なお、駆動信号は、各ＬＥＤに対して印加するバイトデータとしてポート出力要求バッファに格納されている。これにより、各ＬＥＤが所定の表示態様（図柄の変動表示や停止表示、作動記憶数表示、遊技状態表示等を行う態様）で駆動されることになる。
【０２７０】
ステップＳ２１１：また、主制御ＣＰＵ７２は、出力管理処理を実行する。この処理では、主制御ＣＰＵ７２は先の外部情報処理（ステップＳ２０８）でポート出力要求バッファに格納された外部情報信号（バイトデータ）をポート出力する。また、主制御ＣＰＵ７２は、ポート出力要求バッファに格納されている普通電動役物ソレノイド８８及び大入賞口ソレノイド９０の各駆動信号、試験信号等を合わせてポート出力する。
【０２７１】
ステップＳ２１２：主制御ＣＰＵ７２は、演出制御出力処理を実行する。この処理では、コマンドバッファ内に主制御ＣＰＵ７２が演出制御装置１２４に送信するべきコマンド（演出制御に必要なコマンド）があるか否かを確認し、未送信コマンドがある場合は出力対象のコマンドをポート出力する。
【０２７２】
ステップＳ２１２ａ：主制御ＣＰＵ７２は、発射持ち球管理装置出力処理を実行する。この処理では、コマンドバッファ内に主制御ＣＰＵ７２が発射持ち球管理装置９２に送信するべきコマンド（入賞データコマンド、不正エラーコマンド、発射禁止コマンド、遊技機状態情報コマンド等）があるか否かを確認し、未送信コマンドがある場合は出力対象のコマンドをポート出力する。なお、遊技機状態情報コマンドに含まれる内容の詳細は後述するが、主制御ＣＰＵ７２は必要に応じて遊技機状態情報コマンドを生成し、発射持ち球管理装置９２に送信する。
【０２７３】
ステップＳ２１３：そして、主制御ＣＰＵ７２は、今回のＣＴＣ割込で格納したポート出力要求バッファをクリアする。
【０２７４】
なお、本実施形態では、ステップＳ２０５〜ステップＳ２１２ａの処理（遊技制御プログラムモジュール）をタイマ割込処理として実行する例を挙げているが、これら処理をＣＰＵのメインループ中に組み込んで実行することもできる。
【０２７５】
ステップＳ２１４：以上の処理を終えると、主制御ＣＰＵ７２は割込終了を指定する値（０１Ｈ）を割込プログラムカウンタ内に格納し、ＣＴＣ割込を終了する。
【０２７６】
ステップＳ２１５，ステップＳ２１６：そして、主制御ＣＰＵ７２は、退避しておいたレジスタ（Ａ〜Ｌ）の値を復帰し、次回のＣＴＣ割込を許可する。この後、主制御ＣＰＵ７２は、メインループ（スタックポインタで指示されるプログラムアドレス）に復帰する。
【０２７７】
〔スイッチ入力イベント処理〕
図２２は、スイッチ入力イベント処理（図２１中のステップＳ２０４）の手順例を示すフローチャートである。以下、各手順を追って説明する。
【０２７８】
ステップＳ１０：主制御ＣＰＵ７２は、第１特別図柄に対応する上始動入賞口スイッチ８０から入賞検出信号が入力（第１事象が発生）されたか否かを確認する。この入賞検出信号の入力が確認された場合（Ｙｅｓ）、主制御ＣＰＵ７２は次のステップＳ１２に進んで第１特別図柄記憶更新処理を実行する（抽選要素記憶手段）。具体的な処理の内容については、別のフローチャートを用いてさらに後述する。一方、入賞検出信号の入力がなかった場合（Ｎｏ）、主制御ＣＰＵ７２はステップＳ１４に進む。
【０２７９】
ステップＳ１４：次に主制御ＣＰＵ７２は、第２特別図柄に対応する下始動入賞口スイッチ８２から入賞検出信号が入力（第２事象が発生）されたか否かを確認する。この入賞検出信号の入力が確認された場合（Ｙｅｓ）、主制御ＣＰＵ７２は次のステップＳ１６に進んで第２特別図柄記憶更新処理を実行する（抽選要素記憶手段）。ここでも同様に、具体的な処理の内容については別のフローチャートを用いてさらに後述する。一方、入賞検出信号の入力がなかった場合（Ｎｏ）、主制御ＣＰＵ７２はステップＳ１８に進む。
【０２８０】
ステップＳ１８：主制御ＣＰＵ７２は、大入賞口に対応するカウントスイッチ８４から入賞検出信号が入力されたか否かを確認する。この入賞検出信号の入力が確認された場合（Ｙｅｓ）、主制御ＣＰＵ７２は次のステップＳ２０に進んで大入賞口カウント処理を実行する。大入賞口カウント処理では、主制御ＣＰＵ７２は大当り遊技中に１ラウンドごとの可変入賞装置３０への入賞球数をカウントする。一方、入賞検出信号の入力がなかった場合（Ｎｏ）、主制御ＣＰＵ７２はステップＳ２２に進む。
【０２８１】
ステップＳ２２：主制御ＣＰＵ７２は、普通図柄に対応するゲートスイッチ７８から通過検出信号が入力されたか否かを確認する。この通過検出信号の入力が確認された場合（Ｙｅｓ）、主制御ＣＰＵ７２は次のステップＳ２４に進んで普通図柄記憶更新処理を実行する。普通図柄記憶更新処理では、主制御ＣＰＵ７２は現在の普通図柄作動記憶数が上限数（例えば４個）未満であるか否かを確認し、上限数に達していなければ、普通図柄当り乱数を取得する。また、主制御ＣＰＵ７２は、普通図柄作動記憶数を１インクリメントする。そして、主制御ＣＰＵ７２は、取得した普通図柄当り乱数値をＲＡＭ７６の乱数記憶領域に記憶させる。一方、入賞検出信号の入力がなかった場合（Ｎｏ）、主制御ＣＰＵ７２は割込管理処理（図２１）に復帰する。
【０２８２】
〔第１特別図柄記憶更新処理〕
図２３は、第１特別図柄記憶更新処理（図２２中のステップＳ１２）の手順例を示すフローチャートである。以下、第１特別図柄記憶更新処理の手順について順を追って説明する。
【０２８３】
ステップＳ３０：ここでは先ず、主制御ＣＰＵ７２は第１特別図柄作動記憶数カウンタの値を参照し、作動記憶数が最大値（例えば４とする）未満であるか否かを確認する。作動記憶数カウンタは、ＲＡＭ７６の乱数記憶領域に記憶されている大当り決定乱数や大当り図柄乱数等の個数（組数）を表すものである。すなわち、ＲＡＭ７６の乱数記憶領域は各図柄（第１特別図柄、第２特別図柄）別で４つのセクション（例えば各２バイト）に分けられており、各セクションには大当り決定乱数及び大当り図柄乱数を１個ずつセット（組）で記憶可能である。このとき、第１特別図柄に対応する作動記憶数カウンタの値が上限値に達していれば（Ｎｏ）、主制御ＣＰＵ７２はスイッチ入力イベント処理（図２２）に復帰する。一方、作動記憶数カウンタの値が最大値未満であれば（Ｙｅｓ）、主制御ＣＰＵ７２は次のステップＳ３１に進む。
【０２８４】
ステップＳ３１：主制御ＣＰＵ７２は、第１特別図柄作動記憶数を１つ加算する。第１特別図柄作動記憶数カウンタは、例えばＲＡＭ７６の作動記憶数領域に記憶されており、主制御ＣＰＵ７２はその値をインクリメント（＋１）する。ここで加算されたカウンタの値に基づき、表示出力管理処理（図２１中のステップＳ２１０）で第１特別図柄作動記憶ランプ３４ａの点灯状態が制御されることになる。
【０２８５】
ステップＳ３２：そして、主制御ＣＰＵ７２は、サンプリング回路７７を通じて乱数発生器７５から第１特別図柄に対応する大当り決定乱数値を取得する（第１抽選要素の取得、抽選要素取得手段）。乱数値の取得は、乱数発生器７５のピンアドレスを指定して行う。主制御ＣＰＵ７２が８ビット処理の場合、アドレスの指定は上位及び下位で１バイトずつ２回に分けて行われる。主制御ＣＰＵ７２は、指定したアドレスから大当り決定乱数値をリードすると、これを第１特別図柄に対応する大当り決定乱数として転送先のアドレスにセーブする。
【０２８６】
ステップＳ３３：次に主制御ＣＰＵ７２は、ＲＡＭ７６の大当り図柄乱数カウンタ領域から第１特別図柄に対応する大当り図柄乱数値を取得する。この乱数値の取得もまた、大当り図柄乱数カウンタ領域のアドレスを指定して行う。主制御ＣＰＵ７２は、指定したアドレスから大当り図柄乱数値をリードすると、これを第１特別図柄に対応する大当り図柄乱数として転送先のアドレスにセーブする。
【０２８７】
ステップＳ３４：また、主制御ＣＰＵ７２は、ＲＡＭ７６の変動用乱数カウンタ領域から、第１特別図柄の変動条件に関する乱数値として、リーチ判定乱数及び変動パターン決定乱数を順番に取得する（変動パターン決定要素取得手段）。これら乱数値の取得も同様に、変動用乱数カウンタ領域のアドレスを指定して行われる。そして、主制御ＣＰＵ７２は、指定したアドレスからリーチ判定乱数及び変動パターン決定乱数をそれぞれ取得すると、これらを転送先のアドレスにセーブする。
【０２８８】
ステップＳ３５：主制御ＣＰＵ７２は、セーブした大当り決定乱数、大当り図柄乱数、リーチ判定乱数及び変動パターン決定乱数をともに第１特別図柄に対応する乱数記憶領域に転送し、これら乱数を領域内の空きセクションにセットで記憶させる（記憶手段）。複数のセクションには順番（例えば第１〜第４）が設定されており、現段階で第１〜第４の全てのセクションが空きであれば、第１セクションから順に各乱数が記憶される。あるいは、第１セクションが既に埋まっており、その他の第２〜第４セクションが空きであれば、第２セクションから順に各乱数が記憶されていく。なお、乱数記憶領域の読み出しはＦＩＦＯ（Ｆｉｒｓｔ  Ｉｎ  Ｆｉｒｓｔ  Ｏｕｔ）形式である。
【０２８９】
ステップＳ３６：次に主制御ＣＰＵ７２は、現在の遊技管理状態（内部状態）が時間短縮機能作動中であるか否か、あるいは、大当り中であるか否かを確認する。大当り中以外であって時間短縮機能が非作動であれば（Ｎｏ）、主制御ＣＰＵ７２は次以降のステップＳ３７，Ｓ３８を実行する。時間短縮機能が作動中であるか、もしくは大当り中のいずれかであれば（Ｙｅｓ）、主制御ＣＰＵ７２はステップＳ３７，Ｓ３８をスキップしてステップＳ３８ａに進む。本実施形態においてこの判断を行っているのは、先ず大当り中は先読みによる演出を行わないためである。また、大当り中以外では、第１特別図柄の作動記憶と第２特別図柄の作動記憶がともに残存する場合、第１特別図柄よりも第２特別図柄の変動を優先して行う（第２特別図柄の作動記憶を優先して消費する）こととしており、特に時間短縮機能作動中は可変始動入賞装置２８の作動が高頻度で行われるからである。なお、時間短縮機能作動中は特別図柄の変動時間が短縮されることに加えて、普通図柄の当選確率が高確率（例えば低確率で２５１分の２５→２５１分の２４９程度）になり、また、普通図柄の変動時間が短縮（例えば非作動時で１０秒程度→１秒程度に短縮）されるとともに可変始動入賞装置２８の開放時間が延長（例えば非作動時で０．３秒程度→２．５秒程度に延長）され、さらに開放回数が増加（例えば、非作動時で１回→２回に増加）するため、遊技球の発射が長時間（普通図柄の作動記憶が全て途絶えて可変始動入賞装置２８が作動を停止する程度の時間）にわたって途切れない限り、第２特別図柄の変動を優先しても、その作動記憶が途切れにくくなっている（いわゆる電チューサポート）。ただし、第１特別図柄や第２特別図柄について優先順位を設けることなく、これらを入賞発生順に当り判定（変動）することとしてもよい。なお、ステップＳ３６は、例えば「時間短縮機能作動中」を判定するステップＳ３６ａと「大当り中」を判定するステップＳ３６ｂの２つに分割してもよい。
【０２９０】
ステップＳ３７：時間短縮機能が非作動の場合（ステップＳ３６：Ｎｏ）、主制御ＣＰＵ７２は第１特別図柄に関して取得時演出判定処理を実行する。この処理は、先のステップＳ３２〜Ｓ３４でそれぞれ取得した第１特別図柄の大当り決定乱数及び大当り図柄乱数に基づいて、事前（変動開始前）に内部抽選の結果を判定し、それによって演出内容を判定（いわゆる「先読み」）するためのものである。なお、具体的な処理の内容については別のフローチャートを参照しながらさらに後述する。
【０２９１】
ステップＳ３８：取得時演出判定処理から復帰すると、次に主制御ＣＰＵ７２は、第１特別図柄に関して特図先判定演出コマンドの上位バイト分（例えば「Ｂ８Ｈ」）をセットする。この上位バイトデータは、コマンド種別が「第１特別図柄に関する特図先判定演出用」であることを記述したものである。なお、特図先判定演出コマンドの下位バイト分は、先の取得時演出判定処理（ステップＳ３７）においてセットされているので、ここでは下位バイトに上位バイトを合成することで例えば１ワード長のコマンドが生成されることになる。
【０２９２】
ステップＳ３８ａ：次に主制御ＣＰＵ７２は、第１特別図柄に関して作動記憶数増加時演出コマンドをセットする。具体的には、コマンドの種別を表す上位バイトの先行値（例えば「ＢＢＨ」）に対し、増加後の作動記憶数（例えば「０１Ｈ」〜「０４Ｈ」）を下位バイトに付加した１ワード長の演出コマンドを生成する。このとき下位バイトについては、デフォルトで第２の位を「０」とすることにより、その値が「作動記憶数の増加による結果（変化情報）」であることを表している。つまり、下位バイトが「０１Ｈ」であれば、それは前回までの作動記憶数「００Ｈ」から１つ増加した結果、今回の作動記憶数が「０１Ｈ」となったことを表している。同様に、下位バイトが「０２Ｈ」〜「０４Ｈ」であれば、それは前回までの作動記憶数「０１Ｈ」〜「０３Ｈ」からそれぞれ１つ増加した結果、今回の作動記憶数が「０２Ｈ」〜「０４Ｈ」となったことを表している。なお、上記の先行値「ＢＢＨ」は、今回の演出コマンドが第１特別図柄についての作動記憶数コマンドであることを表す値である。
【０２９３】
ステップＳ３９：そして、主制御ＣＰＵ７２は、第１特別図柄に関して演出コマンド出力設定処理を実行する。この処理は、先のステップＳ３８で生成した特図先判定演出コマンドや、ステップＳ３８ａで生成した作動記憶数増加時演出コマンド、始動口入賞音制御コマンドを演出制御装置１２４に対して送信するためのものである（記憶数通知手段）。
【０２９４】
以上の手順を終えるか、もしくは第１特別図柄作動記憶数が４に達していた場合（ステップＳ３０：Ｎｏ）、主制御ＣＰＵ７２はスイッチ入力イベント処理（図２２）に復帰する。
【０２９５】
〔第２特別図柄記憶更新処理〕
次に図２４は、第２特別図柄記憶更新処理（図２２中のステップＳ１６）の手順例を示すフローチャートである。以下、第２特別図柄記憶更新処理の手順について順を追って説明する。
【０２９６】
ステップＳ４０：主制御ＣＰＵ７２は、第２特別図柄作動記憶数カウンタの値を参照し、作動記憶数が最大値未満であるか否かを確認する。第２特別図柄作動記憶数カウンタについても上記と同様に、ＲＡＭ７６の乱数記憶領域に記憶されている大当り決定乱数や大当り図柄乱数等の個数（組数）を表すものである。このとき第２特別図柄作動記憶数カウンタの値が最大値（例えば４とする）に達していれば（Ｎｏ）、主制御ＣＰＵ７２はスイッチ入力イベント処理（図２２）に復帰する。一方、未だ第２特別図柄作動記憶数カウンタの値が最大値未満であれば（Ｙｅｓ）、主制御ＣＰＵ７２は次のステップＳ４１以降に進む。
【０２９７】
ステップＳ４１：主制御ＣＰＵ７２は、第２特別図柄作動記憶数を１つ加算（第２特別図柄作動記憶数カウンタの値をインクリメント）する。先のステップＳ３１（図２３）と同様に、ここで加算されたカウンタの値に基づき、表示出力管理処理（図２１中のステップＳ２１０）で第２特別図柄作動記憶ランプ３５ａの点灯状態が制御されることになる。
【０２９８】
ステップＳ４２：そして、主制御ＣＰＵ７２は、サンプリング回路７７を通じて乱数発生器７５から第２特別図柄に対応する大当り決定乱数値を取得する（第２抽選要素の取得、抽選要素取得手段）。乱数値を取得する手法は、先に説明したステップＳ３２（図２３）と同様である。
【０２９９】
ステップＳ４３：次に主制御ＣＰＵ７２は、ＲＡＭ７６の大当り図柄乱数カウンタ領域から第２特別図柄に対応する大当り図柄乱数値を取得する。乱数値を取得する方法は、先に説明したステップＳ３３（図２３）と同様である。
【０３００】
ステップＳ４４：また、主制御ＣＰＵ７２は、ＲＡＭ７６の変動用乱数カウンタ領域から、第２特別図柄の変動条件に関するリーチ判定乱数及び変動パターン決定乱数を順番に取得する（変動パターン決定要素取得手段）。これら乱数値の取得もまた、先に説明したステップＳ３４（図２３）と同様に行われる。
【０３０１】
ステップＳ４５：主制御ＣＰＵ７２は、セーブした大当り決定乱数、大当り図柄乱数、リーチ判定乱数及び変動パターン決定乱数をともに第２特別図柄に対応する乱数記憶領域に転送し、これら乱数を領域内の空きセクションにセットで記憶させる（記憶手段）。記憶の手法は、先に説明したステップＳ３５（図２３）と同様である。
【０３０２】
ステップＳ４５ａ：次に主制御ＣＰＵ７２は、現在の遊技管理状態（内部状態）が大当り中であるか否かを確認する。そして、大当り中以外であれば（Ｎｏ）、主制御ＣＰＵ７２は次以降のステップＳ４６，Ｓ４７を実行する。逆に大当り中であれば（Ｙｅｓ）、主制御ＣＰＵ７２はステップＳ４６，Ｓ４７をスキップしてステップＳ４８に進む。本実施形態においてこの判断を行っているのは、大当り中は先読みによる演出を行わないためである。
【０３０３】
ステップＳ４６：大当り中以外である場合（ステップＳ４５ａ：Ｎｏ）、次に主制御ＣＰＵ７２は、第２特別図柄に関して取得時演出判定処理を実行する。この処理は、先のステップＳ４２〜Ｓ４４でそれぞれ取得した第２特別図柄の大当り決定乱数及び大当り図柄乱数に基づいて、事前（変動開始前）に内部抽選の結果を判定し、それによって演出内容を判定するためのものである。ここで、先のステップＳ４５ａで大当り中か否かだけを判定し、時間短縮機能の作動状態を判定していないのは、上記のように本実施形態では、大当り中以外の遊技において第１特別図柄よりも第２特別図柄を優先して変動させるため、大当り中以外は時間短縮機能の作動状態に関わらず、第２特別図柄については事前に内部抽選の結果を判定し、その結果を先読み演出に利用できるからである。なお、具体的な処理の内容は後述する。
【０３０４】
ステップＳ４７：取得時演出判定処理から復帰すると、次に主制御ＣＰＵ７２は特図先判定演出コマンドの上位バイト分（例えば「Ｂ９Ｈ」）をセットする。この上位バイトデータは、コマンド種別が「第２特別図柄に関する特図先判定演出用」であることを記述したものである。ここでも同様に、特図先判定演出コマンドの下位バイト分は、先の取得時演出判定処理（ステップＳ４６）においてセットされているので、ここでは下位バイトに上位バイトを合成することで例えば１ワード長のコマンドが生成されることになる。
【０３０５】
ステップＳ４８：次に主制御ＣＰＵ７２は、第２特別図柄に関して作動記憶数増加時演出コマンドをセットする。ここでは、コマンドの種別を表す上位バイトの先行値（例えば「ＢＣＨ」）に対し、増加後の作動記憶数（例えば「０１Ｈ」〜「０４Ｈ」）を下位バイトに付加した１ワード長の演出コマンドを生成する。第２特別図柄についても同様に、デフォルトで下位バイトの第２の位を「０」とすることにより、その値が「作動記憶数の増加による結果（変化情報）」であることを表すことができる。なお、先行値「ＢＣＨ」は、今回の演出コマンドが第２特別図柄についての作動記憶数コマンドであることを表す値である。
【０３０６】
ステップＳ４９：そして、主制御ＣＰＵ７２は、第２特別図柄に関して演出コマンド出力設定処理を実行する。これにより、第２特別図柄に関して特図先判定演出コマンドや作動記憶数増加時演出コマンド、始動口入賞音制御コマンド等を演出制御装置１２４に対して送信する準備が行われる（記憶数通知手段）。また、以上の手順を終えると、主制御ＣＰＵ７２はスイッチ入力イベント処理（図２２）に復帰する。
【０３０７】
〔取得時演出判定処理〕
図２５は、取得時演出判定処理の手順例を示すフローチャートである。主制御ＣＰＵ７２は、先の第１特別図柄記憶更新処理及び第２特別図柄記憶更新処理（図２３中のステップＳ３７，図２４中のステップＳ４６）においてこの取得時演出判定処理を実行する（先判定実行手段）。上記のように、この処理は第１特別図柄（上始動入賞口２６への入賞時）、第２特別図柄（可変始動入賞装置２８への入賞時）のそれぞれについて実行される。したがって以下の説明は、第１特別図柄に関する処理に該当する場合と、第２特別図柄に関する処理に該当する場合とがある。以下、各手順に沿って処理の内容を説明する。
【０３０８】
ステップＳ５０：主制御ＣＰＵ７２は、特図先判定演出コマンド（先判定情報）の下位バイト分（例えば「００Ｈ」）をセットする。なお、ここでセットしたバイトデータはコマンドの標準値（はずれ時）を表すものとなる。
【０３０９】
ステップＳ５２：次に主制御ＣＰＵ７２は、先判定用乱数値として大当り決定乱数をロードする。ここでロードする乱数は、先の第１特別図柄記憶更新処理（図２３中のステップＳ３５）又は第２特別図柄記憶更新処理（図２４中のステップＳ４５）でＲＡＭ７６に記憶されているものである。
【０３１０】
ステップＳ５４：そして、主制御ＣＰＵ７２は、ロードした乱数が当り値の範囲外（ここでは下限値以下）であるか否かを判定する（抽選結果先判定手段）。具体的には、主制御ＣＰＵ７２は比較値（下限値）をＡレジスタにセットし、この比較値からロードした乱数値を減算する。なお、比較値（下限値）は、パチンコ機１における内部抽選の当選確率に応じて予め規定されている。次に主制御ＣＰＵ７２は、例えばフラグレジスタの値から演算結果が０又は正の値であるか否かを判別する。その結果、ロードした乱数が当り値の範囲外であれば（Ｙｅｓ）、主制御ＣＰＵ７２はステップＳ８０に進む。
【０３１１】
ステップＳ８０：次に主制御ＣＰＵ７２は、はずれ時変動パターン情報事前判定処理を実行する（変動パターン先判定手段）。この処理では、主制御ＣＰＵ７２は、はずれ時の変動時間について上述した変動パターン先判定コマンドを生成する。ここで生成される変動パターン先判定コマンドには、特に「時間短縮機能」の作動時における変動時間（又は変動パターン番号）に関する事前の判定情報が反映される。例えば、現在の状態が「時間短縮機能」の作動時であれば、主制御ＣＰＵ７２はロードしたリーチ判定乱数に基づいて、変動時間が「はずれリーチ変動（非短縮変動時間）」に対応するものであるか否かを判断する。その結果、変動時間が「はずれリーチ変動（非短縮変動時間）」に対応するものである場合、主制御ＣＰＵ７２は「時短中非短縮変動時間」に対応する変動パターン先判定コマンドを生成する。なお、リーチ変動の場合はさらに、リーチモード乱数から「リーチグループ（リーチの種類）」をも判断し、その結果から変動パターン先判定コマンドを生成することとしてもよい。一方、変動時間が「はずれリーチ変動（非短縮変動時間）」に対応するものでない場合、主制御ＣＰＵ７２は「時短中短縮変動時間」に対応する変動パターン先判定コマンドを生成する。あるいは、現在の状態が「時間短縮機能」の非作動時（低確率状態）であれば、主制御ＣＰＵ７２はロードしたリーチ判定乱数に基づいて、変動時間が「通常はずれリーチ変動」に対応するものであるか否かを判断する。その結果、変動時間が「通常はずれリーチ変動」に対応するものである場合、主制御ＣＰＵ７２は「通常はずれリーチ変動時間」に対応する変動パターン先判定コマンドを生成する。一方、変動時間が「通常はずれリーチ変動」に対応するものでない場合、主制御ＣＰＵ７２は「通常はずれ変動時間」に対応する変動パターン先判定コマンドを生成する。また、ここで生成された変動パターン先判定コマンドは、上記のように演出コマンド出力設定処理（ステップＳ３９，Ｓ４９）で送信バッファにセットされる。なお、この処理において、主制御ＣＰＵ７２は、小当り時の変動パターンについて、上述したはずれ時の処理と同様に変動パターン先判定コマンドを生成してもよい。
【０３１２】
以上の手順を実行すると、主制御ＣＰＵ７２は取得時演出判定処理を終了し、呼び出し元の第１特別図柄記憶更新処理（図２３）又は第２特別図柄記憶更新処理（図２４）に復帰する。一方、先のステップＳ５４の判断において、ロードした乱数が当り値の範囲外でなく、範囲内であれば（ステップＳ５４：Ｎｏ）、主制御ＣＰＵ７２は次にステップＳ５６に進む。
【０３１３】
ステップＳ５６：主制御ＣＰＵ７２は、先判定結果による確率状態予定フラグがセットされているか否かを確認する。先判定結果による確率状態予定フラグは、未だ変動は開始されていないが、これまで記憶されている大当り決定乱数の中に当選値がある場合にセットされるものである。具体的には、これまでに記憶されている大当り決定乱数に当選値があった場合、これと組になる大当り図柄乱数が「確変図柄」に該当するものであれば、確率状態予定フラグに例えば「Ａ０Ｈ」がセットされる。この値は、この大当り決定乱数よりも後に取得された大当り決定乱数の事前判定（先読み判定）に際して、高確率状態になることを予定として設定するためのフラグ値を表すものである。一方、これまでに記憶されている大当り決定乱数に当選値があった場合であって、これと組になる大当り図柄乱数が「非確変（通常）図柄」に該当するものであれば、確率状態予定フラグに例えば「０１Ｈ」がセットされる。この値は、この大当り決定乱数よりも後に取得された大当り決定乱数の事前判定（先読み判定）に際して、通常（低）確率状態になることを予定として設定するためのフラグ値を表すものである。なお、これまでに記憶されている大当り決定乱数に当選値が未だ存在しなければ、フラグ値はリセット（００Ｈ）されている。また、確率状態予定フラグの値は、例えばＲＡＭ７６のフラグ領域に格納されている。なお、ここでは「確率状態予定フラグ」を用いて厳密に事前の当り判定を行う例を挙げているが、単純に現在の確率状態に基づいて事前の当り判定を行う場合、このステップＳ５６と以降のステップＳ５８，ステップＳ６０，ステップＳ６２，ステップＳ７６等を省略してもよい。
【０３１４】
主制御ＣＰＵ７２は、未だ確率状態予定フラグがセットされていなければ（ステップＳ５６：Ｎｏ）、次にステップＳ６６を実行する。
【０３１５】
ステップＳ６６：この場合、主制御ＣＰＵ７２は次に低確率時（通常時）用比較値をＡレジスタにセットする。なお、低確率時用比較値もまた、パチンコ機１における低確率時の当選確率に応じて予め規定されている。
【０３１６】
ステップＳ６８：次に主制御ＣＰＵ７２は、「現在の確率状態フラグ」をロードする。この確率状態フラグは、現在の内部状態が高確率（確変中）であるか否かを表すものであり、ＲＡＭ７６のフラグ領域内に記憶されているものである。現在の確率状態が高確率（確変中）であれば、状態フラグとして値「０１Ｈ」がセットされており、低確率（通常中）であれば、状態フラグの値はリセットされている（「００Ｈ」）。
【０３１７】
ステップＳ７０：そして、主制御ＣＰＵ７２は、ロードした現在の特別図柄確率状態フラグが高確率を表すものでない（≠０１Ｈ）か否かを確認し、その結果、高確率を表すものであれば（Ｎｏ）、次にステップＳ６４を実行する。
【０３１８】
ステップＳ６４：主制御ＣＰＵ７２は、高確率時用比較値をセットする。これにより、先のステップＳ６６でセットされた低確率時用比較値が書き換えられることになる。なお、高確率時用比較値は、パチンコ機１における高確率時の当選確率に応じて予め規定されている。
【０３１９】
このように、先判定結果による確率状態予定フラグが未だセットされていない場合であって、現在の内部状態が高確率の場合は、比較値を高確率時用に書き換えた上で次のステップＳ７２を実行することになる。これに対し、先のステップＳ７０で現在の確率状態フラグが高確率を表すものでないことを確認した場合（Ｙｅｓ）、主制御ＣＰＵ７２はステップＳ６４をスキップして次のステップＳ７２を実行する。
【０３２０】
ステップＳ７２：主制御ＣＰＵ７２は、先のステップＳ５２でロードした乱数が当り値の範囲外であるか否かを判定する（抽選結果先判定手段）。すなわち、主制御ＣＰＵ７２は状態別でセットした比較値から大当り決定乱数値を減算する。そして、主制御ＣＰＵ７２は、同様にフラグレジスタの値から演算結果が負の値（＜０）であるか否かを判別し、その結果、ロードした乱数が当り値の範囲外であれば（Ｙｅｓ）、主制御ＣＰＵ７２は上記のはずれ時変動パターン情報事前判定処理（ステップＳ８０）を実行する。これに対し、ロードした乱数が当り値の範囲外でなく、範囲内であれば（Ｎｏ）、主制御ＣＰＵ７２は次にステップＳ７４に進む。
【０３２１】
ステップＳ７４：主制御ＣＰＵ７２は、大当り図柄種別判定処理を実行する。この処理は、大当り決定乱数と組になっている大当り図柄乱数に基づいて、そのときの大当り種別（当選種類）を判定するためのものである。例えば、主制御ＣＰＵ７２は先の第１特別図柄記憶更新処理（図２３中のステップＳ３５）又は第２特別図柄記憶更新処理（図２４中のステップＳ４５）で記憶した図柄別の大当り図柄乱数をロードすると、上記のステップＳ５４と同様に比較値を用いた演算を実行し、その結果から大当り種別として「非確変（通常）図柄」又は「確変図柄」のいずれに該当するかを判別する。ただし、本実施形態では、非確変図柄は設定されていない。主制御ＣＰＵ７２は、このときの判別結果を特別図柄先判定値として記憶し、次のステップＳ７６に進む。
【０３２２】
ステップＳ７６：そして、主制御ＣＰＵ７２は、先判定結果による確率状態予定フラグの値をセットする。具体的には、先のステップＳ７４で記憶した特別図柄先判定値が「非確変（通常）図柄」を表す場合、主制御ＣＰＵ７２は確率状態予定フラグに値「０１Ｈ」をセットする。一方、特別図柄先判定値が「確変図柄」を表す場合、主制御ＣＰＵ７２は確率状態予定フラグに値「Ａ０Ｈ」をセットする。これにより、次回以降の処理ではステップＳ５６において「フラグセット済み」と判定されることになる。
【０３２３】
ステップＳ７８：主制御ＣＰＵ７２は、特図先判定演出コマンドの下位バイトとして、先のステップＳ７４で記憶した特別図柄先判定値をセットする。特別図柄先判定値は、例えば「非確変（通常）図柄」に該当する場合は「０１Ｈ」がセットされ、「確変図柄」に該当する場合は「Ａ０Ｈ」がセットされる。いずれにしても、ここで下位バイト分のデータをセットすることにより、先のステップＳ５０でセットした標準の下位バイトデータ「００Ｈ」が書き換えられることになる。
【０３２４】
ステップＳ７９：次に主制御ＣＰＵ７２は、大当り時変動パターン情報事前判定処理を実行する（変動パターン先判定手段）。この処理では、主制御ＣＰＵ７２は大当り時の変動時間について、上述した変動パターン先判定コマンドを生成する。ここで生成される変動パターン先判定コマンドには、例えば大当り時のリーチ変動時間（又は変動パターン番号）に関する事前の判定情報が反映される。また、ここで生成された変動パターン先判定コマンドは、上記のように演出コマンド出力設定処理（ステップＳ３９，Ｓ４９）で送信バッファにセットされる。
【０３２５】
以上は、先判定結果による確率状態予定フラグがセットされる前（内部初当り前）における手順である。これに対し、先のステップＳ７６を経て確率状態予定フラグがセットされた場合、以下の手順が実行される。ただし、上記のように現在の確率状態だけで事前の当り判定を行う場合、以下のステップＳ５６，ステップＳ５８，ステップＳ６０，ステップＳ６２、及びステップＳ７６を実行する必要はない。
【０３２６】
ステップＳ５６：主制御ＣＰＵ７２は、既に確率状態予定フラグに値がセットされていることを確認すると（Ｙｅｓ）、次にステップＳ５８を実行する。
【０３２７】
ステップＳ５８：主制御ＣＰＵ７２は、先ず低確率時（通常時）用比較値をＡレジスタにセットする。
【０３２８】
ステップＳ６０：次に主制御ＣＰＵ７２は、「確率状態予定フラグ」をロードする。確率状態予定フラグは、上記のように直前の先判定結果に基づきそれ以降の先判定において確率状態を予定的に設定するためのものであり、ＲＡＭ７６のフラグ領域内に記憶されているものである。直前の先判定結果に基づく確率状態が高確率（確変）に移行する予定であれば、上記のように確率状態予定フラグの値として「Ａ０Ｈ」がセットされており、逆に直前の先判定結果に基づく確率状態が低確率（通常）に戻る予定であれば、確率状態予定フラグの値として「０１Ｈ」がセットされている。
【０３２９】
ステップＳ６２：そして、主制御ＣＰＵ７２は、ロードした確率状態予定フラグが高確率の予定を表すものでない（≠０１Ｈ）か否かを確認し、その結果、高確率の予定を表すものであれば（Ｎｏ）、次にステップＳ６４を実行し、高確率時用比較値をセットする。
【０３３０】
このように、先判定結果による確率状態予定フラグが既にセットされており、その値が高確率を予定するものである場合は、比較値を高確率時用に書き換えた上で次のステップＳ７２以降を実行することになる。これに対し、先のステップＳ６２で確率状態予定フラグが高確率の予定を表すものでなく、通常（低）確率の予定を表すものであることを確認した場合（Ｙｅｓ）、主制御ＣＰＵ７２はステップＳ６４をスキップして次のステップＳ７２以降を実行する。これにより本実施形態では、先判定結果に基づくその後の内部状態の変化（通常確率状態→高確率状態、高確率状態→通常確率状態）を考慮した上で、事前の大当り判定を行うことができる。
【０３３１】
以上の手順を終えると、主制御ＣＰＵ７２は第１特別図柄記憶更新処理（図２３）又は第２特別図柄記憶更新処理（図２４）に復帰する。
【０３３２】
〔特別図柄遊技処理〕
次に、割込管理処理（図２１）の中で実行される特別図柄遊技処理の詳細について説明する。図２６は、特別図柄遊技処理の構成例を示すフローチャートである。特別図柄遊技処理は、実行選択処理（ステップＳ１０００）、特別図柄変動前処理（ステップＳ２０００）、特別図柄変動中処理（ステップＳ３０００）、特別図柄停止表示中処理（ステップＳ４０００）、可変入賞装置管理処理（ステップＳ５０００）のサブルーチン（プログラムモジュール）群を含む構成である。ここでは先ず、各処理に沿って特別図柄遊技処理の基本的な流れを説明する。
【０３３３】
ステップＳ１０００：実行選択処理において、主制御ＣＰＵ７２は次に実行するべき処理（ステップＳ２０００〜ステップＳ５０００のいずれか）のジャンプ先を「ジャンプテーブル」から選択する。例えば、主制御ＣＰＵ７２は次に実行するべき処理のプログラムアドレスをジャンプ先のアドレスとし、また、戻り先のアドレスとして特別図柄遊技処理の末尾をスタックポインタにセットする。
【０３３４】
いずれの処理を次のジャンプ先として選択するかは、これまでに行われた処理の進行状況（特別図柄遊技管理ステータス）によって異なる。例えば、未だ特別図柄が変動表示を開始していない状況であれば（特別図柄遊技管理ステータス：００Ｈ）、主制御ＣＰＵ７２は次のジャンプ先として特別図柄変動前処理（ステップＳ２０００）を選択する。一方、既に特別図柄変動前処理が完了していれば（特別図柄遊技管理ステータス：０１Ｈ）、主制御ＣＰＵ７２は次のジャンプ先として特別図柄変動中処理（ステップＳ３０００）を選択し、特別図柄変動中処理まで完了していれば（特別図柄遊技管理ステータス：０２Ｈ）、次のジャンプ先として特別図柄停止表示中処理（ステップＳ４０００）を選択するといった具合である。なお、本実施形態ではジャンプ先のアドレスを「ジャンプテーブル」で指定して処理を選択しているが、このような選択手法とは別に、「プロセスフラグ」や「処理選択フラグ」等を用いてＣＰＵが次に実行するべき処理を選択している公知のプログラミング例もある。このようなプログラミング例では、ＣＰＵが一通り各処理をＣＡＬＬし、その先頭ステップで一々フラグを参照して条件分岐（継続／リターン）することになるが、本実施形態の選択手法では、主制御ＣＰＵ７２が各処理を一々呼び出す手間は不要である。
【０３３５】
ステップＳ２０００：特別図柄変動前処理では、主制御ＣＰＵ７２は特別図柄の変動表示を開始するための条件を整える作業を行う。なお、具体的な処理の内容は、別のフローチャートを用いて後述する。
【０３３６】
ステップＳ３０００：特別図柄変動中処理では、主制御ＣＰＵ７２は変動タイマをカウントしつつ、第１特別図柄表示装置３４又は第２特別図柄表示装置３５の駆動制御を行う。具体的には、７セグメントＬＥＤの各セグメント及びドット（０番〜７番）に対してＯＮ又はＯＦＦの駆動信号（１バイトデータ）を出力する。駆動信号のパターンは時間の経過に伴って変化し、それによって特別図柄の変動表示が行われる。
【０３３７】
ステップＳ４０００：特別図柄停止表示中処理では、主制御ＣＰＵ７２は第１特別図柄表示装置３４又は第２特別図柄表示装置３５の駆動制御を行う。ここでも同様に、７セグメントＬＥＤの各セグメント及びドットに対してＯＮ又はＯＦＦの駆動信号を出力するが、駆動信号のパターンは一定であり、これにより特別図柄の停止表示が行われる。
【０３３８】
ステップＳ５０００：可変入賞装置管理処理は、先の特別図柄停止表示中処理において当りの態様（非当選以外の態様）で特別図柄が停止表示された場合に選択される。例えば、特別図柄が１５ラウンド確変大当りの態様で停止表示されると、それまでの通常状態から大当り遊技状態（遊技者にとって有利な特別遊技状態）に移行する契機が発生する。大当り遊技中は、先の実行選択処理（ステップＳ１０００）においてジャンプ先が可変入賞装置管理処理にセットされ、特別図柄の変動表示は行われない。可変入賞装置管理処理においては、大入賞口ソレノイド９０が一定時間（例えば２９秒間又は９個の入賞をカウントするまで）、予め設定された連続作動回数（例えば６回、１５回）にわたって励磁され、これにより可変入賞装置３０が決まったパターンで開閉動作する（特別電動役物の連続作動）。この間に可変入賞装置３０に対して遊技球を集中的に入賞させることで、遊技者には、まとまって多くの賞球を獲得する機会が与えられる（特別遊技実行手段）。なお、このように大当り時に可変入賞装置３０が開閉動作することを「ラウンド」と称し、連続作動回数が全部で１５回あれば、これらを「１５ラウンド」と総称することがある。本実施形態では、大当りの種類として１５ラウンド大当りだけでなく、その他に複数種類の６ラウンド大当りが設けられている。また、１５ラウンド大当りや６ラウンド大当りについては、その中に複数の当選種類（当選図柄）が設けられていてもよい。
【０３３９】
また、主制御ＣＰＵ７２は可変入賞装置管理処理において大入賞口開放パターン（ラウンド数と１ラウンドごとの開閉動作の回数、開放時間等）を設定すると、１ラウンド分の可変入賞装置３０の開閉動作を終了させるごとにラウンド数カウンタの値を１インクリメントする。ラウンド数カウンタの値は、例えば初期値を０としてＲＡＭ７６のカウント領域に記憶されている。また、主制御ＣＰＵ７２は、ラウンド数カウンタの値を表すラウンド数コマンドを生成する。ラウンド数コマンドは、演出制御出力処理（図２１中のステップＳ２１２）において演出制御装置１２４に送信される。ラウンド数カウンタの値が設定した連続作動回数に達すると、主制御ＣＰＵ７２はそのラウンド限りで大当り遊技（大役）を終了する。
【０３４０】
そして、大当り遊技を終了すると、主制御ＣＰＵ７２は遊技状態フラグ（確率変動機能作動フラグ、時間短縮機能作動フラグ）に基づいて大当り遊技終了後の状態（高確率状態、時間短縮状態）を変化させる（高確率時間短縮状態移行手段）。「高確率状態」では確率変動機能が作動し、内部抽選での当選確率が通常よりも例えば１０倍程度に高くなる（特定遊技状態移行手段、高確率状態移行手段、高確率状態設定手段）。また、「時間短縮状態」では時間短縮機能が作動し、上記のように普通図柄の作動抽選が高確率になり、また、普通図柄の変動時間が短縮されるとともに可変始動入賞装置２８の開放時間が延長されて開放回数が増加する（いわゆる電チューサポートが行われる）。なお、「高確率状態」及び「時間短縮状態」については、制御上でいずれか一方だけに移行する場合もあれば、これら両方に合わせて移行する場合もある。
【０３４１】
〔複数の当選種類〕
本実施形態では、上記の「１５ラウンド大当り」について、例えば複数の当選種類として（１）「１５ラウンド確変大当り」が設けられている（これ以上があってもよい）。また、この「１５ラウンド大当り」以外に、複数の当選種類として（２）「６ラウンド確変大当り１」及び（３）「６ラウンド確変大当り２」が設けられている（これ以上があってもよい）。
【０３４２】
上記の当選種類は、当選時に停止表示される第１特別図柄又は第２特別図柄の種類に対応している。例えば、「１５ラウンド確変大当り」は「１５ラウンド確変図柄」の大当りに対応し、「６ラウンド確変大当り１」は「６ラウンド確変図柄１」の大当りに対応し、「６ラウンド確変大当り２」は「６ラウンド確変図柄２」の大当りに対応する。このため以下では、「当選種類」のことを「当選図柄」として適宜呼称するものとする。
【０３４３】
〔１５ラウンド確変図柄〕
先の特別図柄停止表示中処理において、特別図柄が「１５ラウンド確変図柄」の態様で停止表示されると、それまでの通常状態から大当り遊技状態に移行する契機が発生する（特別遊技実行手段）。この場合、１ラウンド目から充分に長い時間（例えば最長で２９．０秒の開放時間）をかけて大入賞口の開放が１回ずつ行われ、これが１５ラウンド目まで継続する。この「１５ラウンド確変図柄」の大当り遊技は、１５ラウンド分の出玉（賞球）を遊技者に付与するものとなる。また、大入賞口は、１ラウンド内に規定回数（例えば９回＝遊技球９個）の入賞が発生すると、最長の開放時間の経過を待たずに閉止される。そして、大当り遊技の終了後に例えば「確率変動機能」を作動させることで、その結果として「高確率状態」に移行する特典が遊技者に付与される。この場合、それまでの遊技で「時間短縮機能」が非作動の状態であったとしても、大当り遊技の終了後に「時間短縮機能」を作動させることで、合わせて「時間短縮状態」に移行する特典が遊技者に付与される。
【０３４４】
〔６ラウンド確変図柄１〕
また、先の特別図柄停止表示中処理において、特別図柄が「６ラウンド確変図柄１」の態様で停止表示されると、それまでの通常状態から大当り遊技状態に移行する契機が発生する（特別遊技実行手段）。この場合、１ラウンド目から充分に長い時間（例えば最長で２９．０秒の開放時間）をかけて大入賞口の開放が１回ずつ行われ、これが６ラウンド目まで継続する。この「６ラウンド確変図柄１」の大当り遊技は、６ラウンド分の出玉（賞球）を遊技者に付与するものとなる。また、大入賞口は、１ラウンド内に規定回数（例えば９回＝遊技球９個）の入賞が発生すると、最長の開放時間の経過を待たずに閉止される。そして、大当り遊技の終了後に例えば「確率変動機能」を作動させることで、その結果として「高確率状態」に移行する特典が遊技者に付与される。この場合、それまでの遊技で「時間短縮機能」が非作動の状態であったとしても、大当り遊技の終了後に「時間短縮機能」を作動させることで、合わせて「時間短縮状態」に移行する特典が遊技者に付与される。
【０３４５】
〔６ラウンド確変図柄２〕
さらに、先の特別図柄停止表示中処理において、特別図柄が「６ラウンド確変図柄２」の態様で停止表示されると、それまでの通常状態から短期間の大当り遊技状態に移行する契機が発生する。この場合の６ラウンドの大当り遊技は、１５ラウンドの大当り遊技に比較して極端に短時間内で終了するため、大入賞口への入賞はほとんど発生することがない。したがって「６ラウンド確変図柄２」の大当り遊技は、実質的な出玉（賞球）を遊技者に付与することなく短期間内で終了する。その代わり、当選種類が「６ラウンド確変図柄２」に該当していた場合、大当り遊技の終了後に例えば「確率変動機能」及び「時間短縮機能」をともに作動させることで、その結果として「高確率状態」に移行する特典とともに、「時間短縮状態」に移行する特典が遊技者に付与される。このような「６ラウンド確変図柄２」については、突発的に「高確率状態」及び「時間短縮状態」が発生したかのような印象を抱かせるものとなる。
【０３４６】
いずれにしても、当選図柄が上記の「１５ラウンド確変図柄」、「６ラウンド確変図柄１」又は「６ラウンド確変図柄２」のいずれかに該当すると、大当り遊技終了後に内部状態を「高確率状態」及び「時間短縮状態」に移行させる特典が遊技者に付与される。また、「高確率状態」において内部抽選に当選し、そのときの当選図柄が「１５ラウンド確変図柄」、「６ラウンド確変図柄１」又は「６ラウンド確変図柄２」のいずれかに該当すると、その大当り遊技終了後も「高確率状態」が継続（再開）される。
【０３４７】
〔小当り〕
また、本実施形態では、非当選以外の当選種類として小当りが設けられている。小当りに当選すると、大当り遊技とは別に小当りの遊技が行われて可変入賞装置３０が開閉動作する（特例遊技実行手段）。すなわち、先の特別図柄停止表示中処理において、第１特別図柄が小当りの態様で停止表示されると、通常確率状態又は高確率状態の中で小当りの遊技（可変入賞装置３０が作動する遊技）が実行される（なお、本実施形態では、第２特別図柄に関しては小当りを設定していない）。このような小当りの遊技では可変入賞装置３０が所定回数（例えば２回）だけ開閉動作するものの、大入賞口への入賞はほとんど発生しない。また、小当りの遊技が終了しても、「確率変動機能」が作動することはなく、また、「時間短縮機能」が作動することもないので、「高確率状態」や「時間短縮状態」へ移行する特典は付与されない（そのための前提条件とはならない。）。また、「高確率状態」で小当りに当選しても、その小当りの遊技終了後に「高確率状態」が終了することはないし、「時間短縮状態」で小当りに当選しても、その小当りの遊技終了後に「時間短縮状態」が終了することもない（上限回数に達した場合を除く。）。なお、本実施形態では、小当りを設定する遊技仕様としているが、小当りを設定しない遊技仕様とすることもできる。
【０３４８】
〔特別図柄変動前処理〕
図２７は、特別図柄変動前処理の手順例を示すフローチャートである。以下、各手順に沿って説明する。
【０３４９】
ステップＳ２１００：先ず主制御ＣＰＵ７２は、第１特別図柄作動記憶数又は第２特別図柄作動記憶数が残存しているか（０より大であるか）否かを確認する。この確認は、ＲＡＭ７６に記憶されている作動記憶数カウンタの値を参照して行うことができる。第１特別図柄及び第２特別図柄の両方の作動記憶数が０であった場合（Ｎｏ）、主制御ＣＰＵ７２はステップＳ２５００のデモ設定処理を実行する。
【０３５０】
ステップＳ２５００：この処理では、主制御ＣＰＵ７２はデモ演出用コマンドを生成する。デモ演出用コマンドは、上記の演出制御出力処理（図２１中のステップＳ２１２）において演出制御装置１２４に出力される。デモ設定処理を実行すると、主制御ＣＰＵ７２は特別図柄遊技処理に復帰する。なお、復帰時は、上記のように末尾アドレスに復帰する（以降も同様）。
【０３５１】
これに対し、第１特別図柄又は第２特別図柄のいずれかの作動記憶数カウンタの値が０より大きければ（Ｙｅｓ）、主制御ＣＰＵ７２は次にステップＳ２２００を実行する。
【０３５２】
ステップＳ２２００：主制御ＣＰＵ７２は、特別図柄記憶エリアシフト処理を実行する。この処理では、主制御ＣＰＵ７２はＲＡＭ７６の乱数記憶領域に記憶されている抽選用乱数（大当り決定乱数、大当り図柄乱数）のうち、第２特別図柄に対応する方を優先的に読み出す。このとき２つ以上のセクションに乱数が記憶されていれば、主制御ＣＰＵ７２は先頭のセクションから順に乱数を読み出して消去（消費）した後、残った乱数を１つずつ前のセクションに移動（シフト）させる。読み出した乱数は、例えば別の一時記憶領域に保存される。第２特別図柄に対応する乱数が記憶されていない場合、主制御ＣＰＵ７２は第１特別図柄に対応する乱数を読み出して一時記憶領域に保存する。一時記憶領域に保存された各乱数は、次の大当り判定処理で内部抽選に使用される。その結果、本実施形態では第１特別図柄よりも第２特別図柄の変動表示が優先的に行われることになる。なお、このような特別図柄別の優先順位を設けることなく、単純に記憶された順番で乱数が読み出されるプログラムであってもよい。また、この処理において、主制御ＣＰＵ７２はＲＡＭ７６に記憶されている作動記憶数カウンタ（第１特別図柄又は第２特別図柄のうち、乱数のシフトを行った方）の値を１つ減算し、減算後の値を「変動開始時作動記憶数」に設定する。これにより、上記の表示出力管理処理（図２１中のステップＳ２１０）の中で第１特別図柄作動記憶ランプ３４ａ又は第２特別図柄作動記憶ランプ３５ａによる記憶数の表示態様が変化（１減少）する。ここまでの手順を終えると、主制御ＣＰＵ７２は次にステップＳ２３００を実行する。
【０３５３】
ステップＳ２３００：主制御ＣＰＵ７２は、大当り判定処理（内部抽選）を実行する。この処理では、主制御ＣＰＵ７２は、先ず大当り値の範囲を設定し、この範囲内に読み出した乱数値が含まれるか否かを判断する（内部抽選実行手段）。このとき設定される大当り値の範囲は、通常確率状態と高確率状態（確率変動機能作動時）とで異なり、高確率状態では通常確率状態よりも大当り値の範囲が約１０倍程度に拡大される。そして、このとき読み出した乱数値が大当り値の範囲内に含まれていれば、主制御ＣＰＵ７２は大当りフラグ（０１Ｈ）をセットし、次にステップＳ２４００に進む。
【０３５４】
上記の大当りフラグをセットしない場合、主制御ＣＰＵ７２は同じ大当り判定処理において、次に小当り値の範囲を設定し、この範囲内に読み出した乱数値が含まれるか否かを判断する（抽選実行手段）。ここでいう「小当り」は、非当選（はずれ）以外であるが、「大当り」とは異なる性質のものである。すなわち、「大当り」は上記の「高確率状態」や「時間短縮状態」に移行させる契機（遊技の節目）を発生させるものであるが、「小当り」はそのような契機を発生しない。ただし「小当り」は、「大当り」と同様に可変入賞装置３０を作動させる条件を満たすものとして位置付けられている。なお、このとき設定される小当り値の範囲は、通常確率状態と高確率状態（確率変動機能作動時）とで異なっていてもよいし、同じでもよい。いずれにしても、読み出した乱数値が小当り値の範囲内に含まれていれば、主制御ＣＰＵ７２は小当りフラグをセットし、次にステップＳ２４００に進む。このように、本実施形態では非当選以外に該当する当り範囲として、大当り値と小当り値の範囲が予めプログラム上で規定されているが、予め状態別の大当り判定テーブル、小当り判定テーブルをそれぞれＲＯＭ７４に書き込んでおき、これを読み出して乱数値と対比しながら大当り判定を行ってもよい。
【０３５５】
ステップＳ２４００：主制御ＣＰＵ７２は、先の大当り判定処理で大当りフラグに値（０１Ｈ）がセットされたか否かを判断する。大当りフラグに値（０１Ｈ）がセットされていなければ（Ｎｏ）、主制御ＣＰＵ７２は次にステップＳ２４０２を実行する。
【０３５６】
ステップＳ２４０２：主制御ＣＰＵ７２は、先の大当り判定処理で小当りフラグに値（０１Ｈ）がセットされたか否かを判断する。小当りフラグに値（０１Ｈ）がセットされていなければ（Ｎｏ）、主制御ＣＰＵ７２は次にステップＳ２４０４を実行する。なお、主制御ＣＰＵ７２は大当りフラグと小当りフラグとを別々に用意せずに、共通当りフラグの値によって大当り（例えば０１Ｈを設定）又は小当り（例えば０ＡＨを設定）を判別してもよい。
【０３５７】
ステップＳ２４０４：主制御ＣＰＵ７２は、はずれ時停止図柄決定処理を実行する。この処理では、主制御ＣＰＵ７２は、第１特別図柄表示装置３４又は第２特別図柄表示装置３５によるはずれ時の停止図柄番号データをセットする。また、主制御ＣＰＵ７２は、演出制御装置１２４に送信するための停止図柄コマンド及び抽選結果コマンド（はずれ時）を生成する。これらコマンドは、演出制御出力処理（図２１中のステップＳ２１２）において演出制御装置１２４に送信される。
【０３５８】
なお、本実施形態では、第１特別図柄表示装置３４や第２特別図柄表示装置３５に７セグメントＬＥＤを用いているため、例えば、はずれ時の停止図柄の表示態様を常に１つのセグメント（中央のバー「−」）の点灯表示だけにしておき、停止図柄番号データを１つの値（例えば６４Ｈ）に固定することができる。この場合、プログラム上で使用する記憶容量を削減し、主制御ＣＰＵ７２の処理負荷を軽減して処理速度を向上することができる。
【０３５９】
ステップＳ２４０５：次に主制御ＣＰＵ７２は、はずれ時変動パターン決定処理を実行する。この処理では、主制御ＣＰＵ７２は、特別図柄について、はずれ時の変動パターン番号を決定する（変動パターン選択手段）。変動パターン番号は、特別図柄の変動表示の種類（パターン）を区別したり、変動表示にかかる変動時間に対応したりするものである。はずれ時の変動時間は、上記の「時間短縮状態」であるか否かによって異なってくるため、この処理において主制御ＣＰＵ７２は、遊技状態フラグをロードし、現在の状態が「時間短縮状態」であるか否かを確認する。「時間短縮状態」であれば、基本的にリーチ変動を行う場合を除き、はずれ時の変動時間は短縮された時間（例えば、２．０秒程度）に設定される（短縮時変動時間決定手段）。また、「時間短縮状態」でなくとも、リーチ変動を行う場合を除き、はずれ時の変動時間は例えばステップＳ２２００で設定した「変動表示開始時作動記憶数（０個〜３個）」に基づいて短縮される場合がある（例えば、変動表示開始時作動記憶数０個→１２．５秒程度、変動表示開始時作動記憶数１個→８秒程度、変動表示開始時作動記憶数２個→５秒程度、変動表示開始時作動記憶数３個→２．５秒程度）。なお、はずれ時の図柄の停止表示時間は変動パターンに関わらず一定（例えば０．６秒程度）である。主制御ＣＰＵ７２は、決定した変動時間（はずれ時）の値を変動タイマにセットするとともに、はずれ時の停止表示時間の値を停止図柄表示タイマにセットする。
【０３６０】
本実施形態では、内部抽選の結果、非当選に該当した場合、演出上で例えば「リーチ演出」を発生させてはずれとしたり、「リーチ演出」を発生させずにはずれとしたりする制御を行うこととしている。そして、「はずれ時変動パターン選択テーブル」には、予め複数種類の演出、例えば「非リーチ演出」、「リーチ演出」に対応した変動パターンが規定されており、非当選に該当した場合は、その中からいずれかの変動パターンが選択されることになる。なお、リーチ演出には、ノーマルリーチ演出、ロングリーチ演出、スーパーリーチ演出等といった様々なリーチ演出が含まれる。
【０３６１】
〔はずれ時変動パターン選択テーブルの例〕
図２８は、はずれ時変動パターン選択テーブルの一例を示す図である。
この選択テーブルは、内部抽選（特別図柄抽選）での非当選時に使用するテーブルである（変動パターン規定手段）。また、この選択テーブルは、例えばその先頭アドレスから順番に「比較値」、「変動パターン番号」をそれぞれ１バイトずつセットにして記憶する構造である。「比較値」には、例えば８つの段階的に異なる値「１０１」，「２０１」，「２１１」，「２２１」，「２３１」，「２４１」，「２５１」，「２５５（ＦＦＨ）」が設けられており、それぞれの「比較値」に対して「変動パターン番号」の「１」〜「８」が割り当てられている。
【０３６２】
変動パターン番号「１」〜「５」は、リーチ演出が行われずに、はずれとなる変動パターンに対応しており、変動パターン番号「６」〜「８」は、リーチ後にはずれとなる変動パターンに対応している。なお、変動パターン選択テーブルは、変動開始時作動記憶数に応じて異なるテーブル内容としてもよい（以下、同様）。
【０３６３】
ここで、非リーチ変動パターンとリーチ変動パターンでは、設定される変動時間の長さが大きく異なっている。すなわち、「非リーチ変動パターン」は基本的に短い変動時間（例えば作動記憶数に応じて３．０秒〜１２．０秒程度）に対応するものであるのに対し、「リーチ変動パターン」はその倍以上の長い変動時間（例えば３０秒〜１５０秒程度）に対応するものである。
【０３６４】
そして、主制御ＣＰＵ７２は、取得した変動パターン決定乱数値を、上記の変動パターン選択テーブル中の「比較値」と順番に比較していき、乱数値が比較値以下であれば、その比較値に対応する変動パターン番号を選択する（変動パターン決定手段）。例えば、そのときの変動パターン決定乱数値が「１９０」であったとすると、最初の比較値「１０１」と比較すると、乱数値が比較値を超えているため、主制御ＣＰＵ７２は次の比較値「２０１」と乱数値を比較する。この場合、乱数値が比較値以下であるため、主制御ＣＰＵ７２は対応する変動パターン番号として「２」を選択する。
【０３６５】
〔図２７：特別図柄変動前処理を参照〕
以上のステップＳ２４０４，ステップＳ２４０５は、大当り判定結果がはずれ時（非当選以外の場合）の制御手順であるが、判定結果が大当り（ステップＳ２４００：Ｙｅｓ）又は小当り（ステップＳ２４０２：Ｙｅｓ）の場合、主制御ＣＰＵ７２は以下の手順を実行する。先ず、大当りの場合について説明する。
【０３６６】
ステップＳ２４１０：主制御ＣＰＵ７２は、大当り時停止図柄決定処理を実行する（当選種類決定手段）。この処理では、主制御ＣＰＵ７２は大当り図柄乱数に基づき、特別図柄別（第１特別図柄又は第２特別図柄）に今回の当選図柄の種類（大当り時停止図柄番号）を決定する。大当り図柄乱数値と当選図柄の種類との関係は、予め特別図柄判定データテーブルで規定されている（当選種類規定手段）。このため主制御ＣＰＵ７２は、大当り時停止図柄決定処理において大当り時停止図柄選択テーブルを参照し、その記憶内容から大当り図柄乱数に基づいて当選図柄の種類を決定することができる。
【０３６７】
〔大当り時の当選図柄〕
本実施形態では大当り時に選択的に決定される当選図柄として、大きく分けて３種類が用意されている。３種類の内訳は、「６ラウンド確変図柄１」、「６ラウンド確変図柄２」及び「１５ラウンド確変図柄」である。なお、３種類の当選図柄の各当選図柄は、さらに複数の当選図柄を含んでいてもよい。例えば「６ラウンド確変図柄１」であれば、「６ラウンド確変図柄１ａ」、「６ラウンド確変図柄１ｂ」、「６ラウンド確変図柄１ｃ」、・・・といった具合である。
【０３６８】
また、本実施形態では、第１特別図柄と第２特別図柄とでは、それぞれに対応する内部抽選の大当り時に選択される当選図柄の選択比率が異なっている。このため主制御ＣＰＵ７２は、今回の大当りの結果が第１特別図柄に対応するものであるか、第２特別図柄に対応するものであるかによって選択する当選図柄を区別している。
【０３６９】
〔第１特別図柄大当り時停止図柄選択テーブル〕
図２９は、第１特別図柄大当り時停止図柄選択テーブルの構成列を示す図である。主制御ＣＰＵ７２は、今回の大当りの結果が第１特別図柄に対応する場合、図２９に示される第１特別図柄大当り時停止図柄選択テーブル（当選種類規定手段）を参照して当選図柄の種類を決定する。
【０３７０】
第１特別図柄大当り時停止図柄選択テーブル中、左カラムには当選図柄別の振分値が示されており、各振分値「８７」，「８」，「５」は分母を１００とした場合の割合に相当する。また、左から２番目のカラムには、各振分値に対応する「６ラウンド確変図柄１」、「６ラウンド確変図柄２」、「１５ラウンド確変図柄」が示されている。すなわち、第１特別図柄に対応する大当り時には、「６ラウンド確変図柄１」が選択される割合は１００分の８７（＝８７％）であり、「６ラウンド確変図柄２」が選択される割合は１００分の８（＝８％）である。また、「１５ラウンド確変図柄」が選択される割合は１００分の５（＝５％）である。各振分値の大きさは、大当り図柄乱数を用いた当選図柄別の選択比率に相当する。したがって、全体として第１特別図柄についての確変図柄の選択比率は１００％である。
【０３７１】
いずれにしても、今回の大当りの結果が第１特別図柄に対応する場合、主制御ＣＰＵ７２は大当り図柄乱数に基づいて選択抽選を行い、第１特別図柄大当り時停止図柄選択テーブルに示される選択比率で当選図柄を選択的に決定する。また、第１特別図柄大当り時停止図柄選択テーブルには、左から３番目のカラムに示されるように当選時の停止図柄コマンドとして例えば２バイトのコマンドデータが規定されている。停止図柄コマンドは、例えばＭＯＤＥ値−ＥＶＥＮＴ値の組み合わせで記述されており、このうち上位バイトのＭＯＤＥ値「Ｂ１Ｈ」は、今回の当選図柄が第１特別図柄の大当り時に選択されたものであることを表している。また、下位バイトのＥＶＥＮＴ値「０１Ｈ」，「０２Ｈ」，「０３Ｈ」は、それぞれ選択テーブル中で対応する当選図柄の種類を表している。このため例えば、今回の大当りの結果が第１特別図柄に対応するものであり、当選図柄として「６ラウンド確変図柄１」が選択された場合、当選時の停止図柄コマンドは「Ｂ１Ｈ０１Ｈ」で記述されることになる。
【０３７２】
以上のように、主制御ＣＰＵ７２は第１特別図柄大当り時停止図柄選択テーブルから当選図柄を選択すると、そのときの停止図柄コマンドを生成する。生成した停止図柄コマンドは、例えば上記の演出制御出力処理において演出制御装置１２４に送信される。また、主制御ＣＰＵ７２は、選択した当選図柄に基づいて第１特別図柄についての大当り時停止図柄番号を決定する。
【０３７３】
〔時短回数〕
第１特別図柄大当り時停止図柄選択テーブルの右カラムには、大当り遊技の終了後に付与される時短回数（限度回数）の値が示されている。
【０３７４】
〔非時短中〕
時間短縮機能が作動していない状態（非時短中）にて、「６ラウンド確変図柄１」に該当した場合、時短回数は８回付与される。
時間短縮機能が作動していない状態（非時短中）にて、「６ラウンド確変図柄２」又は「１５ラウンド確変図柄」に該当した場合、時短回数は１００回付与される。
【０３７５】
〔時短中〕
時間短縮機能が作動している状態（時短中）にて、「６ラウンド確変図柄１」、「６ラウンド確変図柄２」又は「１５ラウンド確変図柄」のいずれかに該当した場合、時短回数は１００回付与される。
【０３７６】
〔第２特別図柄大当り時停止図柄選択テーブル〕
図３０は、第２特別図柄大当り時停止図柄選択テーブルの構成列を示す図である。主制御ＣＰＵ７２は、今回の大当りの結果が第２特別図柄に対応する場合、図３０に示される第２特別図柄大当り時停止図柄選択テーブル（当選種類規定手段）を参照して当選図柄の種類を決定する。
【０３７７】
第２特別図柄大当り時停止図柄選択テーブルにおいても、その左カラムには当選図柄別の振分値が示されており、各振分値「９５」，「５」は分母を１００とした場合の割合に相当する。同様に左から２番目のカラムには、各振分値に対応する「６ラウンド確変図柄１」、「１５ラウンド確変図柄」が示されている。すなわち、第２特別図柄に対応する大当り時においては、「６ラウンド確変図柄１」が選択される割合は１００分の９５（＝９５％）であり、「１５ラウンド確変図柄」が選択される割合は１００分の５（＝５％）である。したがって、第２特別図柄についても、全体として確変図柄の選択比率は１００％である。ただし、第２特別図柄大当り時停止図柄選択テーブルには、「６ラウンド確変図柄２」についての振分値は設定されていない。
【０３７８】
今回の大当りの結果が第２特別図柄に対応する場合、主制御ＣＰＵ７２は大当り図柄乱数に基づいて選択抽選を行い、第２特別図柄大当り時停止図柄選択テーブルに示される選択比率で当選図柄を選択的に決定する。同様に第２特別図柄大当り時停止図柄選択テーブルにも、その左から３番目のカラムに示されるように当選時の停止図柄コマンドとして例えば２バイトのコマンドデータが規定されている。ここでも停止図柄コマンドは、上記のＭＯＤＥ値−ＥＶＥＮＴ値の組み合わせで記述されており、このうち上位バイトのＭＯＤＥ値「Ｂ２Ｈ」は、今回の当選図柄が第２特別図柄の大当り時に選択されたものであることを表している。また、下位バイトのＥＶＥＮＴ値「０１Ｈ」，「０３Ｈ」は、それぞれ選択テーブル中で対応する当選図柄の種類を表している。このため例えば、今回の大当りの結果が第２特別図柄に対応するものであり、当選図柄として「６ラウンド確変図柄１」が選択された場合、停止図柄コマンドは「Ｂ２Ｈ０１Ｈ」で記述されることになる。
【０３７９】
以上のように、主制御ＣＰＵ７２は第２特別図柄大当り時停止図柄選択テーブルから当選図柄を選択すると、そのときの停止図柄コマンドを生成する。生成した停止図柄コマンドは、例えば上記の演出制御出力処理において演出制御装置１２４に送信される。また、主制御ＣＰＵ７２は、選択した当選図柄に基づいて第２特別図柄についての大当り時停止図柄番号を決定する。
【０３８０】
〔時短回数〕
第２特別図柄大当り時停止図柄選択テーブルの左から４番目のカラム（右カラム）には、大当り遊技の終了後に付与される時短回数の値が示されている。本実施形態では、「６ラウンド確変図柄１」又は「１５ラウンド確変図柄」のいずれに該当した場合であっても、時短回数が付与される。付与される時短回数については、第１特別図柄で大当りした場合と同様である。
【０３８１】
なお、上記のように第１特別図柄と第２特別図柄とで、当選図柄の選択比率が異なっているのは、例えば以下の理由による。すなわち、「高確率状態」や「時間短縮状態」に移行した場合、通常時（時間短縮機能の非作動時）に比較して高頻度で可変始動入賞装置２８が作動するため、第２特別図柄についての作動記憶が途切れにくくなっている。そして、本実施形態では第１特別図柄よりも第２特別図柄についての記憶が優先して消費されることから、第２特別図柄についての当選種類から「６ラウンド確変大当り２」を除外しておけば、特に「高確率時間短縮状態」で「６ラウンド確変大当り２」に該当しにくくなるため、それだけ遊技者に煩わしさを感じさせることを少なくすることができるという利点がある。
【０３８２】
〔図２７：特別図柄変動前処理を参照〕
ステップＳ２４１２：次に主制御ＣＰＵ７２は、大当り時変動パターン決定処理を実行する。この処理では、主制御ＣＰＵ７２は先のステップＳ２２００でシフトした変動パターン決定乱数に基づいて第１特別図柄又は第２特別図柄の変動パターン（変動時間と停止表示時間）を決定する。また、主制御ＣＰＵ７２は、決定した変動時間の値を変動タイマにセットするとともに、停止表示時間の値を停止図柄表示タイマにセットする。一般的に大当りリーチ変動の場合、はずれ時よりも長い変動時間が決定される。
【０３８３】
本実施形態では、内部抽選の結果、１５ラウンド確変大当りや６ラウンド確変大当り１に該当した場合、演出上で例えば「リーチ演出」を発生させて大当りとする制御を行ったり、「リーチ演出」を発生させずに大当りとする制御を行ったりしている。そして、「大当り時変動パターン選択テーブル」には、複数種類の「リーチ演出」に対応した変動パターンが規定されており、１５ラウンド確変大当りや６ラウンド確変大当り１に該当した場合は、その中からいずれかの変動パターンが選択されることになる。なお、リーチ演出には、ノーマルリーチ演出、ロングリーチ演出、スーパーリーチ演出等といった様々なリーチ演出が含まれる。また、時間短縮機能が作動している状態での当選時には、長い変動時間を有する変動パターンを選択せずに、短い変動時間を有する変動パターン（リーチ演出を行わない変動パターン）を選択してもよい。
【０３８４】
〔大当り時変動パターン選択テーブルの例〕
図３１は、大当り時変動パターン選択テーブルの一例を示す図である。
この選択テーブルは、内部抽選（特別図柄抽選）での当選時に使用するテーブルである（変動パターン規定手段）。また、この選択テーブルは、例えばその先頭アドレスから順番に「比較値」、「変動パターン番号」をそれぞれ１バイトずつセットにして記憶する構造である。「比較値」には、例えば８つの段階的に異なる値「１０１」，「２０１」，「２１１」，「２２１」，「２３１」，「２４１」，「２５１」，「２５５（ＦＦＨ）」が設けられており、それぞれの「比較値」に対して「変動パターン番号」の「１３」〜「２０」が割り当てられている。
【０３８５】
変動パターン番号「１３」〜「２０」は、いずれもリーチ演出が行われて当りとなる変動パターンに対応している。
【０３８６】
主制御ＣＰＵ７２は、取得した変動パターン決定乱数値を、上記の変動パターン選択テーブル中の「比較値」と順番に比較していき、乱数値が比較値以下であれば、その比較値に対応する変動パターン番号を選択する（変動パターン決定手段）。例えば、そのときの変動パターン決定乱数値が「１９０」であったとすると、最初の比較値「１０１」と比較すると、乱数値が比較値を超えているため、主制御ＣＰＵ７２は次の比較値「２０１」と乱数値を比較する。この場合、乱数値が比較値以下であるため、主制御ＣＰＵ７２は対応する変動パターン番号として「１４」を選択する。
【０３８７】
〔図２７：特別図柄変動前処理を参照〕
ステップＳ２４１４：次に主制御ＣＰＵ７２は、大当り時その他設定処理を実行する。この処理では、主制御ＣＰＵ７２は先のステップＳ２４１０で決定した当選図柄の種類（大当り時停止図柄番号）が「６ラウンド確変図柄１」、「６ラウンド確変図柄２」又は「１５ラウンド確変図柄」のいずれかである場合、遊技状態フラグとして確率変動機能作動フラグの値（０１Ｈ）をＲＡＭ７６のフラグ領域にセットする（高確率状態移行手段、確率変動機能作動手段）。
【０３８８】
また、主制御ＣＰＵ７２は、先のステップＳ２４１０で決定した当選図柄の種類（大当り時停止図柄番号）が「６ラウンド確変図柄１」、「６ラウンド確変図柄２」又は「１５ラウンド確変図柄」のいずれかである場合、主制御ＣＰＵ７２は遊技状態フラグとして時間短縮機能作動フラグの値（０１Ｈ）をＲＡＭ７６のフラグ領域にセットする（時間短縮状態移行手段、時間短縮機能作動手段）。
【０３８９】
また、ステップＳ２４１４の処理において、主制御ＣＰＵ７２は大当り時停止図柄番号に基づいて第１特別図柄表示装置３４又は第２特別図柄表示装置３５による停止図柄（大当り図柄）の表示態様を決定する。合わせて主制御ＣＰＵ７２は、上記の停止図柄コマンド（大当り時）とともに抽選結果コマンド（大当り時）を生成する。これら停止図柄コマンド及び抽選結果コマンドもまた、演出制御出力処理において演出制御装置１２４に送信される。
【０３９０】
次に、小当り時の処理について説明する。
ステップＳ２４０７：主制御ＣＰＵ７２は、小当り時停止図柄決定処理を実行する。この処理では、主制御ＣＰＵ７２は大当り図柄乱数に基づき、小当り時の当選図柄の種類（小当り時停止図柄番号）を決定する。ここでも同様に、大当り図柄乱数値と小当り時の当選図柄の種類との関係が予め小当り時特別図柄選択テーブルで規定されている（当選種類規定手段）。なお、本実施形態では、主制御ＣＰＵ７２の負荷を軽減するために大当り図柄乱数を用いて小当り時の当選図柄を決定しているが、別途専用の乱数を用いてもよい。
【０３９１】
〔小当り時の当選図柄〕
本実施形態では、小当り時の当選図柄は「２回開放小当り図柄」の１種類だけである。ただし、これ以外に例えば「１回開放小当り図柄」や「３回開放小当り図柄」等の別の種類が用意されていてもよい。上記のように内部抽選の結果としての「小当り」は、その後の状態が「高確率状態」や「時間短縮状態」に変化する契機とはならないため、この種のパチンコ機で必須となる「２ラウンド（２回開放）以上」の規定にとらわれることなく、「１回開放小当り図柄」を設けることができる。
【０３９２】
ステップＳ２４０８：次に主制御ＣＰＵ７２は、小当り時変動パターン決定処理を実行する。この処理では、主制御ＣＰＵ７２は先のステップＳ２２００でシフトした変動パターン決定乱数に基づいて第１特別図柄又は第２特別図柄の変動パターン（変動時間と停止表示時間）を決定する（変動パターン選択手段）。また、主制御ＣＰＵ７２は、決定した変動時間の値を変動タイマにセットし、停止表示時間の値を停止図柄表示タイマにセットする。なお、本実施形態では小当りの場合にリーチ変動パターンを選択することもできるし、はずれ通常変動時と同等の変動パターンを選択することもできる。
【０３９３】
ステップＳ２４０９：次に主制御ＣＰＵ７２は、小当り時その他設定処理を実行する。この処理では、主制御ＣＰＵ７２は小当り時停止図柄番号に基づき、第１特別図柄表示装置３４又は第２特別図柄表示装置３５による停止図柄（小当り図柄）の表示態様を決定する。合わせて主制御ＣＰＵ７２は、演出制御装置１２４に送信する停止図柄コマンド及び抽選結果コマンド（小当り時）を生成する。これら停止図柄コマンド及び抽選結果コマンドもまた、演出制御出力処理において演出制御装置１２４に送信される。
【０３９４】
ステップＳ２４１５：次に主制御ＣＰＵ７２は、特別図柄変動開始処理を実行する。この処理では、主制御ＣＰＵ７２は変動パターン番号（はずれ時／当り時）に基づいて変動パターンデータを選択する。合わせて主制御ＣＰＵ７２は、ＲＡＭ７６のフラグ領域に特別図柄の変動開始フラグをセットする。そして、主制御ＣＰＵ７２は、演出制御装置１２４に送信する変動開始コマンドを生成する。この変動開始コマンドもまた、上記の演出制御出力処理において演出制御装置１２４に送信される。以上の手順を終えると、主制御ＣＰＵ７２は特別図柄変動中処理（ステップＳ３０００）を次のジャンプ先に設定し、特別図柄遊技処理に復帰する。
【０３９５】
〔図２６：特別図柄変動中処理，特別図柄停止表示中処理〕
特別図柄変動中処理では、上記のように主制御ＣＰＵ７２は変動タイマの値をレジスタからタイマカウンタにロードし、その後、時間の経過（クロックパルスのカウント数又は割込カウンタの値）に応じてタイマカウンタの値をデクリメントする。そして、主制御ＣＰＵ７２は、タイマカウンタの値を参照しつつ、その値が０になるまで上記のように特別図柄の変動表示を制御する。そして、タイマカウンタの値が０になると、主制御ＣＰＵ７２は特別図柄停止表示中処理（ステップＳ４０００）を次のジャンプ先に設定する。
【０３９６】
また、特別図柄停止表示中処理では、主制御ＣＰＵ７２は停止図柄決定処理（図２７中のステップＳ２４０４，ステップＳ２４０７，ステップＳ２４１０）で決定した停止図柄に基づいて特別図柄の停止表示を制御する。また、主制御ＣＰＵ７２は、演出制御装置１２４に送信する図柄停止コマンドを生成する。図柄停止コマンドは、上記の演出制御出力処理において演出制御装置１２４に送信される。特別図柄停止表示中処理の中で停止図柄を所定時間にわたり表示させると、主制御ＣＰＵ７２は図柄変動中フラグを消去する。
【０３９７】
〔特別図柄記憶エリアシフト処理〕
図３２は、上記の特別図柄記憶エリアシフト処理の手順例を示すフローチャートである。先の特別図柄変動前処理において、第１特別図柄又は第２特別図柄に対応する作動記憶カウンタの値が「０」より大であった場合（図２７中のステップＳ２１００：Ｙｅｓ）、主制御ＣＰＵ７２はこの特別図柄記憶エリアシフト処理を実行する（第２抽選要素優先消費手段）。以下、各手順に沿って説明する。
【０３９８】
ステップＳ２２１０：主制御ＣＰＵ７２は、優先して消費する方の第２特別図柄に対応する作動記憶カウンタの値が「０」であるか否かを確認する。このとき、第２特別図柄に対応する作動記憶カウンタの値が「１」以上であれば（Ｎｏ）、主制御ＣＰＵ７２は次にステップＳ２２１２に進む。
【０３９９】
ステップＳ２２１２：主制御ＣＰＵ７２は、記憶エリアをシフトする対象の特別図柄として第２特別図柄を指定する。この指定は、例えば対象図柄指定値として「０２Ｈ」をセットすることで行われる。
【０４００】
ステップＳ２２１４：一方、第２特別図柄に対応する作動記憶カウンタの値が「０」であった場合（ステップＳ２２１０：Ｙｅｓ）、主制御ＣＰＵ７２は記憶エリアをシフトする対象の特別図柄として第１特別図柄を指定する。この場合の指定は、例えば対象図柄指定値として「０１Ｈ」をセットすることで行われる。
【０４０１】
ステップＳ２２１６：上記のステップＳ２２１２又はステップＳ２２１４のいずれかで指定した対象の特別図柄について、主制御ＣＰＵ７２はＲＡＭ７６の乱数記憶領域をシフトする。なお、具体的な処理の内容については、先の特別図柄変動前処理において既に述べたとおりである。
【０４０２】
ステップＳ２２１８：次いで主制御ＣＰＵ７２は、対象の特別図柄について作動記憶カウンタの値を減算する。例えば、今回の記憶エリアをシフトする対象が第２特別図柄であれば、主制御ＣＰＵ７２は第２特別図柄に対応する作動記憶カウンタの値を減算（−１）する。
【０４０３】
ステップＳ２２２０：そして、主制御ＣＰＵ７２は、減算後の作動記憶カウンタの値から「変動開始時作動記憶数」を設定する。なお、ここでは第１特別図柄と第２特別図柄の両方について、作動記憶カウンタの値を加算した上で「変動開始時作動記憶数」を設定してもよい。
【０４０４】
ステップＳ２２２２：また、主制御ＣＰＵ７２は、今回の記憶エリアをシフトする対象の特別図柄が第２特別図柄であるか否かを確認する。
ステップＳ２２２４：対象が第２特別図柄であった場合（ステップＳ２２２２：Ｙｅｓ）、主制御ＣＰＵ７２は第２特別図柄に関して作動記憶数減少時演出コマンドをセットする。ここでセットされる演出コマンドもまた、１ワード長のコマンドとして生成されるが、その構成は上述した「作動記憶数増加時演出コマンド」と対照的である。すなわち、作動記憶数減少時演出コマンドは、コマンド種別を表す上位バイトの先行値（例えば「ＢＣＨ」）に対して、減少後の作動記憶数を表す下位バイトの値（例えば「００Ｈ」〜「０３Ｈ」）を付加するとともに、下位バイトの値については、「消費に伴う作動記憶数の減少」を意味する加算値（例えば「１０Ｈ」）をさらに付加（論理和）したものである。したがって下位バイトについては、加算値「１０Ｈ」を論理和することでその第２の位が「１」となり、この値によって「作動記憶数の減少による結果（変化情報）」であることを表したものとなる。つまり、コマンドの下位バイトが「１３Ｈ」であれば、それは前回までの作動記憶数「４」（コマンド表記は「１４Ｈ」）が１つ減少した結果、今回の作動記憶数が「３」（コマンド表記は「１３Ｈ」）となったことを表している。同様に、下位バイトが「１２Ｈ」〜「１０Ｈ」であれば、それは前回までの作動記憶数「３」〜「１」（コマンド表記は「１３Ｈ」〜「１１Ｈ」）がそれぞれ１つ減少した結果、今回の作動記憶数が「２」〜「０」（コマンド表記は「１２Ｈ」〜「１０Ｈ」）となったことを表している。なお、上記の先行値「ＢＣＨ」は、今回の演出コマンドが第２特別図柄についての作動記憶数コマンドであることを表す値である。
【０４０５】
ステップＳ２２２６：なお、今回の対象が第１特別図柄であった場合（ステップＳ２２２２：Ｎｏ）、主制御ＣＰＵ７２は第１特別図柄に関して作動記憶数減少時演出コマンドをセットする。この場合のコマンドは、先行値が第１特別図柄についての作動記憶数コマンドであることを表す値（例えば「ＢＢＨ」）となる以外は上記と同じである。
【０４０６】
ステップＳ２２２８：そして、主制御ＣＰＵ７２は、演出コマンド出力処理を実行する。この処理は、先のステップＳ２２２４又はステップＳ２２２６でセットした作動記憶数減少時演出コマンドを演出制御装置１２４に対して送信するためのものである（記憶数通知手段）。
以上の手順を終えると、主制御ＣＰＵ７２は特別図柄変動前処理（図２７）に復帰する。
【０４０７】
〔特別図柄停止表示中処理〕
次に図３３は、特別図柄停止表示中処理の手順例を示すフローチャートである。以下、各手順に沿って説明する。
【０４０８】
ステップＳ４１００：主制御ＣＰＵ７２は、停止図柄表示タイマの値を減算（割込周期分だけデクリメント）する。
【０４０９】
ステップＳ４２００：そして、主制御ＣＰＵ７２は、今回減算した停止図柄表示タイマの値に基づき、停止表示時間が終了したか否かを判断する。具体的には、停止図柄表示タイマの値が０以下でなければ、主制御ＣＰＵ７２は未だ停止表示時間が終了していないと判断する（Ｎｏ）。この場合、主制御ＣＰＵ７２は特別図柄遊技処理に復帰し、次の割込周期においても実行選択処理（図２６中のステップＳ１０００）からジャンプして特別図柄停止表示中処理を繰り返し実行する。
【０４１０】
これに対し、停止図柄表示タイマの値が０以下であれば、主制御ＣＰＵ７２は停止表示時間が終了したと判断する（Ｙｅｓ）。この場合、主制御ＣＰＵ７２は次にステップＳ４２５０を実行する。
【０４１１】
ステップＳ４２５０：主制御ＣＰＵ７２は、図柄停止コマンド及び停止表示時間終了コマンドを生成する。図柄停止コマンド及び停止表示時間終了コマンドは、上記の演出制御出力処理において演出制御装置１２４に送信される。また、主制御ＣＰＵ７２は、ここで図柄変動中フラグを消去する。なお、「停止表示時間終了コマンド」とは、特別図柄の停止表示時間が終了（経過）したことを示すコマンドである。
【０４１２】
ステップＳ４３００：ここで主制御ＣＰＵ７２は、大当りフラグの値（０１Ｈ）がセットされているか否かを確認する。大当りフラグの値（０１Ｈ）がセットされている場合（Ｙｅｓ）、主制御ＣＰＵ７２は次にステップＳ４３５０を実行する。
【０４１３】
〔当選時〕
ステップＳ４３５０：主制御ＣＰＵ７２は、ジャンプテーブルのジャンプ先を「可変入賞装置管理処理」に設定する。なお、主制御ＣＰＵ７２は、本処理にて各種機能を非作動に設定する処理を実行する。具体的には、確率変動機能を非作動とし、時間短縮機能を非作動とする。これにより、特別遊技（大役）が開始される前には、低確率非時間短縮状態に移行されることになる。
ステップＳ４４００：そして、主制御ＣＰＵ７２は、制御上の内部状態フラグとして「大役開始（大当り遊技中）」をセットする。また、主制御ＣＰＵ７２は、大当り図柄の種類に応じて連続作動回数ステータスの値をセットする。例えば、大当り図柄の種類が「１５ラウンド確変図柄」である場合、連続作動回数ステータスには「１５ラウンド」に対応する値がセットされる。また、大当り図柄の種類が「６ラウンド確変図柄１」又は「６ラウンド確変図柄２」である場合、連続作動回数ステータスには「６ラウンド」を表す値がセットされる。また、主制御ＣＰＵ７２は、大当り中を表す状態コマンドを生成する。大当り中を表す状態コマンドは、上記の演出制御出力処理において演出制御装置１２４に送信される。
【０４１４】
ステップＳ４５００：そして、主制御ＣＰＵ７２は、連続作動回数コマンドを生成する。連続作動回数コマンドは、先の大当り時停止図柄決定処理（図２７中のステップＳ２４１０）で決定された大当り図柄の種類（停止図柄番号）に基づいて生成することができる。例えば、大当り図柄の種類が「１５ラウンド確変図柄」である場合、連続作動回数コマンドは「１５ラウンド」を表す値として生成される。また、大当り図柄の種類が「６ラウンド確変図柄１」又は「６ラウンド確変図柄２」である場合、連続作動回数コマンドは「６ラウンド」を表す値として生成される。生成された連続作動回数コマンドは、上記の演出制御出力処理において演出制御装置１２４に送信される。
【０４１５】
大当り時に以上の手順を終えると、主制御ＣＰＵ７２は特別図柄遊技処理に復帰する。
【０４１６】
〔非当選時〕
これに対し、大当り時以外の場合は以下の手順が実行される。
すなわち主制御ＣＰＵ７２は、ステップＳ４３００において大当りフラグの値（０１Ｈ）がセットされていないと判断した場合（Ｎｏ）、次にステップＳ４６００を実行する。
【０４１７】
ステップＳ４６００：主制御ＣＰＵ７２は、次に小当りフラグの値（０１Ｈ）がセットされているか否かを確認する。そして、小当りフラグの値（０１Ｈ）もセットされておらず、単純にはずれである場合（Ｎｏ）、主制御ＣＰＵ７２は次にステップＳ４６０２を実行する。
【０４１８】
ステップＳ４６０２：主制御ＣＰＵ７２は、ジャンプテーブルのジャンプ先アドレスとして特別図柄変動前処理のアドレスをセットする。
【０４１９】
ステップＳ４６０５：これに対し、小当りフラグの値（０１Ｈ）がセットされていた場合（ステップＳ４６００：Ｙｅｓ）、主制御ＣＰＵ７２はジャンプテーブルのジャンプ先アドレスとして可変入賞装置管理処理のアドレスをセットする。
【０４２０】
ステップＳ４６０６：そして、主制御ＣＰＵ７２は、制御上の内部状態フラグとして「小当り開始（小当り中）」をセットする。また、主制御ＣＰＵ７２は、小当り中を表す状態コマンドを生成する。小当り中を表す状態コマンドは、上記の演出制御出力処理において演出制御装置１２４に送信される。
【０４２１】
ステップＳ４６１０：次に主制御ＣＰＵ７２は、回数切りカウンタの値をロードする。「回数切りカウンタ」は、「高確率状態」や「時間短縮状態」においてそれぞれのカウンタ値がＲＡＭ７６の確変カウント領域、時短カウント領域にセットされている。本実施形態では、いわゆる回数切り確変の機能を採用しているため、「高確率状態」かつ「時間短縮状態」に移行させる場合、高確率状態に関する回数切りカウンタは所定の数値（例えば８回）に設定され、時間短縮状態に関する回数切りカウンタは所定の数値（例えば８回又は１００回）に設定される。
【０４２２】
ステップＳ４６２０：主制御ＣＰＵ７２は、ロードしたカウンタ値が０であるか否かを確認する。このとき、既に回数切りカウンタ値が０であれば（Ｙｅｓ）、主制御ＣＰＵ７２は特別図柄遊技処理に復帰する。一方、回数切りカウンタ値が０でなかった場合（Ｎｏ）、回数切りカウンタ値コマンドを生成してから、主制御ＣＰＵ７２は次にステップＳ４６３０を実行する。
【０４２３】
ステップＳ４６３０：主制御ＣＰＵ７２は、回数切りカウンタ値をデクリメント（１減算）する。
ステップＳ４６４０：そして、主制御ＣＰＵ７２は、その減算結果が０でないか否かを判断する。減算の結果、回数切りカウンタの値が０でなかった場合（Ｙｅｓ）、主制御ＣＰＵ７２は特別図柄遊技処理に復帰する。これに対し、回数切りカウンタの値が０になった場合（Ｎｏ）、主制御ＣＰＵ７２はステップＳ４６５０に進む。
【０４２４】
ステップＳ４６５０：ここで主制御ＣＰＵ７２は、回数切り機能作動時のフラグをリセットする。本実施形態では、高確率状態に関する回数切りカウンタは所定の数値（例えば８回）に設定されるため、特別遊技後に特別図柄が８回変動した後に確率変動機能作動フラグがリセットされる。また、時間短縮状態に関する回数切りカウンタは所定の数値（例えば８回又は１００回）に設定されるため、特別遊技後に特別図柄が８回又は１００回変動した後に時間短縮機能作動フラグがリセットされる。これにより、特別図柄の停止表示を経て時間短縮状態や高確率状態が終了する。以上の手順を終えると、特別図柄遊技処理に復帰する。
【０４２５】
〔表示出力管理処理〕
次に図３４は、割込管理処理の中で実行される表示出力管理処理（図２１中のステップＳ２１０）の構成例を示すフローチャートである。表示出力管理処理は、特別図柄表示設定処理（ステップＳ１２００）、普通図柄表示設定処理（ステップＳ１２１０）、状態表示設定処理（ステップＳ１２２０）、作動記憶表示設定処理（ステップＳ１２３０）、連続作動回数表示設定処理（ステップＳ１２４０）のサブルーチン群を含む構成である。
【０４２６】
このうち特別図柄表示設定処理（ステップＳ１２００）と普通図柄表示設定処理（ステップＳ１２１０）、作動記憶表示設定処理（ステップＳ１２３０）、については、既に述べたように第１特別図柄表示装置３４、第２特別図柄表示装置３５、普通図柄表示装置３３、普通図柄作動記憶ランプ３３ａ、第１特別図柄作動記憶ランプ３４ａ及び第２特別図柄作動記憶数表示ランプ３５ａの各ＬＥＤに対して印加する駆動信号を生成及び出力する処理である。
【０４２７】
状態表示設定処理（ステップＳ１２２０）及び連続作動回数表示設定処理（ステップＳ１２４０）については、遊技状態表示装置３８の各ＬＥＤに対して印加する駆動信号を生成及び出力する処理である。先ず状態表示設定処理では、主制御ＣＰＵ７２は、確率変動機能作動フラグ又は時間短縮機能作動フラグの値に応じてそれぞれ確率変動状態表示ランプ３８ａ、時短状態表示ランプ３８ｂの点灯を制御する。例えば、パチンコ機１の電源投入時において確率変動機能作動フラグに値（０１Ｈ）がセットされていれば、主制御ＣＰＵ７２は確率変動状態表示ランプ３８ａに対応するＬＥＤに対して点灯信号を出力する。なお、確率変動状態表示ランプ３８ａは、特別図柄に関する大当り遊技が開始されるまで、もしくは、特別図柄の変動表示が規定回数行われた後に確率変動機能がＯＦＦにされるまで点灯しつづけ、その後非表示に（消灯）切り替えられる。一方、時間短縮機能作動フラグに値（０１Ｈ）がセットされていれば、特に電源投入時であるか否かに関わらず、主制御ＣＰＵ７２は時短状態表示ランプ３８ｂに対応するＬＥＤに対して点灯信号を出力する。
【０４２８】
また、主制御ＣＰＵ７２は、連続作動回数表示設定処理において大当り種別表示ランプ３８ｃ，３８ｄの点灯を制御する。具体的には、主制御ＣＰＵ７２は上記の連続作動回数ステータスの値に基づき、大当り種別表示ランプ３８ｃ，３８ｄのいずれかに対する点灯信号を出力する。このとき点灯信号を出力する対象となるのは、連続作動回数ステータスの値で指定された大当り図柄に対応するいずれかの表示ランプ３８ｃ，３８ｄである。例えば、連続作動回数ステータスの値が「１５ラウンド」を指定するものであれば、主制御ＣＰＵ７２は「１５ラウンド（１５Ｒ）」を表すランプ３８ｃに対して点灯信号を出力する。また、連続作動回数ステータスの値が「６ラウンド」を指定するものであれば、主制御ＣＰＵ７２は「６ラウンド（６Ｒ）」を表すランプ３８ｄに対して点灯信号を出力する。
【０４２９】
また、状態表示設定処理（ステップＳ１２２０）においては、主制御ＣＰＵ７２は、遊技状態表示装置３８の発射位置指定表示ランプ３８ｅに対する制御も行う。例えば、主制御ＣＰＵ７２は、特別遊技の実行中の状態である場合や時間短縮状態である場合、発射位置指定表示ランプ３８ｅに対応するＬＥＤに対して点灯信号を出力する。
【０４３０】
〔可変入賞装置管理処理〕
次に、可変入賞装置管理処理の詳細について説明する。図３５は、可変入賞装置管理処理の構成例を示すフローチャートである。可変入賞装置管理処理は、遊技プロセス選択処理（ステップＳ５１００）、大入賞口開放パターン設定処理（ステップＳ５２００）、大入賞口開閉動作処理（ステップＳ５３００）、大入賞口閉鎖処理（ステップＳ５４００）、終了処理（ステップＳ５５００）のサブルーチン群を含む構成である。
【０４３１】
ステップＳ５１００：遊技プロセス選択処理において、主制御ＣＰＵ７２は次に実行するべき処理（ステップＳ５２００〜ステップＳ５５００のいずれか）のジャンプ先を選択する。すなわち主制御ＣＰＵ７２は、ジャンプテーブルから次に実行するべき処理のプログラムアドレスをジャンプ先のアドレスとして選択し、また、戻り先のアドレスとして可変入賞装置管理処理の末尾をスタックポインタにセットする。いずれの処理を次のジャンプ先として選択するかは、これまでに行われた処理の進行状況によって異なる。例えば、未だ可変入賞装置３０の作動（開閉動作）を開始していない状況であれば、主制御ＣＰＵ７２は次のジャンプ先として大入賞口開放パターン設定処理（ステップＳ５２００）を選択する。一方、既に大入賞口開放パターン設定処理が完了していれば、主制御ＣＰＵ７２は次のジャンプ先として大入賞口開閉動作処理（ステップＳ５３００）を選択し、大入賞口開閉動作処理まで完了していれば、次のジャンプ先として大入賞口閉鎖処理（ステップＳ５４００）を選択する。また、設定された連続作動回数（ラウンド数）にわたって大入賞口開閉動作処理及び大入賞口閉鎖処理が繰り返し実行されると、主制御ＣＰＵ７２は次のジャンプ先として終了処理（ステップＳ５５００）を選択する。以下、それぞれの処理についてさらに詳しく説明する。
【０４３２】
〔大入賞口開放パターン設定処理〕
図３６は、大入賞口開放パターン設定処理の手順例を示すフローチャートである。この処理は、大当り時又は小当り時にそれぞれ可変入賞装置３０を開閉動作する回数や各開放の時間等の条件を設定するためのものである。以下、各手順に沿って説明する。
【０４３３】
ステップＳ５２０２：主制御ＣＰＵ７２は、現在の遊技状態が大役中、つまりＲＡＭ７６のフラグ領域に大当りフラグの値（０１Ｈ）がセットされているか否かを確認する。大当りフラグの値がセットされていれば（Ｙｅｓ）、主制御ＣＰＵ７２は次にステップＳ５２０４に進む。一方、大当りフラグの値がセットされていなければ（Ｎｏ）、主制御ＣＰＵ７２はステップＳ５２１２に進む。なお、この手順は小当りフラグの値を参照する内容に書き換えてもよい（ただしＹｅｓ／Ｎｏの論理は逆となる。）。
【０４３４】
〔大当り時の手順〕
先ず、大当り時の手順は以下となる。
ステップＳ５２０４：主制御ＣＰＵ７２は、図柄別開放パターン設定処理を実行する。この処理では、主制御ＣＰＵ７２は今回の該当する当選図柄に応じて大入賞口の開放パターン（ラウンドごとの開放回数及び各開放の時間）やラウンド間のインターバル時間、１ラウンド中のカウント数（最大入賞回数）を設定する。なお、当選図柄別の開放パターンについては、先の特別図柄遊技処理（図２６）において〔複数の当選種類〕の項目で説明した通りである。また、ラウンド間のインターバル時間は、例えば「６ラウンド確変図柄１」及び「１５ラウンド確変図柄」については数秒（例えば２秒〜２．５秒）程度に設定され、例えば「６ラウンド確変図柄２」については１秒程度に設定されるものとする。なお、１ラウンド中のカウント数（最大入賞回数）は全ての当選図柄について例えば９個であるが、極端な短時間（０．１秒程度）の開放中に入賞が発生することはほとんどない（不能ではないが極めて困難である）。
【０４３５】
ステップＳ５２０６：主制御ＣＰＵ７２は、先の大当り時停止図柄決定処理（図２７中のステップＳ２４１０）で選択した大当り時当選図柄に基づき、今回の大当り遊技における実行ラウンド数を設定する。具体的には、当選図柄として大分類の「１５ラウンド確変図柄」を選択していれば、主制御ＣＰＵ７２は実行ラウンド数を１５回に設定する。また、当選図柄として「６ラウンド確変図柄１」又は「６ラウンド確変図柄２」を選択していれば、主制御ＣＰＵ７２は実行ラウンド数を６回に設定する。ここで設定した実行ラウンド数は、プログラム上で対応する値（６回なら「５」、１５回なら「１４」）として、例えばＲＡＭ７６のバッファ領域に格納される。
【０４３６】
ステップＳ５２０８：次に主制御ＣＰＵ７２は、先のステップＳ５２０４で設定した大入賞口開放パターンに基づき、大当り時開放タイマを設定する。ここで設定したタイマの値は、可変入賞装置３０を作動する際の１回あたりの開放時間となる。なお、大当り時開放タイマの値として２９．０秒程度が設定されていれば、その開放時間は１回の開放中に大入賞口への入賞が容易に発生する充分な時間（例えば発射制御基板セット１７４により遊技球が１０個以上発射される時間、好ましくは６秒以上）となる。一方、大当り開放タイマの値として０．１秒が設定されていれば、その開放時間は１回の開放中に大入賞口への入賞が不能ではなくとも、ほとんど発生しない（困難となる）短時間（例えば１秒より短い時間、好ましくは発射制御基板セット１７４による遊技球の発射間隔よりも短い時間）となる。
【０４３７】
ステップＳ５２１０：そして、主制御ＣＰＵ７２は、先のステップＳ５２０４で設定した大入賞口開放パターンに基づき、大当り時インターバルタイマを設定する。ここで設定したタイマの値は、大当り中のラウンド間での待機時間となる。
【０４３８】
ステップＳ５２２０：以上の手順を終えると、主制御ＣＰＵ７２は次のジャンプ先を大入賞口開閉動作処理に設定し、可変入賞装置管理処理に復帰する。
【０４３９】
〔小当り時の手順〕
ステップＳ５２１２：一方、小当りの場合（ステップＳ５２０２：Ｎｏ）、主制御ＣＰＵ７２は、「小当り時開放パターン」を設定する。本実施形態の場合、「小当り時開放パターン」については、例えば１回目と２回目とでそれぞれ「０．１秒開放」の開放パターンが設定される。なお、「小当り」については「ラウンド」という概念がないことから、「開放パターン」についても「１回目の開放」、「２回目の開放」といった表記となる。
【０４４０】
ステップＳ５２１４：主制御ＣＰＵ７２は、先のステップＳ５２１２で設定した大入賞口開放パターンに基づき、大入賞口の開放回数を例えば２回に設定する。ここで設定した開放回数は、例えばＲＡＭ７６のバッファ領域に格納される。
【０４４１】
ステップＳ５２１６：次に主制御ＣＰＵ７２は、小当り時開放タイマを設定する。ここで設定したタイマの値は、可変入賞装置３０を作動する際の１回あたりの開放時間となる。なお、本実施形態では、上記のように小当り時開放タイマの値として０．１秒が設定されており、このような開放時間は１回の開放中に大入賞口への入賞がほとんど発生しない（困難となる）短時間（例えば１秒より短い時間、好ましくは発射装置ユニットによる遊技球の発射間隔よりも短い時間）となる。
【０４４２】
ステップＳ５２１８：主制御ＣＰＵ７２は、小当り時インターバルタイマを設定する。ここで設定したタイマの値は、小当り時に可変入賞装置３０を複数回にわたり開閉動作させる際の１回ごとの待機時間となるが、このタイマ値は例えば２秒程度に設定される。
【０４４３】
ステップＳ５２２０：小当り時に以上の手順を終えると、主制御ＣＰＵ７２は次のジャンプ先を大入賞口開閉動作処理に設定し、可変入賞装置管理処理に復帰する。そして、主制御ＣＰＵ７２は、次に大入賞口開閉動作処理を実行する。
【０４４４】
〔大入賞口開閉動作処理〕
図３７は、大入賞口開閉動作処理の手順例を示すフローチャートである。この処理は主に、可変入賞装置３０の開閉動作を制御するためのものである。以下、手順に沿って説明する。
【０４４５】
ステップＳ５３０２：主制御ＣＰＵ７２は、大入賞口を開放させる。具体的には、大入賞口ソレノイド９０に対して印加する駆動信号を出力する。これにより、可変入賞装置３０が作動して閉止状態から開放状態に移行する。
【０４４６】
ステップＳ５３０４：次に主制御ＣＰＵ７２は、開放タイマカウントダウン処理を実行する。この処理では、先の大入賞口開放パターン設定処理（図３６中のステップＳ５２０８又はステップＳ５２１６）で設定した開放タイマのカウントダウンを実行する。
【０４４７】
ステップＳ５３０６：続いて主制御ＣＰＵ７２は、開放時間が終了したか否かを確認する。具体的には、カウントダウン処理後の開放タイマの値が０以下であるか否かを確認し、未だ開放タイマの値が０以下になっていなければ（Ｎｏ）、主制御ＣＰＵ７２は次にステップＳ５３０８を実行する。
【０４４８】
ステップＳ５３０８：主制御ＣＰＵ７２は、入賞球数カウント処理を実行する。この処理では、開放時間内に可変入賞装置３０（開放中の大入賞口）に入賞した遊技球の個数をカウントする。具体的には、主制御ＣＰＵ７２は開放時間内にカウントスイッチ８４から入力された入賞検出信号に基づいて、カウント数の値をインクリメントする。
【０４４９】
ステップＳ５３１０：次に主制御ＣＰＵ７２は、現在のカウント数が所定数（９個）未満であるか否かを確認する。この所定数は、上記のように開放１回（大当り中の１ラウンド、小当り時の１回）あたりに許容する入賞球数の上限（賞球数の上限）を定めたものである。未だカウント数が所定数に達していなければ（Ｙｅｓ）、主制御ＣＰＵ７２は可変入賞装置管理処理に復帰する。そして、次に可変入賞装置管理処理を実行すると、現段階ではジャンプ先が大入賞口開閉動作処理に設定されているので、主制御ＣＰＵ７２は上記のステップＳ５３０２〜ステップＳ５３１０の手順を繰り返し実行する。
【０４５０】
上記のステップＳ５３０６で開放時間が終了したと判断するか（Ｙｅｓ）、もしくはステップＳ５３１０でカウント数が所定数に達したことを確認すると（Ｎｏ）、主制御ＣＰＵ７２は次にステップＳ５３１２を実行する。なお、小当り時の開放は、開放タイマの値が短時間に設定されているので、通常、主制御ＣＰＵ７２はステップＳ５３１０でカウント数が所定数に達したことを確認するより先に、ステップＳ５３０６で開放時間が終了したと判断する場合がほとんどである。
【０４５１】
ステップＳ５３１２：主制御ＣＰＵ７２は、大入賞口を閉止させる。具体的には、大入賞口ソレノイド９０に印加していた駆動信号の出力を停止する。これにより、可変入賞装置３０が開放状態から閉止状態に復帰する。
【０４５２】
ステップＳ５３１４：次に主制御ＣＰＵ７２は、インターバル待機処理を実行する。この処理では、主制御ＣＰＵ７２は上記の大入賞口開放パターン設定処理（図３６中のステップＳ５２１０又はステップＳ５２１８）で設定したインターバルタイマのカウントダウンを実行する。そして、インターバルタイマの値が０以下になると、次に主制御ＣＰＵ７２はステップＳ５３１６に進む。なお、ここでは特に図示していないが、インターバル時間が経過するまでの間（インターバルタイマ値が０になるまでの間）、割り込み毎に主制御ＣＰＵ７２はステップＳ５３１４から呼び出し元である可変入賞装置管理処理（図３５）の末尾アドレスに復帰する。そして、次回の呼び出しで大入賞口開閉動作処理が実行されると、先頭のステップＳ５３０２からではなく直にステップＳ５３１４を実行する。
【０４５３】
ステップＳ５３１６：主制御ＣＰＵ７２は、大役中（大当り遊技中）であるか否かを確認する。現在の遊技が大役中であれば（Ｙｅｓ）、主制御ＣＰＵ７２は次にステップＳ５３１８を実行する。これに対し、現在の遊技が小当りであれば（Ｎｏ）、主制御ＣＰＵ７２は次にステップＳ５３２２に進む。
【０４５４】
ステップＳ５３１８：主制御ＣＰＵ７２は、開放回数カウンタの値をインクリメントする。なお、開放回数カウンタの値は、例えば初期値を０としてＲＡＭ７６のカウント領域に記憶されている。
【０４５５】
ステップＳ５３２０：主制御ＣＰＵ７２は、インクリメント後の開放回数カウンタの値が現ラウンド内で設定した回数に達しているか否かを確認する。ここで、「現ラウンド内で設定した回数」を判断しているのは、例えば「大当り中の１ラウンド内で可変入賞装置３０を複数回にわたり開放動作させる」という開放パターンに対応するためである。なお、本実施形態では、特にこのような開放パターンを採用していないので、「現ラウンド内で設定した回数」は、各ラウンドで１回ずつに設定されている。したがって、通常は１回の開閉動作でカウンタ値が設定した回数に達するため（Ｙｅｓ）、主制御ＣＰＵ７２は次にステップＳ５３２２に進むことになる。
【０４５６】
なお、上記のように１ラウンド内で複数回の開閉動作を繰り返すパターンを採用した場合、１回の開放終了時に未だカウンタ値が設定した回数に達していないことになる（Ｎｏ）。この場合、主制御ＣＰＵ７２は可変入賞装置管理処理に復帰すると、現段階ではジャンプ先が大入賞口開閉動作処理に設定されているので、上記のステップＳ５３０２〜ステップＳ５３２０までの手順を繰り返し実行する。その結果、ステップＳ５３１８で開放回数カウンタのインクリメントが進み、そして、カウンタ値が設定した回数に達すると（Ｙｅｓ）、主制御ＣＰＵ７２は次にステップＳ５３２２に進むことになる。
【０４５７】
ステップＳ５３２２：主制御ＣＰＵ７２は次のジャンプ先を大入賞口閉鎖処理に設定し、可変入賞装置管理処理に復帰する。そして、次に可変入賞装置管理処理を実行すると、主制御ＣＰＵ７２は次に大入賞口閉鎖処理を実行する。
【０４５８】
〔大入賞口閉鎖処理〕
図３８は、大入賞口閉鎖処理の手順例を示すフローチャートである。この大入賞口閉鎖処理は、可変入賞装置３０の作動を継続したり、その作動を終了したりするためのものである。以下、手順に沿って説明する。
【０４５９】
ステップＳ５４０１：先ず主制御ＣＰＵ７２は、現在の遊技が大役（大当り遊技）中であるか否かを確認し、大役中であれば（Ｙｅｓ）、主制御ＣＰＵ７２は次にステップＳ５４０２を実行する。
【０４６０】
ステップＳ５４０２：主制御ＣＰＵ７２は、上記のラウンド数カウンタをインクリメントする。これにより、例えば１ラウンド目が終了し、２ラウンド目に向かう段階でラウンド数カウンタの値は「１」となっている。
【０４６１】
ステップＳ５４０４：主制御ＣＰＵ７２は、インクリメント後のラウンド数カウンタの値が設定した実行ラウンド数に達しているか否かを確認する。具体的には、主制御ＣＰＵ７２はインクリメント後のラウンド数カウンタの値（１〜１４）を参照し、その値が設定した実行ラウンド数（１減算後の１〜１４）未満であれば（Ｎｏ）、次にステップＳ５４０５を実行する。
【０４６２】
ステップＳ５４０５：主制御ＣＰＵ７２は、現在のラウンド数カウンタの値からラウンド数コマンドを生成する。このコマンドは、上記のように演出制御出力処理において演出制御装置１２４に送信されるものである。演出制御装置１２４は、受信したラウンド数コマンドに基づいて現在のラウンド数を確認することができる。
【０４６３】
ステップＳ５４０６：主制御ＣＰＵ７２は、次のジャンプ先を大入賞口開閉動作処理に設定する。
【０４６４】
ステップＳ５４０８：そして、主制御ＣＰＵ７２は、入賞球数カウンタをリセットし、可変入賞装置管理処理に復帰する。
【０４６５】
主制御ＣＰＵ７２が次に可変入賞装置管理処理を実行すると、遊技プロセス選択処理（図３５中のステップＳ５１００）で主制御ＣＰＵ７２は次のジャンプ先である大入賞口開閉動作処理を実行する。そして、大入賞口開閉動作処理の実行後は大入賞口閉鎖処理の実行を経て、主制御ＣＰＵ７２は再び大入賞口閉鎖処理を実行し、上記のステップＳ５４０２〜ステップＳ５４０８を繰り返し実行する。これにより、実際のラウンド数が設定した実行ラウンド数（６回又は１５回）に達するまでの間、可変入賞装置３０の開閉動作が連続して実行される。
【０４６６】
実際のラウンド数が設定した実行ラウンド数に達した場合（ステップＳ５４０４：Ｙｅｓ）、主制御ＣＰＵ７２は次にステップＳ５４１０を実行する。
【０４６７】
ステップＳ５４１０，ステップＳ５４１２：この場合、主制御ＣＰＵ７２はラウンド数カウンタをリセット（＝０）すると、次のジャンプ先を終了処理に設定する。
【０４６８】
ステップＳ５４０８：そして、主制御ＣＰＵ７２は、入賞球数カウンタをリセットし、可変入賞装置管理処理に復帰する。これにより、次に主制御ＣＰＵ７２が可変入賞装置管理処理を実行すると、今度は終了処理が選択されることになる。
【０４６９】
〔小当り時〕
これに対し、小当りの場合は以下の手順となる（特例作動実行手段）。
ステップＳ５４１１：主制御ＣＰＵ７２は現在の遊技が大役中でないことを確認すると（ステップＳ５４０１：Ｎｏ）、開放回数カウンタの値をインクリメントする。
【０４７０】
ステップＳ５４１３：次に主制御ＣＰＵ７２は、インクリメント後の開放回数カウンタの値が設定した開放回数に達したか否かを確認する。開放回数は、先の大入賞口開放パターン設定処理（図３６中のステップＳ５２１４）で設定したものである。未だ開放回数カウンタの値が設定した開放回数に達していなければ（Ｎｏ）、主制御ＣＰＵ７２はステップＳ５４１６を実行する。
【０４７１】
ステップＳ５４１６：主制御ＣＰＵ７２は、次のジャンプ先を大入賞口開閉動作処理に設定する。
ステップＳ５４０８：そして、主制御ＣＰＵ７２は、入賞球数カウンタをリセットし、可変入賞装置管理処理に復帰する。
【０４７２】
主制御ＣＰＵ７２が次に可変入賞装置管理処理を実行すると、遊技プロセス選択処理（図３５中のステップＳ５１００）で主制御ＣＰＵ７２は次のジャンプ先である大入賞口開閉動作処理を実行する。そして、大入賞口開閉動作処理の実行後は大入賞口閉鎖処理の実行を経て、主制御ＣＰＵ７２は再び大入賞口閉鎖処理を実行し、上記のステップＳ５４０１〜ステップＳ５４１３（Ｎｏ）を経てステップＳ５４１６、ステップＳ５４０８を繰り返し実行する。これにより、実際の開放回数が設定した開放回数（２回）に達するまでの間、可変入賞装置３０の開閉動作が繰り返し実行される。
【０４７３】
小当り時の実際の開放回数が設定した開放回数に達した場合（ステップＳ５４１３：Ｙｅｓ）、主制御ＣＰＵ７２は次にステップＳ５４１４を実行する。
【０４７４】
ステップＳ５４１４，ステップＳ５４１２：この場合、主制御ＣＰＵ７２は開放回数カウンタをリセット（＝０）すると、次のジャンプ先を終了処理に設定する。
【０４７５】
ステップＳ５４０８：そして、主制御ＣＰＵ７２は、入賞球数カウンタをリセットし、可変入賞装置管理処理に復帰する。これにより、次に主制御ＣＰＵ７２が可変入賞装置管理処理を実行すると、今度は終了処理が選択されることになる。
【０４７６】
〔終了処理〕
図３９は、終了処理の手順例を示すフローチャートである。この終了処理は、可変入賞装置３０の作動を終了する際の条件を整えるためのものである。以下、手順例に沿って説明する。
【０４７７】
ステップＳ５５０２：主制御ＣＰＵ７２は、大当りフラグの値（０１Ｈ）がセットされているか否かを確認し、大当りフラグの値がセットされていれば（Ｙｅｓ）、主制御ＣＰＵ７２は次にステップＳ５５０３を実行する。
【０４７８】
ステップＳ５５０３，ステップＳ５５０４：この場合、主制御ＣＰＵ７２は大当りフラグをリセット（００Ｈ）する。これにより、主制御ＣＰＵ７２の制御処理上で大当り遊技状態は終了する。また、主制御ＣＰＵ７２は、ここで内部状態フラグから「大当り中」を消去し、制御処理上で内部状態としての大役終了を宣言する。なお、主制御ＣＰＵ７２は連続作動回数ステータスの値をリセットする。
【０４７９】
ステップＳ５５０６：次に主制御ＣＰＵ７２は、確率変動機能作動フラグの値（０１Ｈ）がセットされているか否かを確認する。このフラグは、先の特別図柄変動前処理中の大当り時その他設定処理（図２７中のステップＳ２４１４）でセットされるものである。
【０４８０】
ステップＳ５５０８：確率変動機能作動フラグの値がセットされている場合（ステップＳ５５０６：Ｙｅｓ）、主制御ＣＰＵ７２は確率変動回数（例えば８回）を設定する。設定した確率変動回数の値は、例えばＲＡＭ７６の確変カウンタ領域に格納されて上記の回数切りカウンタ値となる。ここで設定した確率変動回数は、これ以降の遊技で特別図柄の変動（内部抽選）を高確率状態で行う上限回数となる。本実施形態では、高確率状態に実質的な上限を設けているため、高確率状態で当選の結果が得られずに低確率状態に復帰する場合もある（いわゆる回数切り確変機；ＳＴ機）。なお、確率変動機能作動フラグの値がセットされていなければ（ステップＳ５５０６：Ｎｏ）、主制御ＣＰＵ７２はステップＳ５５０８を実行しないが、本実施形態は確変比率が１００％であるため、ステップＳ５５０８は必ず実行される。
【０４８１】
ステップＳ５５１０：次に主制御ＣＰＵ７２は、時間短縮機能作動フラグの値（０１Ｈ）がセットされているか否かを確認する。このフラグもまた、先の特別図柄変動前処理中の大当り時その他設定処理（図２７中のステップＳ２４１４）でセットされるものである。
【０４８２】
ステップＳ５５１２：そして、時間短縮機能作動フラグの値がセットされている場合（ステップＳ５５１０：Ｙｅｓ）、主制御ＣＰＵ７２は当選図柄や当選時の時間短縮状態の有無に応じて時間短縮回数（例えば８回又は１００回）を設定する。設定した時間短縮回数の値は、上記のようにＲＡＭ７６の時短カウント領域に格納される。ここで設定した時間短縮回数は、これ以降の遊技で特別図柄の変動時間を短縮化する上限回数となる。なお、時間短縮機能作動フラグの値がセットされていなければ（ステップＳ５５１０：Ｎｏ）、主制御ＣＰＵ７２はステップＳ５５１２を実行しない。
【０４８３】
ステップＳ５５１４：そして、主制御ＣＰＵ７２は、各種のフラグに基づいて状態指定コマンドを生成する。具体的には、大当りフラグのリセット又は大役終了に伴い、遊技状態として「通常中」を表す状態指定コマンドを生成する。また、高確率状態機能作動フラグがセットされていれば、内部状態として「高確率中」を表す状態指定コマンドを生成し、時間短縮機能作動フラグがセットされていれば、内部状態として「時間短縮中」を表す状態指定コマンドを生成する。これら状態指定コマンドは、演出制御出力処理において演出制御装置１２４に送信される。
【０４８４】
ここまでの手順は大当りの場合であるが、小当りの場合（ステップＳ５５０２：Ｎｏ）は以下の手順が実行される。
【０４８５】
ステップＳ５５２０，ステップＳ５５２２：小当りの場合、主制御ＣＰＵ７２は小当りフラグの値をリセット（００Ｈ）し、また、内部状態フラグから「小当り中」を消去する。なお、小当りの場合、特に内部的な条件装置は作動しないため、このような手順は単にフラグの消去を目的としたものである。
【０４８６】
ステップＳ５５１６：以上の手順を経ると主制御ＣＰＵ７２は次のジャンプ先を大入賞口開放パターン設定処理に設定する。
【０４８７】
ステップＳ５５１８：そして、主制御ＣＰＵ７２は、特別図柄遊技処理の中の実行選択処理（図２６中のステップＳ１０００）でのジャンプ先を特別図柄変動前処理に設定する。以上の手順を終えると、主制御ＣＰＵ７２は可変入賞装置管理処理に復帰する。
【０４８８】
〔発射管理処理〕
図４０は、発射制御ＣＰＵ９４により実行される発射管理処理の手順例を示すフローチャートである。この発射管理処理は、例えば発射制御用のタイマ割込処理（割込管理処理）の中で実行される。発射制御ＣＰＵ９４は、例えば主制御ＣＰＵ７２におけるリセットスタート処理と同様のリセットスタート処理の実行中に所定の割込周期（例えば数十μｓ〜数ｍｓ周期）でタイマ割込を発生させ、タイマ割込処理を実行する。
【０４８９】
発射管理処理は、コマンド受信処理（ステップＳ６０００）、持ち球データ加算処理（ステップＳ６０１０）、発射制御処理（ステップＳ６０２０）、持ち球データ表示器管理処理（ステップＳ６０３０）、及びコマンド送信処理（ステップＳ６０４０）のサブルーチン群を含む構成である。以下、各処理に沿って発射管理処理の基本的な流れを説明する。
【０４９０】
ステップＳ６０００：コマンド受信処理において、発射制御ＣＰＵ９４は主制御装置７０から送信される入賞データコマンドや、カードユニット２１０から送信される球貸しデータコマンドを受信する。また、発射制御ＣＰＵ９４は受信したコマンドを解析し、それらを種類別にＲＡＭ９８のコマンドバッファ領域に保存する。
【０４９１】
ステップＳ６０１０：持ち球データ加算処理では、発射制御ＣＰＵ９４は、受信した入賞データコマンドや球貸しデータコマンドの内容に基づいて、持ち球データの加算処理を実行する。なお、具体的な処理の内容については、別の図面を参照しながらさらに後述する。
【０４９２】
ステップＳ６０２０：発射制御処理では、発射制御ＣＰＵ９４は、発射装置３００を制御する処理を実行するとともに、遊技球の供給信号や遊技球の発射信号に基づいて、持ち球データの減算処理を実行する。なお、具体的な処理の内容については、別の図面を参照しながらさらに後述する。
【０４９３】
ステップＳ６０３０：持ち球データ表示器管理処理では、発射制御ＣＰＵ９４は、持ち球データ表示器１２３の表示内容を制御する。具体的には、ＲＡＭ９８に記憶している持ち球データの情報に基づいて持ち球データの表示を行い、カードユニット２１０から送信される残数情報に基づいて残数データの表示を行う。
【０４９４】
ステップＳ６０４０：コマンド送信処理では、発射制御ＣＰＵ９４は、主制御装置７０に対して遊技停止コマンドを送信したり、カードユニット２１０に対して遊技機状態情報コマンドを送信したりする。
【０４９５】
以上の発射管理処理を通じて、発射制御ＣＰＵ９４はパチンコ機１における遊技球の発射や、持ち球データの内容を統括的に制御することができる。
【０４９６】
〔持ち球データ加算処理〕
図４１は、上記の持ち球データ加算処理の手順例を示すフローチャートである。以下、手順例に沿って説明する。
【０４９７】
ステップＳ６１００：発射制御ＣＰＵ９４は、主制御ＣＰＵ７２から入賞データコマンドを受信したか否かを確認する。具体的には、発射制御ＣＰＵ９４はＲＡＭ９８のコマンドバッファ領域にアクセスし、入賞データコマンドが保存されているか否かを確認する。
【０４９８】
その結果、入賞データコマンドが保存されていることを確認した場合（Ｙｅｓ）、発射制御ＣＰＵ９４はステップＳ６１０２を実行する。一方、入賞データコマンドが保存されていることを確認できない場合（Ｎｏ）、発射制御ＣＰＵ９４はステップＳ６１０２を実行しない。
【０４９９】
ステップＳ６１０２：発射制御ＣＰＵ９４は、発射持ち球データ加算処理を実行する。この発射持ち球データ加算処理において、発射制御ＣＰＵ９４は、受信した入賞データに相応する数量を持ち球データに加算する処理を実行する（入賞時持ち球データ加算処理実行手段）。例えば、持ち球データの値が「１２４」であり、入賞データコマンドに含まれる入賞データの値が「３」である場合、「１２４」に「３」を加算する処理を実行して、最終的に持ち球データの値を「１２７」に更新する処理を実行する。なお、本処理を実行した場合、発射制御ＣＰＵ９４は、入賞データコマンドをＲＡＭ９８のコマンドバッファ領域から消去する処理を実行する。
【０５００】
ステップＳ６１０４：発射制御ＣＰＵ９４は、カードユニット２１０から球貸しデータコマンドを受信したか否かを確認する。具体的には、発射制御ＣＰＵ９４はＲＡＭ９８のコマンドバッファ領域にアクセスし、球貸しデータコマンドが保存されているか否かを確認する。その結果、球貸しデータコマンドが保存されていることを確認した場合（Ｙｅｓ）、発射制御ＣＰＵ９４はステップＳ６１０６を実行する。一方、球貸しデータコマンドが保存されていることを確認できない場合（Ｎｏ）、発射制御ＣＰＵ９４はステップＳ６１０６を実行しない。
【０５０１】
ステップＳ６１０６：発射制御ＣＰＵ９４は、発射持ち球データ加算処理を実行する。この発射持ち球データ加算処理において、発射制御ＣＰＵ９４は、受信した球貸しデータに相応する数量を持ち球データに加算する処理を実行する（球貸し時持ち球データ加算処理実行手段）。例えば、持ち球データの値が「０」であり、球貸しデータコマンドに含まれる球貸しデータの値が「１２５」である場合、「０」に「１２５」を加算する処理を実行して、最終的に持ち球データの値を「１２５」に更新する処理を実行する。なお、本処理を実行した場合、発射制御ＣＰＵ９４は、球貸しデータコマンドをＲＡＭ９８のコマンドバッファ領域から消去する処理を実行する。
そして、以上の処理を終えると、発射制御ＣＰＵ９４は、発射管理処理（図４０）に復帰する。
【０５０２】
〔発射制御処理〕
図４２は、上記の発射制御処理の手順例を示すフローチャートである。以下、手順例に沿って説明する。
【０５０３】
ステップＳ６２００：発射制御ＣＰＵ９４は、持ち球データの値が「０」であるか否かを確認する。具体的には、発射制御ＣＰＵ９４はＲＡＭ９８のデータバッファ領域にアクセスし、持ち球データの値が「０」であるか否かを確認する。
【０５０４】
その結果、持ち球データの値が「０」であることを確認した場合（Ｙｅｓ）、発射制御ＣＰＵ９４は発射管理処理（図４０）に復帰する。一方、持ち球データの値が「０」であることを確認できない場合（Ｎｏ）、発射制御ＣＰＵ９４はステップＳ６２０２を実行する。なお、持ち球データの値が「０」であることを確認した場合は、遊技者に対して持ち球データを追加することを促す演出（視覚的又は聴覚的な演出）を実行してもよい。
【０５０５】
ステップＳ６２０２：発射制御ＣＰＵ９４は、発射許可状態であるか否かを確認する。具体的には、発射制御ＣＰＵ９４はＲＡＭ９８のコマンドバッファ領域にアクセスし、発射禁止コマンドが保存されていない場合には、発射許可状態であると判断することができる。
【０５０６】
その結果、発射許可状態であることを確認した場合（Ｙｅｓ）、発射制御ＣＰＵ９４はステップＳ６２０４を実行する。一方、発射許可状態であることを確認できない場合（Ｎｏ）、発射管理処理（図４０）に復帰する。
【０５０７】
ステップＳ６２０４：発射制御ＣＰＵ９４は、発射ステータスの値が「供給待ち中」であるか否かを確認する。ここで、発射ステータスとは、発射装置３００の動作状態を示す変数でありＲＡＭ９８のデータバッファに記憶されている。発射ステータスに格納される値としては、例えば「供給待ち中（００Ｈ）」、「供給確認中（０１Ｈ）」、「供給中（０２Ｈ）」、「発射待ち中（０３Ｈ）」、「発射中（０４Ｈ）」がある。発射制御ＣＰＵ９４は、発射ステータスの値を確認することにより、発射装置３００の動作状態を確認することができる。なお、発射ステータスの初期値には、「供給待ち中（００Ｈ）」が格納される。
【０５０８】
そして、発射ステータスの値が「供給待ち中」であることを確認した場合（Ｙｅｓ）、発射制御ＣＰＵ９４はステップＳ６２０６及びステップＳ６２０８を実行する。一方、発射ステータスの値が「供給待ち中」であることを確認できない場合（Ｎｏ）、発射制御ＣＰＵ９４はステップＳ６２０６及びステップＳ６２０８を実行せずに、ステップＳ６２０９を実行する。
【０５０９】
ステップＳ６２０６：発射制御ＣＰＵ９４は、発射球供給処理を実行する。具体的には、球送りモータ５０２を駆動して、発射装置３００に遊技球を供給する処理を実行する。
【０５１０】
ステップＳ６２０８：発射制御ＣＰＵ９４は、発射ステータスに「供給確認中（０１Ｈ）」を格納する処理を実行する。
【０５１１】
ステップＳ６２０９：発射制御ＣＰＵ９４は、供給確認処理を実行する。この供給確認処理は、発射装置３００に対して遊技球が正常に供給されたか否かを確認するための処理であり、遊技球が正常に供給されたことが確認された場合、発射制御ＣＰＵ９４は、発射ステータスに「供給中（０２Ｈ）」を格納する処理を実行する。なお、具体的な処理の内容は、別のフローチャートを用いて後述する。
【０５１２】
ステップＳ６２１０：発射制御ＣＰＵ９４は、発射ステータスの値が「供給中」であるか否かを確認する。
【０５１３】
その結果、発射ステータスの値が「供給中」であることを確認した場合（Ｙｅｓ）、発射制御ＣＰＵ９４はステップＳ６２１２を実行する。一方、発射ステータスの値が「供給中」であることを確認できない場合（Ｎｏ）、発射制御ＣＰＵ９４はステップＳ６２１２等を実行せずに、ステップＳ６２２０を実行する。
【０５１４】
ステップＳ６２１２：発射制御ＣＰＵ９４は、安定時間タイマカウントダウン処理を実行する。具体的には、本モジュールの初回呼び出し時であれば、発射制御ＣＰＵ９４はここで安定時間タイマの値に初期値を設定し、初回以降の呼び出し時であれば、発射制御ＣＰＵ９４は設定済みの安定時間タイマの値をデクリメントする。安定時間タイマの初期値は、遊技球供給検出センサ１０６により遊技球の通過が検出されてから遊技球が発射装置３００内で安定して停止するまでの待ち時間（例えば０．１〜０．３秒程度）として設定することができる。
【０５１５】
ステップＳ６２１４：発射制御ＣＰＵ９４は、安定時間が経過したか否かを確認する。具体的には、カウントダウン処理後の安定時間タイマの値が０以下であるか否かを確認する。未だタイマの値が０以下になっていなければ（Ｎｏ）、発射制御ＣＰＵ９４はステップＳ６２２０以降を実行することになるが、現状の発射ステータスの値が「供給中」であるため、そのまま発射管理処理（図４０）に復帰する。そして、次に発射制御処理を実行すると、現段階では発射ステータスが「供給中」に設定されているため、発射制御ＣＰＵ９４は、上記のステップＳ６２１２及びステップＳ６２１４の手順を繰り返し実行する。そして、ステップＳ６２１４で安定時間が経過したと判断すると（Ｙｅｓ）、発射制御ＣＰＵ９４はステップＳ６２１６及びステップＳ６２１８を実行する。
【０５１６】
ステップＳ６２１６：発射制御ＣＰＵ９４は、持ち球データ減算処理を実行する。この持ち球データ減算処理において、発射制御ＣＰＵ９４は、遊技球供給検出センサ１０６にて供給された遊技球の数に相応する数量を持ち球データから減算する処理を実行する（発射時持ち球データ減算処理実行手段）。例えば、持ち球データの値が「１２５」であり、遊技球が「１個」供給されたことが検出された場合、「１２５」から「１」を減算する処理を実行して、最終的に持ち球データの値を「１２４」に更新する処理を実行する。
【０５１７】
ステップＳ６２１８：発射制御ＣＰＵ９４は、発射ステータスに「発射待ち中（０３Ｈ）」を格納する処理を実行する。
【０５１８】
ステップＳ６２２０：発射制御ＣＰＵ９４は、発射ステータスの値が「発射待ち中」であるか否かを確認する。
【０５１９】
その結果、発射ステータスの値が「発射待ち中」であることを確認した場合（Ｙｅｓ）、発射制御ＣＰＵ９４はステップＳ６２２２を実行する。一方、発射ステータスの値が「発射待ち中」であることを確認できない場合（Ｎｏ）、発射制御ＣＰＵ９４はステップＳ６２２２及びステップＳ６２２４を実行せずに、ステップＳ６２２６を実行する。
【０５２０】
ステップＳ６２２２：発射制御ＣＰＵ９４は、発射出力処理を実行する。具体的には、発射モータ３０２を駆動して、発射装置３００から遊技球を発射させる処理を実行する。
【０５２１】
ステップＳ６２２４：発射制御ＣＰＵ９４は、発射ステータスに「発射中（０４Ｈ）」を格納する処理を実行する。この際、発射強度をＰＷＭ駆動のデュ―ティ比でデジタル制御する場合には、発射制御ＣＰＵ９４は、ここで強度設定を行う。
【０５２２】
ステップＳ６２２６：発射制御ＣＰＵ９４は、発射ステータスの値が「発射中」であるか否かを確認する。
【０５２３】
その結果、発射ステータスの値が「発射中」であることを確認した場合（Ｙｅｓ）、発射制御ＣＰＵ９４はステップＳ６２２８を実行する。一方、発射ステータスの値が「発射中」であることを確認できない場合（Ｎｏ）、発射制御ＣＰＵ９４は発射管理処理（図４０）に復帰する。
【０５２４】
ステップＳ６２２８：発射制御ＣＰＵ９４は、保持時間タイマカウントダウン処理を実行する。具体的には、本モジュールの初回呼び出し時であれば、発射制御ＣＰＵ９４はここで保持時間タイマの値に初期値を設定し、初回以降の呼び出し時であれば、発射制御ＣＰＵ９４は設定済みの保持時間タイマの値をデクリメントする。保持時間タイマの初期値は、遊技球発射検出センサ３１６により遊技球の通過が検出されてから遊技球が発射装置３００内から確実に排出されるまでの待ち時間（例えば０．１〜０．３秒程度）として設定することができる。
【０５２５】
ここで、上記のステップＳ６２１６の持ち球データ減算処理は、遊技球発射検出センサ３１６により遊技球の通過が検出された際に実行してもよい。
【０５２６】
ステップＳ６２３０：発射制御ＣＰＵ９４は、保持時間が経過したか否かを確認する。具体的には、カウントダウン処理後の保持時間タイマの値が０以下であるか否かを確認する。未だタイマの値が０以下になっていなければ（Ｎｏ）、発射制御ＣＰＵ９４は発射管理処理（図４０）に復帰する。そして、次に発射制御処理を実行すると、現段階では発射ステータスが「発射中」に設定されているため、発射制御ＣＰＵ９４は、上記のステップＳ６２２８及びステップＳ６２３０の手順を繰り返し実行する。そして、ステップＳ６２３０で保持時間が経過したと判断すると（Ｙｅｓ）、発射制御ＣＰＵ９４はステップＳ６２３２及びステップＳ６２３４を実行する。
【０５２７】
ステップＳ６２３２：発射制御ＣＰＵ９４は、退避位置移行処理を実行する。具体的には、発射モータ３０２を駆動して、発射装置３００の発射アーム３０６を元の待機位置に戻す処理を実行する。
【０５２８】
ステップＳ６２３４：発射制御ＣＰＵ９４は、発射ステータスに「供給待ち中（００Ｈ）」を格納する処理を実行する。これにより、１回の発射における一連の動作が終了し、発射装置３００は、遊技球の供給待ちの状態となる。
そして、以上の処理を終えると、発射制御ＣＰＵ９４は、発射管理処理（図４０）に復帰する。
【０５２９】
〔供給確認処理〕
図４３は、上記の供給確認処理の手順例を示すフローチャートである。以下、手順例に沿って説明する。
【０５３０】
ステップＳ６３００：発射制御ＣＰＵ９４は、発射ステータスの値が「供給確認中（０１Ｈ）」であるか否かを確認する。
【０５３１】
その結果、発射ステータスの値が「供給確認中」であることを確認した場合（Ｙｅｓ）、発射制御ＣＰＵ９４はステップＳ６３０２を実行する。一方、発射ステータスの値が「供給確認中」であることを確認できない場合（Ｎｏ）、発射制御ＣＰＵ９４は発射制御処理（図４２）に復帰する。
【０５３２】
ステップＳ６３０２：発射制御ＣＰＵ９４は、供給時間タイマカウントダウン処理を実行する。具体的には、本モジュールの初回呼び出し時であれば、発射制御ＣＰＵ９４はここで供給時間タイマの値に初期値を設定し、初回以降の呼び出し時であれば、発射制御ＣＰＵ９４は設定済みの供給時間タイマの値をデクリメントする。供給時間タイマの初期値は、球送りモータ５０２を駆動してから遊技球供給検出センサ１０６により遊技球の通過が検出されるまでの待ち時間（例えば０．１〜０．３秒程度）として設定することができる。
【０５３３】
ステップＳ６３０４：発射制御ＣＰＵ９４は、供給時間が経過したか否かを確認する。具体的には、カウントダウン処理後の供給時間タイマの値が０以下であるか否かを確認する。未だタイマの値が０以下になっていなければ（Ｎｏ）、発射制御ＣＰＵ９４はステップＳ６３０８を実行することになるが、ステップＳ６３０８での判断結果が否定（Ｎｏ）である場合には、そのまま発射管理処理（図４２）に復帰する。そして、次に供給確認処理を実行すると、現段階では発射ステータスが「供給確認中」に設定されているため、発射制御ＣＰＵ９４は、上記のステップＳ６３０２及びステップＳ６３０４の手順を繰り返し実行する。そして、ステップＳ６３０４で供給時間が経過したと判断すると（Ｙｅｓ）、発射制御ＣＰＵ９４はステップＳ６３０６を実行する。
【０５３４】
ステップＳ６３０６：発射制御ＣＰＵ９４は、発射ステータスに「供給待ち中（００Ｈ）」を格納する処理を実行する。
【０５３５】
ここで、球送り装置５００による遊技球の供給動作が実行されてから、上記の供給時間以内（所定時間以内）に遊技球供給検出センサ１０６により遊技球の供給が検出されなかったということは、供給動作が正常に実行されなかったか、あるいは供給動作が正常に実行されたものの、たまたま球送り装置５００内の遊技球が不足していて遊技球が供給されなかったということを意味している。
【０５３６】
そして、このような場合には、上記のステップＳ６３０６において発射ステータスに「供給待ち中（００Ｈ）」を格納する処理を実行することにしている。これにより、発射動作を実行せずに、再び供給動作からやり直すことができ、遊技球が供給されていないのに発射動作を実行するという事態を回避することができる。
【０５３７】
ステップＳ６３０８：発射制御ＣＰＵ９４は、遊技球供給検出センサ１０６から通過検出信号が入力されたか否かを確認する。この通過検出信号の入力が確認された場合（Ｙｅｓ）、発射制御ＣＰＵ９４はステップＳ６３１０を実行する。一方、通過検出信号の入力が確認されなかった場合（Ｎｏ）、発射制御ＣＰＵ９４は発射管理処理（図４２）に復帰する。
【０５３８】
ステップＳ６３１０：発射制御ＣＰＵ９４は、発射ステータスに「供給中（０２Ｈ）」を格納する処理を実行する。これにより、発射制御ＣＰＵ９４は、遊技球が正常に供給されたか否かの確認処理を終了させることができる。
そして、以上の処理を終えると、発射制御ＣＰＵ９４は、発射管理処理（図４２）に復帰する。
【０５３９】
〔カードユニット処理〕
図４４は、カードユニット２１０に内蔵されたカードユニットＣＰＵにより実行されるカードユニット処理の手順例を示すフローチャートである。このカードユニット処理は、例えばカードユニット制御用のタイマ割込処理（割込管理処理）の中で実行される。カードユニットＣＰＵは、リセットスタート処理の実行中に所定の割込周期（例えば数十μｓ〜数ｍｓ周期）でタイマ割込を発生させ、タイマ割込処理を実行する。
【０５４０】
ステップＳ７０００：カードユニットＣＰＵは、貸球単価設定処理を実行する。貸球単価設定処理は、貸球の単価を設定する処理であり、１回の球貸しに対して何個の遊技球を貸し出すかを決定する処理である。例えば、１回の球貸しが５００円分の球貸しであり、貸球単価が４円に設定されていれば１２５個の遊技球が貸し出されることになる。また、１回の球貸しが５００円分の球貸しであり、貸球単価が１円に設定されていれば５００個の遊技球が貸し出されることになる。なお、貸球単価設定処理は、カードユニット２１０の設定を変更することができる権限を有する係員のみが実行できる処理としてもよい。
【０５４１】
ステップＳ７００２：カードユニットＣＰＵは、カード挿入口２１４に、有価媒体としての会員カードが挿入されたか否かを確認する。カード種別の確認は、カードに記憶されているカード種別情報を読み取ることにより確認することができる。
【０５４２】
その結果、会員カードが挿入されたことを確認した場合（Ｙｅｓ）、カードユニットＣＰＵはステップＳ７００４を実行する。一方、会員カードが挿入されたことを確認できない場合（Ｎｏ）、カードユニットＣＰＵはステップＳ７００６を実行する。
【０５４３】
ステップＳ７００４：カードユニットＣＰＵは、会員カードの認証に成功したか否かを確認する。ここで、会員カードの認証とは、例えば、カードユニット２１０に設けられた図示しない入力ボタンからパスワードの入力を受け付け、入力されたパスワードと、予め登録されているパスワードとが一致しているか確認する処理である。
【０５４４】
その結果、会員カードの認証に成功したことを確認した場合（Ｙｅｓ）、カードユニットＣＰＵはステップＳ７０１０を実行する。一方、会員カードの認証に成功したことを確認できない場合（Ｎｏ）、発射制御ＣＰＵ９４はステップＳ７０００に戻ってこれまでの処理を繰り返す。
【０５４５】
ステップＳ７００６：カードユニットＣＰＵは、カード挿入口２１４に、有価媒体としての一般カードが挿入されたか否かを確認する。
【０５４６】
その結果、一般カードが挿入されたことを確認した場合（Ｙｅｓ）、カードユニットＣＰＵはステップＳ７０１０を実行する。一方、一般カードが挿入されたことを確認できない場合（Ｎｏ）、カードユニットＣＰＵはステップＳ７００８を実行する。
【０５４７】
ステップＳ７００８：カードユニットＣＰＵは、現金投入口２１２に、現金が投入されたか否かを確認する。
【０５４８】
その結果、現金が投入されたことを確認した場合（Ｙｅｓ）、カードユニットＣＰＵはステップＳ７０１０を実行する。一方、現金が投入されたことを確認できない場合（Ｎｏ）、カードユニットＣＰＵはステップＳ７０００に戻ってこれまでの処理を繰り返す。
【０５４９】
ステップＳ７０１０：カードユニットＣＰＵは、カード情報表示処理を実行する。具体的には、カード情報表示装置２００に対して、カードに記憶されている残金データや持ち球データを表示させる処理を実行する。
【０５５０】
ステップＳ７０１２：カードユニットＣＰＵは、持ち球ボタン１１が押下されたか否かを確認する。具体的には、カードユニットＣＰＵは、持ち球ボタン１１から押下信号が入力された場合に持ち球ボタン１１が押下されたと判断する。
【０５５１】
その結果、持ち球ボタン１１が押下されたことを確認した場合（Ｙｅｓ）、カードユニットＣＰＵはステップＳ７０１４を実行する。一方、持ち球ボタン１１が押下されたことを確認できない場合（Ｎｏ）、カードユニットＣＰＵはステップＳ７０２０を実行する。
【０５５２】
ステップＳ７０１４：カードユニットＣＰＵは、持ち球データの値が０よりも大きいか否かを確認する。持ち球データの値は、一般カードや会員カードに記憶されている。
【０５５３】
その結果、持ち球データの値が０よりも大きいことを確認した場合（Ｙｅｓ）、カードユニットＣＰＵはステップＳ７０１６を実行する。一方、持ち球データの値が０よりも大きいことを確認できない場合（Ｎｏ）、カードユニットＣＰＵはステップＳ７０２０を実行する。
【０５５４】
ステップＳ７０１６：カードユニットＣＰＵは、発射持ち球管理装置９２に球貸しデータコマンドを送信する処理を実行する。本処理での球貸しデータコマンドでは、所定単位（例えば１２５個）の持ち球データ又は所定単位数未満の持ち球データの全数を送信する。
【０５５５】
ステップＳ７０１８：カードユニットＣＰＵは、球貸しデータコマンドで送信した持ち球データの値を、一般カードや会員カードに記憶されている持ち球データの値から減算する処理を実行する。
【０５５６】
ステップＳ７０２０：カードユニットＣＰＵは、球貸ボタン１０が押下されたか否かを確認する。具体的には、カードユニットＣＰＵは、球貸ボタン１０から押下信号が入力された場合に球貸ボタン１０が押下されたと判断する。
【０５５７】
その結果、球貸ボタン１０が押下されたことを確認した場合（Ｙｅｓ）、カードユニットＣＰＵはステップＳ７０２２を実行する。一方、球貸ボタン１０が押下されたことを確認できない場合（Ｎｏ）、カードユニットＣＰＵはステップＳ７０２８を実行する。
【０５５８】
ステップＳ７０２２：カードユニットＣＰＵは、金額データの値が０よりも大きいか否かを確認する。金額データの値は、一般カードや会員カードに記憶されている。
【０５５９】
その結果、金額データの値が０よりも大きいことを確認した場合（Ｙｅｓ）、カードユニットＣＰＵはステップＳ７０２４を実行する。一方、金額データの値が０よりも大きいことを確認できない場合（Ｎｏ）、カードユニットＣＰＵはステップＳ７０２８を実行する。
【０５６０】
ステップＳ７０２４：カードユニットＣＰＵは、発射持ち球管理装置９２に球貸しデータコマンドを送信する処理を実行する。本処理での球貸しデータコマンドでは、決済金額に相当する球貸しデータを含むコマンドを送信する。なお、球貸しデータに関しては、消費税分を差し引いたデータを送信する機能を含めてもよい。
【０５６１】
ステップＳ７０２６：カードユニットＣＰＵは、球貸しデータコマンドで送信した持ち球データの値に対応する金額を、一般カードや会員カードに記憶されている金額データから減算する処理を実行する。
【０５６２】
ステップＳ７０２８：カードユニットＣＰＵは、休憩ボタン１２が押下されたか否かを確認する。具体的には、カードユニットＣＰＵは、休憩ボタン１２から押下信号が入力された場合に休憩ボタン１２が押下されたと判断する。
【０５６３】
その結果、休憩ボタン１２が押下されたことを確認した場合（Ｙｅｓ）、カードユニットＣＰＵはステップＳ７０３０を実行する。一方、休憩ボタン１２が押下されたことを確認できない場合（Ｎｏ）、カードユニットＣＰＵはステップＳ７０３６を実行する。
【０５６４】
ステップＳ７０３０：カードユニットＣＰＵは、休憩処理を実行する。この休憩処理では、カード挿入口２１４から休憩専用カードを排出したり、カード情報表示装置２００の表示画面にて休憩中の表示を行ったり、パチンコ機１に対して遊技不能コマンドを送信することにより遊技不能処理を行ったりすることができる。
【０５６５】
ステップＳ７０３２：カードユニットＣＰＵは、休憩が終了したか否かを確認する。具体的には、カード挿入口２１４に休憩専用カードが挿入された場合、又は、予め設定された休憩時間（例えば３０分）の経過時の店員による休憩強制終了操作が実行された場合、カードユニットＣＰＵは、休憩が終了したと判断する。
【０５６６】
ステップＳ７０３４：カードユニットＣＰＵは、休憩終了処理を実行する。この休憩終了処理では、カード情報表示装置２００の表示画面にて休憩中の終了させたり、パチンコ機１に対して遊技可能コマンドを送信することにより遊技再開可能処理を行ったりすることができる。
【０５６７】
ステップＳ７０３６：カードユニットＣＰＵは、清算ボタン１３が押下されたか否かを確認する。具体的には、カードユニットＣＰＵは、清算ボタン１３から押下信号が入力された場合に清算ボタン１３が押下されたと判断する。
【０５６８】
その結果、清算ボタン１３が押下されたことを確認した場合（Ｙｅｓ）、カードユニットＣＰＵはステップＳ７０３８を実行する。一方、清算ボタン１３が押下されたことを確認できない場合（Ｎｏ）、カードユニットＣＰＵはステップＳ７０１０に戻ってこれまでの処理を繰り返す。
【０５６９】
ステップＳ７０３８：カードユニットＣＰＵは、清算処理を実行する。この清算処理において、カードユニットＣＰＵは、発射持ち球管理装置９２から通信により持ち玉データを取得し、一般カードや会員カードに持ち玉データを記録する処理を実行する。その後、カードユニットＣＰＵは、図示しないカード排出機構を用いて、一般カードや会員カードを排出する処理を実行する。なお、会員カードは無条件で排出するが、一般カードは、残金がある場合又は持ち玉データがある場合に排出する。このため、一般カードは、残金がなく、かつ、持ち球データがない場合には排出されずに、カードユニット２１０の内部に保留される。そして、この清算処理を終えると、カードユニットＣＰＵはステップＳ７０００に戻ってこれまでの処理を繰り返す。
【０５７０】
図４５は、カードユニット２１０と発射持ち球管理装置９２と主制御装置７０との間で実行される制御処理の流れを示すシーケンス図である。
【０５７１】
〔Ｆ１０：球貸し処理〕
パチンコ機１で遊技機を開始する場合、カードユニット２１０にて、球貸し処理が実行される。
【０５７２】
〔Ｆ１２：球貸しデータコマンド送信〕
球貸し処理が実行されると、カードユニット２１０は、発射持ち球管理装置９２に球貸しデータコマンドを送信する。
【０５７３】
〔Ｆ１４：持ち球データ加算処理〕
球貸しデータコマンドを受信した発射持ち球管理装置９２は、持ち球データ加算処理を実行する。
【０５７４】
〔Ｆ１６：発射処理〕
持ち球データの値が０よりも大きい状態で遊技者によりハンドルユニット１６が操作された場合、発射持ち球管理装置９２は、発射装置３００を動作させて遊技球を発射する。
【０５７５】
〔Ｆ１８：持ち球データ減算処理〕
遊技球を発射した場合、発射持ち球管理装置９２は、発射数に応じて持ち球データ減算処理を実行する。
【０５７６】
〔Ｆ２０：入賞発生〕
ここで、遊技領域に発射された遊技球が所定の入賞口に入球することにより、入賞が発生したものとする。
【０５７７】
〔Ｆ２２：入賞データコマンド送信〕
入賞が発生すると、主制御装置７０は発射持ち球管理装置９２に入賞データコマンドを送信する。
【０５７８】
〔Ｆ２４：持ち球データ加算処理〕
入賞データコマンドを受信した発射持ち球管理装置９２は、入賞データに応じて持ち球データ加算処理を実行する。
【０５７９】
〔Ｆ２６：清算処理〕
遊技者により清算ボタン１３が押下されると、カードユニット２１０にて清算処理が開始される。
【０５８０】
〔Ｆ２８：清算コマンド送信〕
清算処理が開始されると、カードユニット２１０は発射持ち球管理装置９２に清算要求コマンドを送信する。
【０５８１】
〔Ｆ３０：遊技機状態情報コマンド送信〕
清算要求コマンドを受信した発射持ち球管理装置９２は、遊技機状態情報コマンドをカードユニット２１０に送信する。
【０５８２】
〔遊技機状態情報コマンドの詳細〕
遊技機状態情報コマンドは、主制御装置７０で生成されるものと、発射持ち球管理装置９２で生成されるものとがある。主制御装置７０で生成された遊技機状態情報コマンドは、発射持ち球管理装置９２を経由してカードユニット２１０に送信される。発射持ち球管理装置９２で生成された遊技機状態情報コマンドは、発射持ち球管理装置９２が直接カードユニット２１０に送信する。
【０５８３】
また、遊技機状態情報コマンドには、遊技球が発射されたことを示す発射情報及び持ち球データが含まれている。発射情報及び持ち球データは、発射持ち球管理装置９２が管理している情報となるため、発射情報及び持ち球データを含ませた遊技機状態情報コマンドは、発射持ち球管理装置９２が生成する。このように、遊技機状態情報に、発射情報を含ませることにより、発射という事実が無いのに持ち球データを増加させるといった不正行為を容易に発見することができる。
【０５８４】
また、遊技機状態情報コマンドには、「抽選結果、変動回数、大当り回数等の遊技結果に関する情報」、「不正行為に関する情報」、「遊技エラーに関する情報」、「扉開放等の所定の操作に関する情報」、「主制御ＣＰＵのＩＤ情報」、「セキュリティ情報に基づく装置やプログラムの真贋情報」、「遊技台のＩＤ情報」のうち少なくとも１つ以上の情報を含めてもよい。これらの情報は、主制御装置７０が管理している情報となるため、これらの情報を含ませた遊技機状態情報コマンドは、主制御装置７０が生成する。このように、遊技機状態情報に様々な情報を含ませることにより、外部のカードユニット２１０を通じた第三者機関による不正監視が可能なパチンコ機１とすることができるとともに、ゴト対策を充実させたパチンコ機１とすることができる。
【０５８５】
また、遊技機状態情報コマンドの送信タイミングは、このタイミングに限定されるものではなく、任意のタイミングで遊技機状態情報コマンドを送信することができる。例えば、遊技機状態情報コマンドに対して「不正行為に関する情報」、「遊技エラーに関する情報」、「扉開放等の所定の操作に関する情報」等を含ませる場合には、不正行為等を検出した時点で送信するようにしてもよい。
【０５８６】
〔Ｆ３２：コマンド送信処理〕
遊技機状態情報コマンドを受信したカードユニット２１０は、必要に応じてホールコンピュータ等に遊技機状態情報を送信する処理を実行する。
【０５８７】
〔Ｆ３４：情報書込み処理〕
カードユニット２１０は、受信した遊技機状態情報コマンドに含まれる持ち球データを有価媒体（一般カード又は会員カード）に書き込む処理を実行する。
【０５８８】
〔Ｆ３６：カード排出処理〕
情報書込み処理を終えると、カードユニット２１０は、有価媒体（一般カード又は会員カード）を排出する処理を実行する。
【０５８９】
このように、本実施形態では、「貸出数」、「発射数」、「賞球数」といった遊技機に必要な３つの要素を、「球貸しデータコマンド（Ｆ１２）」、「発射処理（Ｆ１６）」、「入賞データコマンド（Ｆ２２）」にそれぞれ対応させており、これらのデータや事象に基づいて持ち球データを管理しているため、電子データで遊技結果を管理することができる。これにより、遊技球の誤差球（ＩＮ／ＯＵＴの不一致）を無くすことができ、遊技結果を完全に電子化させた遊技機を提供することができる。
【０５９０】
〔演出画像の例〕
次に、パチンコ機１において実際に液晶表示器４２に表示される演出画像について、いくつかの例を挙げて説明する。以上のように、パチンコ機１において大当りの内部抽選が行われると、主制御ＣＰＵ７２による制御の下で変動パターン（変動時間）を決定し、第１特別図柄や第２特別図柄による変動表示が行われる（図柄表示手段）。ただし、上記のように第１特別図柄や第２特別図柄そのものは７セグメントＬＥＤによる点灯・点滅表示であるため、見た目上の訴求力に乏しい。そこでパチンコ機１では、上記のように演出図柄を用いた変動表示演出が行われている。
【０５９１】
演出図柄には、例えば左演出図柄、中演出図柄、右演出図柄の３つが含まれており、これらは液晶表示器４２の画面上で左・中・右に並んで表示される（図１参照）。各演出図柄は、例えば数字の「１」〜「９」とともにキャラクターが付された絵札をデザインしたものとなっている。このうち左演出図柄については、数字が「１」〜「９」の昇順に並んだ図柄列を構成しており、中演出図柄と右演出図柄については、いずれも数字が「９」〜「１」の降順に並んだ図柄列を構成している。このような図柄列は、画面上の左領域・中領域・右領域でそれぞれ縦方向に流れる（スクロールする）ようにして変動表示される。
【０５９２】
図４６は、特別図柄の変動表示及び停止表示に対応させた演出画像の例を示す連続図である。なお、ここでは非当選（はずれ）時の特別図柄の変動について、演出図柄を用いて行われる変動表示演出と停止表示演出（結果表示演出）の一例を表している。この変動表示演出は、特別図柄（ここでは第１特別図柄とするが、第２特別図柄でもよい。）が変動表示を開始してから、停止表示（確定停止を含む）するまでの間に行われる一連の演出に該当する。また、停止表示演出は、特別図柄が停止表示されたことと、そのときの内部抽選の結果を演出図柄の組み合わせとして表す演出である。ここでは先ず、制御処理の具体的な内容を説明する前に、本実施形態で採用されている変動１回ごとの変動表示演出と停止表示演出の基本的な流れについて説明する。
【０５９３】
〔変動表示前〕
図４６中（Ａ）：例えば、第１特別図柄が変動を開始する前の状態（デモ演出中でない状態）で、液晶表示器４２の画面内には３本の演出図柄の列が大きく表示されている。このとき第１特別図柄又は第２特別図柄の停止表示に合わせて、演出図柄も停止表示された状態にある。
【０５９４】
また、液晶表示器４２の画面下部には、第１特別図柄及び第２特別図柄それぞれの作動記憶数を表すマーカ（図中に参照符号Ｍ１，Ｍ２を付す）が表示されるものとなっている。これらマーカＭ１，Ｍ２は、それぞれの表示個数が対応する第１特別図柄、第２特別図柄の作動記憶数（第１特別図柄作動記憶ランプ３４ａ、第２特別図柄作動記憶ランプ３５ａの表示数）を表しており、遊技中の作動記憶数の変化に連動して表示個数も増減する。また、マーカＭ１，Ｍ２は、視覚的な判別を容易にするため第１特別図柄に対応するマーカＭ１が例えば円（○）の図形で表示され、第２特別図柄に対応するマーカＭ２が例えばハートの図形で表示されている。なお、図４６中（Ａ）の例では、マーカＭ１が４つとも点灯表示されることで第１特別図柄の作動記憶数が４個であることを表し、マーカＭ２が全て非表示（破線で示す）になることで第２特別図柄の作動記憶数が０個であることを表している（記憶数表示演出実行手段）。
【０５９５】
また、演出図柄の変動表示中、例えば液晶表示器４２の画面下部には第４図柄（図中に参照符号Ｚ１，Ｚ２を付す）が表示されている。この第４図柄Ｚ１，Ｚ２は、上記の左・中・右演出図柄に続く「第４の演出図柄」であり、演出図柄の変動表示中はこれに同期して変動表示されている。なお、第４図柄Ｚ１，Ｚ２は、単純なマーク（例えば「□」の図形）に色彩を付しただけのものであり、例えばその表示色を変化させることで変動表示を表現することができる。第４図柄Ｚ１は、第１特別図柄に対応しており、第４図柄Ｚ２は、第２特別図柄に対応している。
【０５９６】
また、第４図柄Ｚ１，Ｚ２については、はずれに対応する態様（例えば白表示色）で停止表示されている。これは、停止表示演出が正しく行われており、パチンコ機１が正常に動作しているということを客観的に明らかにするためのものである。したがって、「はずれ」ではなく、実際に内部抽選の結果が「６ラウンド確変大当り１」や「１５ラウンド確変大当り」であれば、それらに対応する態様（例えば青表示色や赤表示色等）で第４図柄Ｚ１，Ｚ２は停止表示される。
【０５９７】
〔変動表示演出開始〕
図４６中（Ｂ）：例えば第１特別図柄の変動開始に同期して、液晶表示器４２の表示画面上で３本の図柄列がスクロール変動することで変動表示演出が開始される（図柄演出実行手段）。すなわち、第１特別図柄の変動開始に同期して、液晶表示器４２の表示画面内で左演出図柄、中演出図柄、右演出図柄の列が縦方向にスクロールする（流れる）ようにして変動表示演出が開始される。なお、図中、演出図柄の変動表示は単に下向きの矢印で示されている。また、変動表示中、個々の演出図柄が透けた状態で表示（透過表示）されることにより、このとき表示画面内には演出図柄の背景となる画像（背景画像）が視認しやすい状態で表示されている。
【０５９８】
この場合の背景画像は、例えば浴衣を着こなした女性キャラクターが長椅子に腰掛け、夕涼みでもするかのようにリラックスしている風景を表現したものである。このような背景画像は、演出上での滞在モードが例えば「通常モード」であることを表現している。本実施形態において「通常モード」は、上記の変動時間短縮機能が非作動であり、また、確率変動機能も非作動である通常状態に対応するものとする。この他にも演出上で各種のモードが設けられており、モードごとに風景や情景の異なる背景画像が用意されている（状態表示演出実行手段）。これらモードの違いは、内部的な「時間短縮状態」に対応するものであったり、「高確率状態」に対応するものであったりする。なお、内部状態別に対応するモードについてはさらに後述する。ここでは特に図示していないが、この後、例えば表示画面内にキャラクターやアイテム等の画像を表示させることで、予告演出が行われる態様であってもよい。
【０５９９】
また、演出図柄の変動表示中、液晶表示器４２の画面下部では第４図柄Ｚ１が変動表示されており、第４図柄Ｚ１は、その表示色を変化させることで変動表示を表現している。
【０６００】
〔左図柄停止〕
図４６中（Ｃ）：例えば、ある程度の時間（変動時間の半分程度）が経過すると、最初に左演出図柄が変動を停止する。この例では、画面の中段位置に数字の「８」を表す演出図柄が停止したことを表している。なお、ここでは背景画像の図示を省略している（これ以降も同様）。
【０６０１】
〔作動記憶数減少時の演出例〕
ここで、先の図４６中（Ｂ）に示されているように、変動開始に伴って第１特別図柄の作動記憶数が１個分減少するため、それに連動してマーカＭ１の表示個数が１個分減少されている。例えば、それまでに作動記憶数が４個あったとすると、マーカＭ１において最も以前（古い）の記憶数表示が１個だけ非表示となり、内部抽選によって消費される演出が合わせて行われる。これにより、第１特別図柄に関して作動記憶数が減少したことを演出上でも遊技者に教示することができる。
【０６０２】
そして、図４６中（Ｃ）の例においては、記憶順で先頭にあった作動記憶が消費されて残りが３個になったため、画面上に残った３つのマーカＭ１がそれぞれ１個分ずつ一方向（ここでは左方向）へずれていく演出が行われている。これにより、作動記憶数の変化の前後関係を正確に演出上で表現するとともに、遊技者に対して「作動記憶が消費されて１つ減った」ということを直感的に分かりやすく教示することができる。
【０６０３】
〔右演出図柄停止〕
図４６中（Ｄ）：左演出図柄に続いて、その後に右演出図柄が変動を停止する。この例では、画面の中段位置に数字の「３」を表す演出図柄が停止したことを表している。この時点で既にリーチ状態が発生しないことは確定しているので、今回の変動が非リーチ（通常）変動であるということが見た目上でほとんど明らかとなっている。なお、ここではすべりパターン等によるリーチ変動を除くものとする。「すべりパターン」とは、例えば一旦は数字の「７」を表す演出図柄が停止した後、図柄列が１図柄分すべって数字の「８」を表す演出図柄が停止し、それによってリーチに発展するというものである。あるいは、一旦は数字の「９」を表す演出図柄が停止した後、図柄列が逆向きに１図柄分すべって数字の「８」を表す演出図柄が停止し、それによってリーチに発展するパターンもある。また、その他にも、例えば「５」等の全くかけ離れた数字を表す演出図柄が一旦停止した後、画面上にキャラクターが出現して右演出図柄列を再変動させると、数字の「８」を表す演出図柄が停止してリーチに発展するといったパターンもある。
【０６０４】
〔停止表示演出〕
図４６中（Ｅ）：第１特別図柄の停止表示に同期して、最後の中演出図柄が停止する。今回の内部抽選の結果が非当選であって、第１特別図柄が非当選（はずれ）の態様で停止表示される場合、演出図柄も同様に非当選（はずれ）の態様で停止表示演出が行われる。すなわち、図示の例では、画面の中段位置に数字の「１」を表す演出図柄が停止したことを表しており、この場合、演出図柄の組み合わせは「８」−「１」−「３」のはずれ目であるため、今回の変動は通常の「はずれ」に該当したことが演出上で表現されている。このとき、第４図柄Ｚ１は、はずれに対応する態様（例えば白表示色）で停止表示される。
【０６０５】
以上は、１回の変動ごとに演出図柄を用いて行われる変動表示演出と停止表示演出（非当選時）の一例である。このような演出を通じて、遊技者に当選に対する期待感を抱かせるとともに、最終的に内部抽選の結果を演出上で明確に教示することができる。
【０６０６】
また、上記の例は非当選時についてのものであるが、大当り（当選）時には変動表示演出中にリーチ演出が実行された後、停止表示演出において演出図柄が大当りの態様で停止表示される。このとき演出図柄の停止表示態様は、基本的には主制御ＣＰＵ７２によって内部的に選択された当選図柄（第１特別図柄表示装置３４又は第２特別図柄表示装置３５の停止表示態様）に対応させて選択される。
【０６０７】
〔大当り時の演出例〕
図４７は、大当り（当選）時に実行されるリーチ演出の流れを示す連続図である。ここではリーチ演出の他に、変動表示演出や停止表示演出及び予告演出が含まれるものとする。その他にも、変動表示演出中に実行される予告演出（リーチ発生前予告演出、リーチ発生後予告演出）の一例を説明する。
【０６０８】
以下のリーチ演出は、第１特別図柄表示装置３４（第２特別図柄表示装置３５でもよい）において大当り時の変動パターンによる変動表示が行われた後、第１特別図柄が「６ラウンド確変大当り１」や「１５ラウンド確変大当り」の態様（例えば７セグメントＬＥＤの「己」，「ヨ」，「口」，「巳」，「Ｆ」，「Ｅ」，「Ｌ」，「Γ」等）で停止表示されるまでに実行される（リーチ演出実行手段）。なお、図４７中、各演出図柄を数字のみに簡略化して示している。また、上記のマーカＭ１，Ｍ２及び第４図柄Ｚ１，Ｚ２については、ここでの図示を省略している。以下、演出の流れに沿って説明する。
【０６０９】
〔変動表示演出〕
図４７中（Ａ）：第１特別図柄（又は第２特別図柄）の変動開始に略同期して、液晶表示器４２の画面上で左演出図柄、中演出図柄、右演出図柄の列が縦方向（例えば上から下）にスクロールするようにして変動表示演出が開始される。
【０６１０】
〔リーチ発生前予告演出（１段階目）〕
図４７中（Ｂ）：次に、変動表示演出の比較的初期において、キャラクターの絵柄画像（絵札）を用いた１段階目のリーチ発生前予告演出が行われる。このリーチ発生前予告演出は、予め定められた順序にしたがって１段階から複数段階（例えば２〜５段階）まで、段階的に態様の変化が進行していく予告演出である。このリーチ発生前予告演出で用いられる絵柄画像は、画面上で変動表示されている演出図柄の手前に位置し、例えば画面の左端からひょっこりと出現するようにして表示される（その他の出現の態様でもよい。）。なお、ここでいう「リーチ発生前予告」とは、いずれかの演出図柄が停止表示される前にリーチの可能性や大当りの可能性を予告するという意味である。このような「リーチ発生前予告演出」を実行することで、遊技者に対して「リーチに発展するかも知れない＝大当りの可能性が高まる」という期待感を抱かせる効果が得られる。
【０６１１】
〔リーチ発生前予告演出（２段階目）〕
図４７中（Ｃ）：リーチ発生前予告演出の１段階目の態様が実行された後、続いてリーチ発生前予告演出の態様の変化が２段階目に進行する。ここでは２段階目のリーチ発生前予告演出として、先とは違うキャラクターの絵柄画像を用いた演出が行われている。具体的には、画面の右端から別の絵柄画像が追加で出現し、先に表示されていた絵柄画像の前面に重なって表示される。また、このとき表示される絵柄画像は、先に表示されていた絵柄画像よりもサイズが大きい。そして、絵柄画像で表現されたキャラクターが台詞（例えば「リーチになるよ」等）を発するという、音響出力による演出もあわせて行われる。
【０６１２】
このような２つ目の絵柄画像を用いたリーチ発生前予告演出（２段階目）は、先の図４７中（Ｂ）で行われたリーチ発生前予告演出（１段階目）からさらに一歩進んだ発展型である。このように発展していく「リーチ発生前予告演出」の態様を称して、一般的に「ステップアップ予告」等と表現することがある。ここではリーチ発生前予告演出で２段階目の絵柄画像が出現する例を挙げているが、３段階目、４段階目、５段階目の絵柄画像が次々と出現して表示される演出態様であってもよい。また、例えば３段階目、４段階目、５段階目の絵柄画像が次々と出現して表示されるごとに、そのサイズが拡大されるものとしてもよい。なお、この段階でも演出図柄の変動表示は継続されている。いずれにしても、リーチ発生前予告演出の態様の変化をより多くの段階まで進行させることにより、今回の変動で大当りになる可能性（期待度）が高いことを遊技者に示唆することができる（例えば、５段階目まで進行すると最大の期待度を示唆する等。）。
【０６１３】
〔左演出図柄の停止〕
図４７中（Ｄ）：変動表示演出の中期にさしかかり、やがて左演出図柄の変動表示が停止される。なお、この時点で画面の左側位置に数字の「５」を表す演出図柄が停止している。
【０６１４】
〔リーチ状態の発生〕
図４７中（Ｅ）：そして左演出図柄に続き、例えば右演出図柄の変動表示が停止される。この時点で、画面の右側位置に数字の「５」を表す演出図柄が停止していることから、「５」−「変動中」−「５」のリーチ状態が発生している。そして画面上には、リーチ状態となる１本のラインを強調する画像が合わせて表示される。また、合わせて「リーチ！」等の音声を出力する演出が行われる。
【０６１５】
リーチ状態の発生後、当選時のリーチ演出が実行される（ただし、この時点では未だ当選の結果は表出されていない。）。リーチ演出では、テンパイした数字（ここでは「５」）に対応する演出図柄だけが画面上に表示され、それ以外は表示されなくなる。なお、このとき演出図柄が画面の四隅にそれぞれ縮小された状態で表示される場合もある。
【０６１６】
〔リーチ発生後予告演出（１回目）〕
図４７中（Ｆ）：リーチ状態が発生して暫くすると、例えば「ハート」の図形を表す画像が群をなして画面上を斜めに過ぎっていくリーチ発生後予告演出（１回目）が行われる。この場合、突然、画面上に「ハート群」の画像が流れていくように表示されるため、これによって遊技者に対する視覚的な訴求力を高めることができる。このような視覚的に賑やかなリーチ発生後予告演出を実行することで、遊技者に対してさらに大きな期待感を抱かせる効果が得られる。
【０６１７】
〔リーチ演出の進行〕
図４７中（Ｇ）：１回目のリーチ発生後予告演出に続いて、例えば数字の「２」〜「８」を表す画像が画面上で立体的な列を構成した状態で表示され、列の先頭（手前）から「２」、「３」、「４」・・・という順番に画面から数字の画像が消去されていく演出が行われる。このような演出もまた、数字の「５」が最後まで消去されずに残ると「大当り」であることを遊技者に示唆（暗示）したり、想起させたりする目的で行われる。また、数字の「４」まで消去されて「５」が画面手前に残ると「大当り」であり、そして数字の「５」も消去されてしまうと「はずれ」であることを意味する。なお、はずれの場合、数字の「５」が消去された後の画面上に例えば数字の「６」が表示される。したがって、この間、数字の「２」、「３」、「４」・・・と順番に画像が消去されていき、数字の「５」の順番が近づくに連れて、遊技者の緊張感や期待感も高まっていくことになる。この後、例えば画面上で数字の「４」までが消去されたとすると、今度は「大当り」の可能性が高まるため、そこで遊技者の緊張感も一気に高まる。
【０６１８】
〔リーチ発生後予告演出（２回目）〕
図４７中（Ｈ）：リーチ演出が終盤に近づいたところで、突然、画面上にキャラクターの画像が大写しに割って入るようにして表示され、そのキャラクターが何らかの台詞を発するという内容（又は、無言で微笑むという内容でもよい）のリーチ発生後予告演出（２回目）が行われる（カットイン演出）。この時点で例えばリーチ演出の内容は、「数字の「４」が消去されれば、次に「５」−「５」−「５」の大当りの可能性が高まる」という展開である。したがって、このタイミングで大きくキャラクターの画像を出現させることにより、遊技者に対して「大当りになるかもしれない」という期待感を抱かせる効果が得られる。
【０６１９】
〔停止表示演出〕
図４７中（Ｉ）：第１特別図柄又は第２特別図柄の停止表示に略同期して、最後の中演出図柄が停止する。この例では、内部的には当選図柄が「６ラウンド確変大当り１」に該当しているため、演出上で「５」を表す演出図柄を画面の中央に停止表示させている。
【０６２０】
図４７中（Ｊ）：そして、例えば第１特別図柄又は第２特別図柄の確定停止表示に略同期して、演出図柄としての停止表示演出についても確定停止表示が行われる。演出図柄の確定停止表示は、例えば左・中・右演出図柄をそれぞれ初期の大きさに復元した状態で行われる。このような確定停止表示を行うことで、最終的な当選種類が演出上で確定したことを遊技者に対して教示することができる。また、この場合に第４図柄Ｚ１又は第４図柄Ｚ２は、「６ラウンド確変大当り１」に対応する態様（例えば赤表示色）で停止表示される。
【０６２１】
また、内部抽選の結果が非当選であれば、第１特別図柄又は第２特別図柄がはずれ図柄で停止表示されるため、演出図柄も同様にはずれの態様で停止表示演出が行われる（図柄演出実行手段）。この場合、画面の中央には「５」以外の数字「４」や「６」を表示することで、残念ながら今回の変動では大当りにならなかったことを知らせる演出が行われる。なお、このような演出は「はずれリーチ演出」として実行されるものである。
【０６２２】
〔大役中演出〕
図４８は、「６ラウンド確変図柄１」に該当した場合の大当り遊技中に実行される大役中演出の例を部分的に示す連続図である。
【０６２３】
〔１ラウンド開始時〕
図４８中（Ａ）：大当り遊技の１ラウンド目が開始されると、例えば画面内に「ＲＯＵＮＤ１」のラウンド数に対応する文字情報が表示されるとともに、大当り遊技中に固有の演出画像（例えば女性キャラクター）が表示される。また、画面の右下隅位置には、今回の当選図柄に対応した演出図柄（ここでは数字の「５」）が表示されている。このように、大当り遊技中も引き続き当選図柄（いわゆる「残し目」）を表示しておくことで、遊技者に対して「６ラウンド確変大当りの遊技中である」ということを遊技者に対して伝達することができる。
【０６２４】
〔６ラウンド〕
図４８中（Ｂ）：この後、大当り遊技が順調に進行し、最終の６ラウンドに移行する。このとき、画面内には「ＲＯＵＮＤ６」のラウンド数に対応する文字情報が表示されるとともに、大当り遊技中に固有の演出画像が表示されている。また、画面の右下隅位置には、上記の「残し目」としての演出図柄（数字の「５」）が表示されている。
【０６２５】
〔大役終了時〕
図４８中（Ｃ）：大当り遊技が終了するタイミング（終了処理中）において、この後に移行する内部状態を教示する内容の大役終了演出が実行される。この例では、例えば画面内に「チャンスモード突入」という文字情報が表示されている。このような大役終了演出を実行することにより、大当り遊技終了後の特典として「チャンスモード」という特殊な状態に移行すること伝達することができる。なお、チャンスモードは、８変動限定の高確率時間短縮状態である。
【０６２６】
〔大役中演出〕
図４９は、「１５ラウンド確変図柄」に該当した場合の大当り遊技中に実行される大役中演出の例を部分的に示す連続図である。この大役中演出は、上記のリーチ演出を経て演出図柄が「７」−「７」−「７」の３つ揃いの組み合わせで停止表示された場合に実行される。
【０６２７】
〔１ラウンド〕
図４９中（Ａ）：大当り遊技の１ラウンド目が開始されると、「大当り中」という遊技の進行状況に対応した内容の大役中演出が実行される。大役中演出では、例えば画面内に「ＲＯＵＮＤ１」のラウンド数に対応する文字情報が表示される。また、画面の右下隅位置には、今回の当選図柄に対応した演出図柄（ここでは数字の「７」）が表示されている。このように、大当り遊技中も引き続き当選図柄（いわゆる「残し目」）を表示しておくことで、遊技者に対して「７の演出図柄で当選した」という情報を引き続き教示することができる。また、表示画面の左下側の領域には、「スペシャルボーナス」の文字が表示されている。このため、今回の大当りは、通常の大当りとは異なる特別な大当りであるということを遊技者に伝達することができる。
【０６２８】
〔１５ラウンド〕
図４９中（Ｂ）：この後、大当り遊技が順調に進行し、最終の１５ラウンドに移行すると、画面内には「ＲＯＵＮＤ１５」のラウンド数に対応する文字情報が表示されるとともに、大当り遊技中に固有の演出画像が表示されている。また、画面の右下隅位置には、上記の「残し目」としての演出図柄（数字の「７」）が引き続き表示されている。
【０６２９】
〔大役終了時〕
図４９中（Ｃ）：大当り遊技が終了するタイミング（終了処理中）において、この後に移行する内部状態を教示する内容の大役終了演出が実行される。この例では、例えば画面内に「スペシャルチャンスモード突入」という文字情報が表示されている。このような大役終了演出を実行することにより、大当り遊技終了後の特典として「スペシャルチャンスモード」に移行することを遊技者に教示することができる。なお、スペシャルチャンスモードは、高確率時間短縮状態が８変動にわたって継続し、その後に低確率時間短縮状態が９２変動にわたって継続するモードである。
【０６３０】
〔遊技の流れ〕
図５０〜図５７は、パチンコ機１及びカードユニット２１０による遊技の流れを示す連続図である。
【０６３１】
〔遊技開始〕
図５０中（Ａ）：パチンコ機１にて遊技を開始する前の状態では、残金も持ち球もない状態である。このため、持ち球データ表示器１２３には、残存度数として「０」が表示され、持ち球データの値として「０」が表示されている。また、カード情報表示装置２００のデータ表示部１４には、残存金額として「０円」が表示され、持ち球データの値として「０個」が表示されている。
【０６３２】
そして、パチンコ機１にて遊技を開始する場合は、まず、カードユニット２１０の現金投入口２１２に現金を投入する必要がある。図示の例では、千円札を投入する例が示されている。
【０６３３】
図５０中（Ｂ）：カードユニット２１０に現金が投入されると、持ち球データ表示器１２３やカード情報表示装置２００の表示が更新される。図示の例では、持ち球データ表示器１２３には、残存度数として「１０」が表示され、カード情報表示装置２００のデータ表示部１４には、残存金額として「１０００円」が表示されている。
【０６３４】
図５０中（Ｃ）：そして、この状態で、遊技者により球貸ボタン１０が押下されたものとする。
【０６３５】
図５１中（Ｄ）：そうすると、予め設定された度数（ここでは５００円分）の遊技球（１２５個）が遊技者に対して貸し出されることになる。この場合、持ち球データ表示器１２３やカード情報表示装置２００の表示が更新される。図示の例では、持ち球データ表示器１２３には、残存度数として「５」が表示され、持ち球データとして「１２５」が表示されている。また、カード情報表示装置２００のデータ表示部１４には、残存金額として「５００円」が表示されている。
【０６３６】
図５１中（Ｅ）：持ち球データ表示器１２３の持ち球データの値が０より大きい値となると、遊技球を発射することができる状態となる。この状態で遊技者がハンドルユニット１６を握ると、発射装置３００から遊技球が発射される。図示の例では、遊技球が５個発射されている。そして、遊技球が１個発射されるごとに、持ち球データは１つずつ減算される。このため、持ち球データ表示器１２３には、持ち球データとして、「１２５」から「５」を減算した値である「１２０」が表示されている。なお、遊技者は遊技球を５個発射した段階で、ハンドルユニット１６から手を離しているものとする。
【０６３７】
図５１中（Ｆ）：そして、発射された５個の遊技球のうち、１個の遊技球が上始動入賞口２６に入球したものとする。そうすると、遊技球の入球が上始動入賞口スイッチ８０にて検出され、主制御装置７０から発射持ち球管理装置９２に対して上始動入賞口に対応する入賞データコマンドが送信される。そして、発射持ち球管理装置９２は、上始動入賞口での入賞に応じて持ち球データの値を加算する処理を実行する。これにより、図示の例では、持ち球データ表示器１２３により、持ち球データとして、「１２０」に「３」を加算した値である「１２３」が表示されている。
【０６３８】
図５２中（Ｇ）：そして、この状態で、遊技者により清算ボタン１３が押下されたものとする。
【０６３９】
図５２中（Ｈ）：そうすると、持ち球データ表示器１２３やカード情報表示装置２００の表示が更新される。図示の例では、持ち球データ表示器１２３には、残存度数として「０」が表示され、持ち球データとして「０」が表示されている。また、カード情報表示装置２００のデータ表示部１４には、残存金額として「５００円」が表示され、持ち球データとして「１２３個」が表示されている。
【０６４０】
図５２中（Ｉ）：その後、カード情報表示装置２００のデータ表示部１４に表示されている情報（残存金額「５００円」、持ち球データ「１２３個」）が有価媒体としての一般カード７００に書き込まれる。そして、情報の書き込み処理が終了すると、カード挿入口２１４から一般カード７００が排出される。遊技者は、この一般カード７００を持って別のパチンコ機１にて遊技を再開するものとする。
【０６４１】
〔遊技の再開〕
図５３中（Ｊ）：別のパチンコ機１で遊技を再開する場合、先に排出された一般カード７００を使用して遊技を再開することができる。ここで、遊技者は、カード挿入口２１４に先ほど排出された一般カード７００を挿入したものとする。
【０６４２】
図５３中（Ｋ）：カード挿入口２１４に先ほど排出された一般カード７００が挿入されると、持ち球データ表示器１２３やカード情報表示装置２００の表示が更新される。図示の例では、持ち球データ表示器１２３には、残存度数として「５」が表示され、持ち球データとして「０」が表示されている。また、カード情報表示装置２００のデータ表示部１４には、残存金額として「５００円」が表示され、持ち球データとして「１２３個」が表示されている。
【０６４３】
図５３中（Ｌ）：そして、この状態で、遊技者により休憩ボタン１２が押下されたものとする。
【０６４４】
図５４中（Ｍ）：この場合、カード挿入口２１４からは、休憩専用カード７１０が排出される。休憩専用カード７１０が排出されると、休憩処理が実行され、持ち球データ表示器１２３やカード情報表示装置２００の表示が更新される。図示の例では、持ち球データ表示器１２３の表示領域には全てハイフンが表示されており、カード情報表示装置２００のデータ表示部１４には「休憩中」の文字情報が表示されている。この際、休憩専用カード７１０ではなく、会員カードや一般カードに残度数データ、発射持ち玉データ、休憩開始データ、カードユニット識別情報、遊技台識別情報等を記憶して排出してもよい。この場合、基本的には精算と同じ効果があるが、同じ遊技台に所定時間以内にカードを挿入した場合に休憩解除が実行される。ただし、この場合の会員カードや一般カードを他の遊技台で使用した場合は、遊技不能となる。もちろん、設定された休憩時間が経過する前は、現金投入や他のカードは受け付けられず、休憩処理を行ったカード以外では遊技ができない休憩台の状態（遊技不能な状態）が維持される。
【０６４５】
図５４中（Ｎ）：遊技者が休憩を終えて、カード挿入口２１４に休憩専用カード７１０を挿入すると、休憩終了処理が実行される。
【０６４６】
図５４中（Ｏ）：休憩終了処理が終了すると、持ち球データ表示器１２３やカード情報表示装置２００の表示は、元の状態に戻る。図示の例では、持ち球データ表示器１２３には、残存度数として「５」が表示され、持ち球データとして「０」が表示されている。また、カード情報表示装置２００のデータ表示部１４には、残存金額として「５００円」が表示され、持ち球データとして「１２３個」が表示されている。
【０６４７】
図５５中（Ｐ）：そして、この状態で、遊技者により持ち球ボタン１１が押下されたものとする。
【０６４８】
図５５中（Ｑ）：そうすると、一般カードに記憶されている持ち球データの値が、パチンコ機１に記憶されている持ち球データに移行する。このため、図示の例では、持ち球データ表示器１２３には、残存度数として「５」が表示され、持ち球データとして「１２３」が表示されている。また、カード情報表示装置２００のデータ表示部１４には、残存金額として「５００円」が表示され、持ち球データとして「０個」が表示されている。
【０６４９】
図５５中（Ｒ）：持ち球データ表示器１２３の持ち球データの値が０より大きい値となると、遊技球を発射することができる状態となる。この状態で遊技者がハンドルユニット１６を握ると、発射装置３００から遊技球が発射される。図示の例では、遊技球が５個発射されている。そして、遊技球が１個発射されるごとに、持ち球データは１つずつ減算される。このため、持ち球データ表示器１２３には、持ち球データとして、「１２３」から「５」を減算した値である「１１８」が表示されている。なお、遊技者はこれ以降もハンドルユニット１６を握り続け、遊技球の発射を継続しているものとする。
【０６５０】
図５６中（Ｓ）：そして、持ち球データ表示器１２３の持ち球データの値が「２０」に到達した時点で大当りが発生したものとする。
【０６５１】
図５６中（Ｔ）：本実施形態では、大当り遊技は、右打ちにて消化するため、遊技者はハンドルユニット１６を右側にひねって遊技領域の右側に遊技球を発射している。大当り遊技中は、可変入賞装置３０が開放状態となるため、可変入賞装置３０の大入賞口に遊技球が入球する状態となる。そうすると、遊技球の入球がカウントスイッチ８４にて検出され、主制御装置７０から発射持ち球管理装置９２に対して大入賞口に対応する入賞データコマンドが送信される。そして、発射持ち球管理装置９２は、大入賞口での入賞に応じて持ち球データの値を加算する処理を実行する。これにより、図示の例では、持ち球データ表示器１２３により、持ち球データとして「６１０」が表示されている。
【０６５２】
図５６中（Ｕ）：そして、大当り遊技及びその後の時間短縮状態が終了したものとする。図示の例では、持ち球データ表示器１２３には、残存度数として「５」が表示され、持ち球データとして「１２００」が表示されている。また、カード情報表示装置２００のデータ表示部１４には、残存金額として「５００円」が表示され、持ち球データとして「０」が表示されている。なお、遊技者は時間短縮状態が終了した時点で、ハンドルユニット１６から手を離しているものとする。
【０６５３】
図５７中（Ｖ）：そして、この状態で、遊技者により清算ボタン１３が押下されたものとする。
【０６５４】
図５７中（Ｗ）：そうすると、持ち球データ表示器１２３やカード情報表示装置２００の表示が更新される。図示の例では、持ち球データ表示器１２３には、残存度数として「０」が表示され、持ち球データとして「０」が表示されている。また、カード情報表示装置２００のデータ表示部１４には、残存金額として「５００円」が表示され、持ち球データとして「１２００」が表示されている。
【０６５５】
図５７中（Ｘ）：その後、カード情報表示装置２００のデータ表示部１４に表示されている情報（残存金額「５００円」、持ち球データ「１２００個」）が有価媒体としての一般カード７００に書き込まれる。そして、情報の書き込み処理が終了すると、カード挿入口２１４から一般カード７００が排出される。遊技者は、この一般カード７００を持って遊技場の清算カウンタに行き、持ち球データの値に応じた景品を取得することができる。
【０６５６】
次に、先に説明した演出を具体的に実現するための制御手法の例について説明する。上述した変動表示演出やリーチ演出、リーチ発生前予告演出、記憶数表示演出、大役中演出等は、いずれも以下の制御処理を通じて制御されている。
【０６５７】
〔演出制御処理〕
図５８は、演出制御ＣＰＵ１２６により実行される演出制御処理の手順例を示すフローチャートである。この演出制御処理は、例えば図示しないリセットスタート（メイン）処理とは別にタイマ割込処理（割込管理処理）の中で実行される。演出制御ＣＰＵ１２６は、リセットスタート処理の実行中に所定の割込周期（例えば数十μｓ〜数ｍｓ周期）でタイマ割込を発生させ、タイマ割込処理を実行する。
【０６５８】
演出制御処理は、コマンド受信処理（ステップＳ４００）、作動記憶演出管理処理（ステップＳ４０１）、演出図柄管理処理（ステップＳ４０２）、表示出力処理（ステップＳ４０４）、ランプ駆動処理（ステップＳ４０６）、音響駆動処理（ステップＳ４０８）、演出乱数更新処理（ステップＳ４１０）及びその他の処理（ステップＳ４１２）のサブルーチン群を含む構成である。以下、各処理に沿って演出制御処理の基本的な流れを説明する。
【０６５９】
ステップＳ４００：コマンド受信処理において、演出制御ＣＰＵ１２６は主制御ＣＰＵ７２から送信される演出用のコマンドを受信する。また、演出制御ＣＰＵ１２６は受信したコマンドを解析し、それらを種類別にＲＡＭ１３０のコマンドバッファ領域に保存する。なお、主制御ＣＰＵ７２から送信される演出用のコマンドには、例えば特図先判定演出コマンド、（特別図柄）作動記憶数増加時演出コマンド、（特別図柄）作動記憶数減少時演出コマンド、始動口入賞音制御コマンド、デモ演出用コマンド、抽選結果コマンド、変動パターンコマンド、変動開始コマンド、停止図柄コマンド、図柄停止時コマンド、状態指定コマンド、ラウンド数コマンド、エラー通知コマンド、大当り終了演出コマンド、回数切りカウンタ値コマンド、変動パターン先判定コマンド、停止表示時間終了コマンド等がある。
【０６６０】
ステップＳ４０１：作動記憶演出管理処理では、演出制御ＣＰＵ１２６は上述した記憶数表示演出や、マーカＭ１，Ｍ２を用いた先読み予告演出の実行を制御する。なお、作動記憶演出管理処理の内容については、別の図面を参照しながらさらに後述する。
【０６６１】
ステップＳ４０２：演出図柄管理処理では、演出制御ＣＰＵ１２６は演出図柄を用いた変動表示演出や停止表示演出の内容を制御したり、可変入賞装置３０の開閉動作時の演出内容を制御したりする。また、この処理において、演出制御ＣＰＵ１２６は各種予告演出（リーチ発生前予告演出、リーチ発生後予告演出等）の演出パターンを選択する。なお、演出図柄管理処理の内容については、別の図面を参照しながらさらに後述する。
【０６６２】
ステップＳ４０４：表示出力処理では、演出制御ＣＰＵ１２６は演出表示制御装置１４４（表示制御ＣＰＵ１４６）に対して演出内容の基本的な制御情報（例えば、第１特別図柄及び第２特別図柄それぞれの作動記憶数、作動記憶演出パターン番号、先読み予告演出パターン番号、変動演出パターン番号、変動時予告演出番号、背景パターン番号等）を指示する。これにより、演出表示制御装置１４４（表示制御ＣＰＵ１４６及びＶＤＰ１５２）は指示された演出内容に基づいて液晶表示器４２による表示動作を制御する（演出実行手段）。
【０６６３】
ステップＳ４０６：ランプ駆動処理では、演出制御ＣＰＵ１２６はランプ駆動回路１３２に対して制御信号を出力する。これを受けてランプ駆動回路１３２は、制御信号に基づいて各種ランプ４６〜５２や盤面ランプ５３等を駆動（点灯又は消灯、点滅、輝度階調変化等）する。
【０６６４】
ステップＳ４０８：次の音響駆動処理では、演出制御ＣＰＵ１２６は音響駆動回路１３４に対して演出内容（例えば変動表示演出中やリーチ演出中、モード移行演出中、大当り演出中のＢＧＭ、音声データ等）を指示する。これにより、スピーカ５４，５５，５６から演出内容に応じた音が出力される。
【０６６５】
ステップＳ４１０：演出乱数更新処理では、演出制御ＣＰＵ１２６はＲＡＭ１３０のカウンタ領域において各種の演出乱数を更新する。演出乱数には、例えば予告選択に用いられる乱数や通常の背景チェンジ抽選（演出抽選）に用いられる乱数等がある。
【０６６６】
ステップＳ４１２：その他の処理では、例えば演出制御ＣＰＵ１２６は可動体４０ｆの駆動用ＩＣに対して制御信号を出力する。可動体４０ｆは可動体ソレノイド５７を駆動源として動作し、液晶表示器４２による画像の表示と同期して、又は単独で演出を行う。
【０６６７】
以上の演出制御処理を通じて、演出制御ＣＰＵ１２６はパチンコ機１における演出内容を統括的に制御することができる。
【０６６８】
〔作動記憶演出管理処理〕
図５９は、作動記憶演出管理処理の手順例を示すフローチャートである。以下、手順例に沿って内容を説明する。
【０６６９】
ステップＳ７００：先ず演出制御ＣＰＵ１２６は、主制御ＣＰＵ７２から作動記憶数増加時演出コマンドを受信したか否かを確認する。具体的には、演出制御ＣＰＵ１２６はＲＡＭ１３０のコマンドバッファ領域にアクセスし、作動記憶数増加時演出コマンドが保存されているか否かを確認する。作動記憶数増加時演出コマンドが保存されていることを確認した場合（ステップＳ７００：Ｙｅｓ）、演出制御ＣＰＵ１２６はステップＳ７０２を実行する。なお、作動記憶数増加時演出コマンドが保存されていることを確認できない場合（ステップＳ７００：Ｎｏ）、演出制御ＣＰＵ１２６はステップＳ７０２を実行しない。
【０６７０】
ステップＳ７０２：演出制御ＣＰＵ１２６は、作動記憶数増加時演出選択処理を実行する。この処理では、演出制御ＣＰＵ１２６は、第１特別図柄及び第２特別図柄に対応したマーカＭ１，Ｍ２を表示させる演出を選択する。
【０６７１】
ステップＳ７０４：演出制御ＣＰＵ１２６は、主制御ＣＰＵ７２から作動記憶数減少時演出コマンドを受信したか否かを確認する。具体的には、演出制御ＣＰＵ１２６はＲＡＭ１３０のコマンドバッファ領域にアクセスし、作動記憶数減少時演出コマンドが保存されているか否かを確認する。作動記憶数減少時演出コマンドが保存されていることを確認した場合（ステップＳ７０４：Ｙｅｓ）、演出制御ＣＰＵ１２６はステップＳ７０６を実行する。なお、作動記憶数減少時演出コマンドが保存されていることを確認できない場合（ステップＳ７０４：Ｎｏ）、演出制御ＣＰＵ１２６はステップＳ７０６を実行しない。
【０６７２】
ステップＳ７０６：演出制御ＣＰＵ１２６は、作動記憶数減少時演出選択処理を実行する。この処理では、演出制御ＣＰＵ１２６は、第１特別図柄及び第２特別図柄に対応したマーカＭ１，Ｍ２を消去させたりスライドさせたりする演出を選択する。
以上の手順を終えると、演出制御ＣＰＵ１２６は、演出制御処理（図５８）に復帰する。
【０６７３】
〔演出図柄管理処理〕
図６０は、演出図柄管理処理の手順例を示すフローチャートである。演出図柄管理処理は、実行選択処理（ステップＳ５００）、演出図柄変動前処理（ステップＳ５０２）、演出図柄変動中処理（ステップＳ５０４）、演出図柄停止表示中処理（ステップＳ５０６）及び可変入賞装置作動時処理（ステップＳ５０８）のサブルーチン群を含む構成である。以下、各処理に沿って演出図柄管理処理の基本的な流れを説明する。
【０６７４】
ステップＳ５００：実行選択処理において、演出制御ＣＰＵ１２６は次に実行するべき処理（ステップＳ５０２〜ステップＳ５０８のいずれか）のジャンプ先を選択する。例えば、演出制御ＣＰＵ１２６は次に実行するべき処理のプログラムアドレスをジャンプ先のアドレスとし、また、戻り先のアドレスとして演出図柄管理処理の末尾を「ジャンプテーブル」にセットする。いずれの処理を次のジャンプ先として選択するかは、これまでに行われた処理の進行状況によって異なる。例えば、未だ変動表示演出を開始していない状況であれば、演出制御ＣＰＵ１２６は次のジャンプ先として演出図柄変動前処理（ステップＳ５０２）を選択する。一方、既に演出図柄変動前処理が完了していれば、演出制御ＣＰＵ１２６は次のジャンプ先として演出図柄変動中処理（ステップＳ５０４）を選択し、演出図柄変動中処理まで完了していれば、次のジャンプ先として演出図柄停止表示中処理（ステップＳ５０６）を選択する。また、可変入賞装置作動時処理（ステップＳ５０８）は、主制御ＣＰＵ７２において可変入賞装置管理処理（図２６中のステップＳ５０００）が選択された場合にのみジャンプ先として選択される。この場合、ステップＳ５０２〜ステップＳ５０６は実行されない。
【０６７５】
ステップＳ５０２：演出図柄変動前処理では、演出制御ＣＰＵ１２６は演出図柄を用いた変動表示演出を開始するための条件を整える作業を行う。また、この処理において、演出制御ＣＰＵ１２６は各種の条件（抽選結果、当選種類、変動パターン等）に応じてリーチ演出の内容を選択したり、予告演出についての演出パターン（先読み予告演出パターン以外のリーチ発生前予告パターン、リーチ発生後予告パターン等）を選択する。その他にも演出制御ＣＰＵ１２６は、パチンコ機１がいわゆる客待ち状態である場合のデモ演出の制御も行う。なお、具体的な処理の内容は、別のフローチャートを用いて後述する。
【０６７６】
ステップＳ５０４：演出図柄変動中処理では、演出制御ＣＰＵ１２６は必要に応じて演出表示制御装置１４４（表示制御ＣＰＵ１４６）に指示する制御情報を生成する。例えば、演出図柄を用いた変動表示演出を実行中に演出切替ボタン４５を用いた演出を行う場合、遊技者による演出ボタンの操作の有無を演出制御ＣＰＵ１２６が監視するとともに、その結果に応じた演出内容（ボタン演出）の制御情報を表示制御ＣＰＵ１４６に対して指示する。
【０６７７】
ステップＳ５０６：演出図柄停止表示中処理では、演出制御ＣＰＵ１２６は内部抽選の結果に応じた態様で演出図柄や動画像を用いた停止表示演出の内容を制御する。すなわち、演出制御ＣＰＵ１２６は演出表示制御装置１４４（表示制御ＣＰＵ１４６）に対して変動表示演出の終了と停止表示演出の実行を指示する。これを受けて演出表示制御装置１４４（表示制御ＣＰＵ１４６）は、実際に液晶表示器４２の表示画面内でそれまで実行していた変動表示演出を終了させ、停止表示演出を実行する。これにより、特別図柄の停止表示に略同期して停止表示演出が実行され、遊技者に対して内部抽選の結果を演出的に教示（開示、告知、報知等）することができる（図柄演出実行手段）。なお、６ラウンド確変大当り２に該当した場合は、特殊演出図柄を停止表示させる態様で停止表示演出を実行し、小当り時には、はずれと同様か近似した態様で停止表示演出を実行する。
【０６７８】
ステップＳ５０８：可変入賞装置作動時処理では、演出制御ＣＰＵ１２６は小当り中又は大当り中の演出内容を制御する。この処理において、演出制御ＣＰＵ１２６は各種の条件（例えば当選種類）に応じて大役中演出の内容を選択する。例えば１５ラウンド確変大当りや６ラウンド確変大当り１の場合、演出制御ＣＰＵ１２６は液晶表示器４２に表示する演出内容として、１５ラウンドや６ラウンドの大役中演出パターンを選択し、これを演出表示制御装置１４４（表示制御ＣＰＵ１４６）に対して指示する。これにより、液晶表示器４２の表示画面では大役中演出の画像が表示されるとともに、ラウンドの進行に伴って演出内容が変化していくことになる。一方、６ラウンド確変大当り２に該当した場合、演出制御ＣＰＵ１２６は液晶表示器４２に表示する演出内容として、特殊演出パターン（例えばスペシャルチャンスモードに直接移行する演出パターン）を選択し、これを演出表示制御装置１４４（表示制御ＣＰＵ１４６）に対して指示する。
【０６７９】
〔演出図柄変動前処理〕
図６１は、上記の演出図柄変動前処理の手順例を示すフローチャートである。以下、手順例に沿って説明する。
【０６８０】
ステップＳ６００：演出制御ＣＰＵ１２６は、主制御ＣＰＵ７２からデモ演出用コマンドを受信したか否かを確認する。具体的には、演出制御ＣＰＵ１２６はＲＡＭ１３０のコマンドバッファ領域にアクセスし、デモ演出用コマンドが保存されているか否かを確認する。その結果、デモ演出用コマンドが保存されていることを確認した場合（Ｙｅｓ）、演出制御ＣＰＵ１２６はステップＳ６０２を実行する。
【０６８１】
ステップＳ６０２：演出制御ＣＰＵ１２６は、デモ選択処理を実行する。この処理では、演出制御ＣＰＵ１２６はデモ演出パターンを選択する。デモ演出パターンは、パチンコ機１がいわゆる客待ち状態であることを表す演出の内容を規定したものである。
【０６８２】
以上の手順を終えると、演出制御ＣＰＵ１２６は演出図柄管理処理の末尾のアドレスに復帰する。そして演出制御ＣＰＵ１２６はそのまま演出制御処理に復帰し、続く表示出力処理（図５８中のステップＳ４０４）、ランプ駆動処理（図５８中のステップＳ４０６）においてデモ演出パターンに基づいてデモ演出の内容を制御する。
【０６８３】
一方、ステップＳ６００においてデモ演出用コマンドが保存されていないことを確認すると（Ｎｏ）、演出制御ＣＰＵ１２６は次にステップＳ６０４を実行する。
【０６８４】
ステップＳ６０４：演出制御ＣＰＵ１２６は、今回の変動がはずれ（非当選）であるか否かを確認する。具体的には、演出制御ＣＰＵ１２６はＲＡＭ１３０のコマンドバッファ領域にアクセスし、非当選時の抽選結果コマンドが保存されているか否かを確認する。その結果、非当選時の抽選結果コマンドが保存されていることを確認した場合（Ｙｅｓ）、演出制御ＣＰＵ１２６はステップＳ６１２を実行する。逆に、非当選時の抽選結果コマンドが保存されていないことを確認した場合（Ｎｏ）、演出制御ＣＰＵ１２６はステップＳ６０６を実行する。なお、今回の変動がはずれか否かの確認は、抽選結果コマンドの他に変動パターンコマンドや停止図柄コマンドに基づいて行うことも可能である。すなわち、今回の変動パターンコマンドがはずれ通常変動又ははずれリーチ変動に該当していれば、今回の変動がはずれであると判定することができる。あるいは、今回の停止図柄コマンドが非当選の図柄を指定するものであれば、今回の変動がはずれであると判定することができる。
【０６８５】
ステップＳ６０６：抽選結果コマンドが非当選（はずれ）以外であれば（ステップＳ６０４：Ｎｏ）、次に演出制御ＣＰＵ１２６は、今回の変動が大当りであるか否かを確認する。具体的には、演出制御ＣＰＵ１２６はＲＡＭ１３０のコマンドバッファ領域にアクセスし、大当り時の抽選結果コマンドが保存されているか否かを確認する。その結果、大当り時の抽選結果コマンドが保存されていることを確認した場合（Ｙｅｓ）、演出制御ＣＰＵ１２６はステップＳ６１０を実行する。逆に、大当り時の抽選結果コマンドが保存されていないことを確認した場合（Ｎｏ）、残るは小当り時の抽選結果コマンドだけであるので、この場合、演出制御ＣＰＵ１２６はステップＳ６０８を実行する。なお、今回の変動が大当りであるか否かの確認もまた、変動パターンコマンドや停止図柄コマンドに基づいて行うことも可能である。すなわち、今回の変動パターンコマンドが大当り変動に該当していれば、今回の変動が大当りであると判定することができる。また、今回の停止図柄コマンドが大当り図柄に該当していれば、今回の変動が大当りであると判定することができる。
【０６８６】
ステップＳ６０８：演出制御ＣＰＵ１２６は、小当り時変動演出パターン選択処理を実行する。この処理では、演出制御ＣＰＵ１２６は主制御ＣＰＵ７２から受信した変動パターンコマンド（例えば、「Ｃ０Ｈ００Ｈ」〜「Ｄ０Ｈ７ＦＨ」）に基づいて、そのときの演出パターン番号を決定する。演出パターン番号は、変動パターンコマンドに対応して予め用意されており、演出制御ＣＰＵ１２６は図示しない演出パターン選択テーブルを参照して、そのときの変動パターンコマンドに対応した演出パターン番号を選択することができる。なお、演出パターン番号は、変動パターンコマンドと対になって用意されていてもよく、１つの変動パターンコマンドに対して複数のものが用意されていてもよい。
【０６８７】
また、演出パターン番号を選択すると、演出制御ＣＰＵ１２６は図示しない演出テーブルを参照し、そのときの変動演出パターン番号に対応する演出図柄の変動スケジュール（変動時間やリーチの種類とリーチ発生タイミング）、停止表示の態様等を決定する。なお、ここで決定される演出図柄の種類は、全て「小当り時の図柄の組み合わせ」に該当するものとなっている。
【０６８８】
以上の手順は「小当り」に該当した場合であるが、大当りに該当した場合、演出制御ＣＰＵ１２６はステップＳ６０６で「大当り」であることを確認する（Ｙｅｓ）。この場合、演出制御ＣＰＵ１２６はステップＳ６１０を実行する。
【０６８９】
ステップＳ６１０：演出制御ＣＰＵ１２６は、大当り時変動演出パターン選択処理を実行する。この処理では、演出制御ＣＰＵ１２６は主制御ＣＰＵ７２から受信した変動パターンコマンド（例えば、「Ｅ０Ｈ００Ｈ」〜「Ｆ０Ｈ７ＦＨ」）に基づいて、そのときの演出パターン番号を決定する。なお、大当り時演出パターン選択処理の中では、さらに大当り時停止図柄別に処理を分岐させてもよい。
【０６９０】
また、非当選時の場合は以下の手順が実行される。すなわち、演出制御ＣＰＵ１２６はステップＳ６０４ではずれであることを確認すると（Ｙｅｓ）、次にステップＳ６１２を実行する。
【０６９１】
ステップＳ６１２：演出制御ＣＰＵ１２６は、はずれ時変動演出パターン選択処理を実行する。この処理では、演出制御ＣＰＵ１２６は主制御ＣＰＵ７２から受信した変動パターンコマンド（例えば、「Ａ０Ｈ００Ｈ」〜「Ａ６Ｈ７ＦＨ」）に基づいて、はずれ時の演出パターン番号を決定する。はずれ時の演出パターン番号は、「はずれ通常変動」や「時短はずれ変動」、「はずれリーチ変動」等に分類されており、さらに「はずれリーチ変動」には細かいリーチ変動パターンが規定されている。なお、演出制御ＣＰＵ１２６がいずれの演出パターン番号を選択するかは、主制御ＣＰＵ７２から送信された変動パターンコマンドによって決まる。
【０６９２】
はずれ時の演出パターン番号を選択すると、演出制御ＣＰＵ１２６は図示しない演出テーブルを参照し、そのときの変動演出パターン番号に対応する演出図柄の変動スケジュール（変動時間やリーチ発生の有無、リーチ発生の場合はリーチ種類とリーチ発生タイミング）、停止表示の態様（例えば「７」−「２」−「４」等）を決定する。
【０６９３】
以上のステップＳ６０８，ステップＳ６１０，ステップＳ６１２のいずれかの処理を実行すると、演出制御ＣＰＵ１２６は次にステップＳ６１４を実行する。
【０６９４】
ステップＳ６１４：演出制御ＣＰＵ１２６は、予告選択処理を実行する（予告演出実行手段）。この処理では、演出制御ＣＰＵ１２６は今回の変動表示演出中に実行するべき予告演出の内容を抽選によって選択する。予告演出の内容は、例えば内部抽選の結果（当選又は非当選）や現在の内部状態（通常状態、高確率状態、時間短縮状態）に基づいて決定される。上記のように予告演出は、変動表示演出中にリーチ状態が発生する可能性を遊技者に予告したり、最終的に大当りになる可能性があることを予告したりするものである。したがって、非当選時には予告演出の選択比率は低く設定されているが、当選時には遊技者の期待感を高めるため、予告演出の選択比率は比較的高く設定されている。
【０６９５】
以上の手順を終えると、演出制御ＣＰＵ１２６は演出図柄管理処理（末尾アドレス）に復帰する。これにより、その後の演出図柄変動中処理（図６０中のステップＳ５０４）において、実際に選択された変動演出パターンに基づいて変動表示演出及び停止表示演出が実行されるとともに（演出実行手段）、各種予告演出パターンに基づいて予告演出が実行される。その他、ここで選択された背景（滞在）モードパターンに基づいて、各種の滞在モード演出が実行される（演出実行手段）。
【０６９６】
このように、本実施形態のパチンコ機１は、電子データ式の遊技機でありながら、非封入式の遊技機としているため、既存の島設備をそのまま流用することができ、従来の遊技機と、封入式の次世代の遊技機との間を橋渡しする役目を果たしつつ、市場導入時におけるトラブルが発生しにくい遊技機とすることができる。
【０６９７】
また、本実施形態のパチンコ機１は、非封入式の遊技機としており、かつ、戻り球が発生しにくい発射装置３００を採用しているため、戻り球検出スイッチや、球量検出スイッチ、球研磨モータ、球研磨モータ回転検出スイッチ、不正球検出スイッチ、球研磨装置、球循環通路、揚送装置を個々のパチンコ機に搭載する必要がなくなる。
【０６９８】
さらに、本実施形態のパチンコ機１は、電子データで遊技結果を管理する遊技機となるため、戻り球が発生しにくい発射装置が必要となるが、上記の発射装置３００又は発射装置４００の構成や配置を採用することにより、このような電子化された遊技機に最適な発射装置を提供することができる。
【０６９９】
本発明は上述した一実施形態に制約されることなく、種々に変形して実施することができる。一実施形態で挙げた演出の態様は例示であり、上述した演出の態様に限定されるものではない。
【０７００】
その他の演出例であげた画像はあくまで一例であり、これらは適宜に変形することができる。また、パチンコ機の構造や盤面構成、具体的な数値等は図示のものも含めて好ましい例示であり、これらを適宜に変形可能であることはいうまでもない。
【０７０１】
ここで、上述した実施形態において、発射装置３００は、非封入式のパチンコ機１に適用する例で説明したが、封入式のパチンコ機に適用することもできる。以下、封入式のパチンコ機１Ｄに発射装置３００を適用した第２実施形態について説明する。
【０７０２】
図６２は、第２実施形態のパチンコ機の構成について示す図である。なお、以下の説明では、第２実施形態における封入式のパチンコ機の構成を中心に説明し、上述した実施形態と同様の部分は説明を省略する。
【０７０３】
第２実施形態のパチンコ機１Ｄは、封入式のパチンコ機である。ここで、封入式のパチンコ機とは、遊技機内に封入された遊技球を、遊技機内で循環させて遊技を進行させる遊技機である。このため、パチンコ機１Ｄに対しては、島設備から遊技球が供給されることはなく、遊技者に対して遊技球が払い出されることもない。ただし、遊技球の払い出しに関しては、上述した実施形態と同様に、電子データ（持ち球データ等）により管理される。
【０７０４】
パチンコ機１Ｄにおいて、内枠アセンブリ７の内壁の左側上端部分には、発射装置３００が取り付けられている。また、発射装置３００の裏側には、球送り装置５００が配置されており、球送り装置５００は発射装置３００に対して発射球となる遊技球を供給する。
【０７０５】
内枠アセンブリ７の内側には、入賞口や障害釘、アウト口等が配置された遊技盤ユニット（図３参照）が配置される。そして、内枠アセンブリ７の下部には、アウト通路アセンブリ２５０が形成されている。
【０７０６】
アウト通路アセンブリ２５０は、パチンコ機１Ｄの下方に延びた後に右側に折れ曲がり、パチンコ機１Ｄの右端側で折り返して研磨装置２５２に連なっており、その後は不正球検出装置２５４及び揚送装置２５６に連結されている。このため、アウト通路アセンブリ２５０には、上流側から下流側に向かう方向において、研磨装置２５２、不正球検出装置２５４、及び揚送装置２５６が順番に配置されていることになる。
【０７０７】
そして、揚送装置２５６と球送り装置５００とは、図示しないコンベアモータによって駆動するスクリューコンベアにより構成された揚送通路２５８によって連結されている。揚送通路２５６により揚送された遊技球は、揚送通路２５８を通って球送り装置５００に送られ、球送り装置５００から発射装置３００に送られる。なお、研磨装置２５２、揚送装置２５６、及び揚送通路２５８は、上述した実施形態のように、すべてを一体化させて揚送研磨装置としてもよい。
【０７０８】
図６３は、第２実施形態のパチンコ機１Ｄにおける遊技球の流れについて説明するための図である。
パチンコ機１Ｄの発射装置３００から発射された遊技球は、パチンコ機１Ｄの内部に形成された遊技領域を流下する。ここで、遊技領域に配置されている入賞口に入球しなかった遊技球は最終的にアウト口を通じて遊技盤ユニットの裏側へ回収され、入賞口に入球した遊技球も遊技盤ユニットの裏側へ回収される。
【０７０９】
そして、回収された遊技球は、アウト通路アセンブリ２５０を通じて研磨装置２５２に送られ、研磨装置２５２内に配置された研磨布等で研磨されることにより汚れや埃等が取り除かれる。
【０７１０】
研磨後の遊技球は、不正球検出装置２５４に送られ、そこで不正球であるか否か（規定の球径よりも小さい球径を有する遊技球か否か）が検出される。なお、不正球であることが検出された場合、パチンコ機１Ｄの表示器にて所定のエラー表示を行ったり、その不正球をその場で回収したりすることができる。
【０７１１】
不正球検出装置２５４により不正球であると判断されなかった遊技球は、揚送装置２５６に送られ、揚送通路２５８を経由して球送り装置５００に送られる。球送り装置５００に到達した遊技球は、球送り装置５００の供給動作により発射装置３００に送られる。そして、発射装置３００に送られた遊技球は、発射装置３００の発射動作により再び遊技領域に発射される。
【０７１２】
このように、第２実施形態のパチンコ機１Ｄは、封入式の遊技機であるため、島設備から遊技球が供給されることはなく、遊技球を機外に排出することもない。また、第２実施形態のパチンコ機１Ｄでは、遊技機内で循環している遊技球が隣のパチンコ機１Ｄで用いられることもない。図示の例では、３台のパチンコ機１Ｄを示しているが、遊技球の循環経路はそれぞれの遊技機内で完結している。
【０７１３】
図６４は、第２実施形態のパチンコ機に装備された各種の電子機器類を示すブロック図である。
第２実施形態のパチンコ機１Ｄの制御に関する構成は、図１７のブロック図に示される構成をほとんどそのまま流用することができる。ただし、多少の相違点があるため、ここではその相違点について説明し、上述した実施形態と同様の部分は説明を省略する。
【０７１４】
第２実施形態のパチンコ機１Ｄは、上述した実施形態と比較して、研磨装置２５２、不正球検出装置２５４、揚送装置２５６、揚送通路２５８等が追加されている点が異なっている。
このため、第２実施形態のパチンコ機１Ｄでは、これらの研磨装置２５２、不正球検出装置２５４、揚送装置２５６、揚送通路２５８等に用いられる各種モータ５１０（スクリューコンベアモータ、球研磨モータ、球送りモータ等）を、発射制御基板１０８に接続している。
【０７１５】
また、第２実施形態のパチンコ機１Ｄは、封入式の遊技機であるため、封入機構に関係する各種スイッチ１０５（例えば、循環球数を検出する球量検出スイッチ、スクリューコンベアモータや球研磨モータの回転位置を検出する回転検出スイッチ、不正球を検出するための不正球検出スイッチ等）が必要になる。
このため、第２実施形態のパチンコ機１Ｄでは、封入機構に関係する各種スイッチ１０５を、発射制御基板１０８に接続している。
【０７１６】
一方、第２実施形態のパチンコ機１Ｄに対しては、島設備から遊技球が供給されることがないため、貯留ケースや貯留タンクは不要となり、それに付随する補給路球切れスイッチ１０４（図１７参照）は設置していない。
【０７１７】
このように、第２実施形態のパチンコ機１Ｄは、封入式の遊技機であるため、電子データにて遊技結果を管理することになるが、発射装置３００にて戻り球が発生すると、正確な発射数を把握することができなくなってしまう。
【０７１８】
そこで、本実施形態では、封入式のパチンコ機１Ｄに対して、戻り球が発生しにくい発射装置３００を適用しているため、電子データにて正確に遊技結果を管理しつつ、電子化による遊技結果の信頼性を向上させることができる。なお、パチンコ機１Ｄに対しては、往復直進式打球機構を利用した発射装置４００を適用することもできる。
【０７１９】
以上説明したように、発射装置３００や発射装置４００は、戻り球が発生しにくい発射装置であるため、非封入式又は封入式のいずれのパチンコ機であっても、電子化されているパチンコ機に対して好適に用いることができる。
【符号の説明】
【０７２０】
１，１Ａ〜１Ｄ    パチンコ機
８    遊技盤ユニット
８ａ  遊技領域
２０    始動ゲート
２６    上始動入賞口
２８    可変始動入賞装置
２８ａ  下始動入賞口
３３    普通図柄表示装置
３３ａ  普通図柄作動記憶ランプ
３４    第１特別図柄表示装置
３５    第２特別図柄表示装置
３４ａ  第１特別図柄作動記憶ランプ
３５ａ  第２特別図柄作動記憶ランプ
３８    遊技状態表示装置
４２    液晶表示器
４５    演出切替ボタン
７０    主制御装置
７２    主制御ＣＰＵ
７４    ＲＯＭ
７６    ＲＡＭ
１２４    演出制御装置
１２６    演出制御ＣＰＵ
【図２】
2014144095.tif 000003
【図３】
2014144095.tif 000004
【図４】
2014144095.tif 000005
【図５】
2014144095.tif 000006
【図６】
2014144095.tif 000007
【図７】
2014144095.tif 000008
【図８】
2014144095.tif 000009
【図９】
2014144095.tif 000010
【図１０】
2014144095.tif 000011
【図１１】
2014144095.tif 000012
【図１２】
2014144095.tif 000013
【図１３】
2014144095.tif 000014
【図１４】
2014144095.tif 000015
【図１５】
2014144095.tif 000016
【図１６】
2014144095.tif 000017
【図１７】
2014144095.tif 000018
【図１８】
2014144095.tif 000019
【図１９】
2014144095.tif 000020
【図２０】
2014144095.tif 000021
【図２１】
2014144095.tif 000022
【図２２】
2014144095.tif 000023
【図２３】
2014144095.tif 000024
【図２４】
2014144095.tif 000025
【図２５】
2014144095.tif 000026
【図２６】
2014144095.tif 000027
【図２７】
2014144095.tif 000028
【図２８】
2014144095.tif 000029
【図２９】
2014144095.tif 000030
【図３０】
2014144095.tif 000031
【図３１】
2014144095.tif 000032
【図３２】
2014144095.tif 000033
【図３３】
2014144095.tif 000034
【図３４】
2014144095.tif 000035
【図３５】
2014144095.tif 000036
【図３６】
2014144095.tif 000037
【図３７】
2014144095.tif 000038
【図３８】
2014144095.tif 000039
【図３９】
2014144095.tif 000040
【図４０】
2014144095.tif 000041
【図４１】
2014144095.tif 000042
【図４２】
2014144095.tif 000043
【図４３】
2014144095.tif 000044
【図４４】
2014144095.tif 000045
【図４５】
2014144095.tif 000046
【図４６】
2014144095.tif 000047
【図４７】
2014144095.tif 000048
【図４８】
2014144095.tif 000049
【図４９】
2014144095.tif 000050
【図５８】
2014144095.tif 000051
【図５９】
2014144095.tif 000052
【図６０】
2014144095.tif 000053
【図６１】
2014144095.tif 000054
【図６２】
2014144095.tif 000055
【図６３】
2014144095.tif 000056
【図６４】
2014144095.tif 000057
【図１】
2014144095.tif 000058
【図５０】
2014144095.tif 000059
【図５１】
2014144095.tif 000060
【図５２】
2014144095.tif 000061
【図５３】
2014144095.tif 000062
【図５４】
2014144095.tif 000063
【図５５】
2014144095.tif 000064
【図５６】
2014144095.tif 000065
【図５７】
2014144095.tif 000066